(57)【要約】  画像処理システム１Ａの画像処理装置１００は、画像データ出力手段１０から出力画像データを取得して、画質調整条件が異なる第１の画質調整画像データと、第２の画質調整画像データと、を生成する。画像処理装置１００は、第１の画質調整画像データに基づく第１の画質調整画像を有する第１の時分割比較用画像と、第２の画質調整画像データに基づく第２の画質調整画像を有する第２の時分割比較用画像と、を表示手段２０の表示領域に交互に切り替えて表示させる。このため、第１，第２の画質調整画像の全体を縮小させずに表示させるので、画質調整条件が異なる画像を実際の大きさと同一の大きさで交互に利用者に視認させることができる。また、動画を切り替え表示させているため、放送のように連続して入力される画像をリアルタイムで比較させることができる。したがって、利用者に画像の画質を適切に比較させることができる。
2008016149.tif 000002
【特許請求の範囲】
【請求項１】
所定の画像データに対して所定の処理を施した処理画像データに基づく画像を表示手段で表示させる画像表示制御装置であって、
画像データ出力手段から連続して出力される出力画像データを前記画像データとして取得する出力画像取得手段と、
この出力画像取得手段において異なるタイミングで取得された前記画像データに基づいて、前記処理画像データを生成する処理画像生成手段に、前記処理の条件が異なる第１の前記処理画像データおよび第２の前記処理画像データを生成させる処理画像生成制御手段と、
前記第１の処理画像データに基づく前記画像および前記第２の処理画像データに基づく前記画像を、前記表示手段の１つの表示領域に交互に切り替えて表示させる処理画像表示制御手段と、
を具備したことを特徴とした画像表示制御装置。
【請求項２】
請求項１に記載の画像表示制御装置であって、
前記処理は、前記画像データのエンコード処理、デコード処理、および、前記画像の画質調整処理であり、
前記処理画像生成制御手段は、前記処理画像生成手段に、前記エンコード処理および前記画質調整処理の条件が異なる前記第１の処理画像データおよび前記第２の処理画像データを生成させる
ことを特徴とした画像表示制御装置。
【請求項３】
請求項２に記載の画像表示制御装置であって、
前記処理画像生成制御手段は、前記処理画像生成手段に、前記画像データに対して第１の前記エンコード処理、前記デコード処理、および、前記第１のエンコード処理に対応する第１の前記画質調整処理を施した前記第１の処理画像データと、前記画像データに対して第２の前記エンコード処理、前記デコード処理、および、前記第２のエンコード処理に対応する第２の前記画質調整処理を施した前記第２の処理画像データと、を生成させる
ことを特徴とした画像表示制御装置。
【請求項４】
請求項１に記載の画像表示制御装置であって、
前記処理は、前記画像の画質調整処理である
ことを特徴とした画像表示制御装置。
【請求項５】
請求項４に記載の画像表示制御装置であって、
前記画質調整処理の条件に関する調整条件情報を記憶する調整条件情報記憶手段を具備し、
前記処理画像生成制御手段は、前記調整条件情報記憶手段に記憶された前記調整条件情報を取得して、この調整条件情報に基づいて、前記処理画像生成手段に、前記第１の処理画像データおよび前記第２の処理画像データを生成させる
ことを特徴とした画像表示制御装置。
【請求項６】
請求項４または請求項５に記載の画像表示制御装置であって、
前記処理は、前記画像の動き補正である
ことを特徴とした画像表示制御装置。
【請求項７】
請求項１ないし請求項６のいずれかに記載の画像表示制御装置であって、
入力操作される操作手段を有し、この操作手段の入力操作に基づき前記１つの表示領域に表示させる画像を切り替える旨を認識すると、その旨の操作信号を出力する入力手段と、
この入力手段からの前記操作信号を取得して、この操作信号に対応する処理を実施する旨の処理信号を出力する処理信号出力手段と、
を具備し、
前記処理画像表示制御手段は、前記処理信号出力手段からの前記処理信号に基づいて、前記１つの表示領域に表示されている画像を切り替える制御をする
ことを特徴とした画像表示制御装置。
【請求項８】
請求項７に記載の画像表示制御装置であって、
前記入力手段は、第１の前記操作手段の入力操作に基づいて前記１つの表示領域に表示させる画像が前記第１の処理画像データに基づく画像であると認識して、その旨の第１の前記操作信号を出力し、第２の前記操作手段の入力操作に基づいて前記１つの表示領域に表示させる画像が前記第２の処理画像データに基づく画像であると認識して、その旨の第２の前記操作信号を出力し、
前記処理信号出力手段は、前記第１の操作信号に対応する処理を実施する旨の第１の前記処理信号、前記第２の操作信号に対応する処理を実施する旨の第２の前記処理信号を出力し、
前記処理画像表示制御手段は、前記第２の処理画像データに基づく画像の表示中に前記第１の処理信号を取得すると前記第１の処理画像データに基づく画像を表示させ、前記第１の処理画像データに基づく画像の表示中に前記第２の処理信号を取得すると前記第２の処理画像データに基づく画像を表示させる
ことを特徴とした画像表示制御装置。
【請求項９】
請求項７に記載の画像表示制御装置であって、
前記入力手段は、複数の前記操作手段を有し、これら複数の操作手段のうち特定の１つの前記操作手段が入力操作されるごとに前記操作信号を出力する
ことを特徴とした画像表示制御装置。
【請求項１０】
請求項１ないし請求項９のいずれかに記載の画像表示制御装置であって、
前記処理画像表示制御手段は、前記第１の処理画像データに基づく画像の表示時と、前記第２の処理画像データに基づく画像の表示時と、で異なる表示形態の文字、記号、および、図形のうち少なくともいずれか１つを前記表示領域に表示させる
ことを特徴とした画像表示制御装置。
【請求項１１】
請求項８に記載の画像表示制御装置であって、
前記処理画像表示制御手段は、前記第１の処理画像データに基づく画像を表示させる際に前記表示領域に第１の色の文字、記号、および、図形のうち少なくともいずれか１つを表示させ、前記第２の処理画像データに基づく画像を表示させる際に前記表示領域に第２の色の文字、記号、および、図形のうち少なくともいずれか１つを表示させ、
前記第１の操作手段は、前記第１の色に着色され、
前記第２の操作手段は、前記第２の色に着色された
ことを特徴とした画像表示制御装置。
【請求項１２】
請求項１ないし請求項６のいずれかに記載の画像表示制御装置であって、
前記処理画像表示制御手段は、所定の時間間隔で前記画像を切り替える制御をする
ことを特徴とした画像表示制御装置。
【請求項１３】
請求項１ないし請求項１２のいずれかに記載の画像表示制御装置であって、
前記処理画像表示制御手段は、表示させている画像とともに、この表示させている画像の前記処理画像データに対して施された前記処理の条件を表す表示画像処理情報を表示させる
ことを特徴とした画像表示制御装置。
【請求項１４】
請求項１３に記載の画像表示制御装置であって、
前記処理画像表示制御手段は、前記表示させている画像および前記表示画像処理情報とともに、表示させていない前記画像の前記処理画像データに対して施された前記処理の条件を表す非表示画像処理情報を表示させる
ことを特徴とした画像表示制御装置。
【請求項１５】
請求項１３または請求項１４に記載の画像表示制御装置であって、
前記処理の条件は、数値で表され、
前記処理画像表示制御手段は、前記処理の条件を表す基準となる数直線を表示させるとともに、前記数直線上における前記表示させている画像の前記処理の条件に対応する位置に前記表示画像処理情報として第１の図形を表示させ、前記数直線上における前記表示させていない画像の前記処理の条件に対応する位置に前記非表示画像処理情報として第２の図形を表示させる
ことを特徴とした画像表示制御装置。
【請求項１６】
請求項１４または請求項１５に記載の画像表示制御装置であって、
前記処理画像表示制御手段は、前記表示画像処理情報および前記非表示画像処理情報を異なる表示形態で表示させる
ことを特徴とした画像表示制御装置。
【請求項１７】
請求項１ないし請求項１６のいずれかに記載の画像表示制御装置であって、
前記第１の処理画像データに対応する前記処理および前記第２の処理画像データに対応する前記処理のうちいずれか一方の処理が選択された旨を認識する選択処理認識手段と、
前記処理画像生成手段に、前記出力画像データに対して前記選択処理認識手段で認識した前記いずれか一方の処理を施した選択処理画像データを生成させる選択処理画像生成制御手段と、
前記選択処理画像データに基づく画像を前記表示手段で表示させる選択処理画像表示制御手段と、
を具備したことを特徴とした画像表示制御装置。
【請求項１８】
所定の画像データに対して所定の処理を施した処理画像データに基づく画像を表示手段で表示させる画像表示制御装置であって、
前記処理は、前記画像データのエンコード処理、デコード処理、および、前記画像の画質調整処理であり、
前記処理画像データを生成する処理画像生成手段に、前記エンコード処理および前記画質調整処理の条件が異なる第１の前記処理画像データおよび第２の前記処理画像データを生成させる処理画像生成制御手段と、
前記第１の処理画像データに基づく前記画像および前記第２の処理画像データに基づく前記画像を、前記表示手段で表示させる処理画像表示制御手段と、
を具備したことを特徴とした画像表示制御装置。
【請求項１９】
請求項１８に記載の画像表示制御装置であって、
前記処理画像表示制御手段は、前記第１の処理画像データに基づく前記画像および前記第２の処理画像データに基づく前記画像を、前記表示手段の１つの表示領域に交互に切り替えて表示させる
ことを特徴とした画像表示制御装置。
【請求項２０】
請求項１９に記載の画像表示制御装置であって、
入力操作される操作手段を有し、この操作手段の入力操作に基づき前記１つの表示領域に表示させる画像を切り替える旨を認識すると、その旨の操作信号を出力する入力手段と、
この入力手段からの前記操作信号を取得して、この操作信号に対応する処理を実施する旨の処理信号を出力する処理信号出力手段と、
を具備し、
前記処理画像表示制御手段は、前記処理信号出力手段からの前記処理信号に基づいて、前記１つの表示領域に表示されている画像を切り替える制御をする
ことを特徴とした画像表示制御装置。
【請求項２１】
請求項２０に記載の画像表示制御装置であって、
前記入力手段は、複数の前記操作手段を有し、これら複数の操作手段のうち特定の１つの前記操作手段が入力操作されるごとに前記操作信号を出力する
ことを特徴とした画像表示制御装置。
【請求項２２】
請求項２１に記載の画像表示制御装置であって、
前記処理画像表示制御手段は、所定の時間間隔で前記画像を切り替える制御をする
ことを特徴とした画像表示制御装置。
【請求項２３】
請求項２０に記載の画像表示制御装置であって、
前記入力手段は、第１の前記操作手段の入力操作に基づいて前記１つの表示領域に表示させる画像が前記第１の処理画像データに基づく画像であると認識して、その旨の第１の前記操作信号を出力し、第２の前記操作手段の入力操作に基づいて前記１つの表示領域に表示させる画像が前記第２の処理画像データに基づく画像であると認識して、その旨の第２の前記操作信号を出力し、
前記処理信号出力手段は、前記第１の操作信号に対応する処理を実施する旨の第１の前記処理信号、前記第２の操作信号に対応する処理を実施する旨の第２の前記処理信号を出力し、
前記処理画像表示制御手段は、前記第２の処理画像データに基づく画像の表示中に前記第１の処理信号を取得すると前記第１の処理画像データに基づく画像を表示させ、前記第１の処理画像データに基づく画像の表示中に前記第２の処理信号を取得すると前記第２の処理画像データに基づく画像を表示させる
ことを特徴とした画像表示制御装置。
【請求項２４】
請求項１８に記載の画像表示制御装置であって、
前記処理画像表示制御手段は、前記第１の処理画像データに基づく前記画像および前記第２の処理画像データに基づく前記画像を、前記表示手段の１つの表示領域に並べて表示させる
ことを特徴とした画像表示制御装置。
【請求項２５】
請求項１８ないし請求項２４のいずれかに記載の画像表示制御装置であって、
前記処理画像生成制御手段は、前記処理画像生成手段に、前記画像データに対して所定の前記エンコード処理および前記デコード処理を施した前記第１の処理画像データと、前記画像データに対して前記エンコード処理および前記デコード処理を施していない前記第２の処理画像データと、を生成させる
ことを特徴とした画像表示制御装置。
【請求項２６】
請求項２５に記載の画像表示制御装置であって、
前記処理画像生成手段は、
前記画像データを取得して、この画像データに対して前記エンコード処理を施したエンコード処理画像データを生成するエンコーダと、
このエンコーダで生成された前記エンコード処理画像データに対して前記デコード処理を施したデコード処理画像データを生成するデコーダと、
前記画像データを取得して、この画像データを前記エンコード処理および前記デコード処理に要する時間と等しい時間経過後に未処理画像データとして出力する遅延手段と、
前記デコード処理画像データおよび前記未処理画像データに対して条件が異なる画質調整処理を施して前記第１の処理画像データおよび前記第２の処理画像データを生成して、前記処理画像表示制御手段へ出力する画質調整手段と、を備え、
前記処理画像生成制御手段は、前記エンコーダおよび前記遅延手段に前記画像データを等しいタイミングで取得させる
ことを特徴とした画像表示制御装置。
【請求項２７】
請求項１８ないし請求項２４のいずれかに記載の画像表示制御装置であって、
前記処理画像生成制御手段は、前記処理画像生成手段に、前記画像データに対して第１の前記エンコード処理、前記デコード処理、および、前記第１のエンコード処理に対応する第１の前記画質調整処理を施した前記第１の処理画像データと、前記画像データに対して第２の前記エンコード処理、前記デコード処理、および、前記第２のエンコード処理に対応する第２の前記画質調整処理を施した前記第２の処理画像データと、を生成させる
ことを特徴とした画像表示制御装置。
【請求項２８】
請求項２７に記載の画像表示制御装置であって、
前記処理画像生成手段は、
前記画像データを取得して、この画像データに対して前記第１のエンコード処理を施した第１のエンコード処理画像データを生成する第１のエンコーダと、
この第１のエンコーダで生成された前記エンコード処理画像データに対して前記デコード処理を施した第１のデコード処理画像データを生成する第１のデコーダと、
前記画像データを取得して、この画像データに対して前記第２のエンコード処理を施した第２のエンコード処理画像データを生成する第２のエンコーダと、
この第２のエンコーダで生成された前記エンコード処理画像データに対して前記デコード処理を施した第２のデコード処理画像データを生成する第２のデコーダと、
前記第１のデコード処理画像データに対して前記第１の画質調整処理を施して前記第１の処理画像データを生成し、前記第２のデコード処理画像データに対して前記第２の画質調整処理を施して前記第２の処理画像データを生成して、前記処理画像表示制御手段へ出力する画質調整手段と、を備え、
前記処理画像生成制御手段は、前記第１のエンコーダおよび前記第２のエンコーダに前記画像データを等しいタイミングで取得させる
ことを特徴とした画像表示制御装置。
【請求項２９】
請求項２８に記載の画像表示制御装置であって、
前記処理画像生成手段は、
前記画像データを取得して、この画像データに対して前記エンコード処理を施したエンコード処理画像データを生成するエンコーダと、
このエンコーダで生成された前記エンコード処理画像データに対して前記デコード処理を施したデコード処理画像データを生成するデコーダと、
このデコーダで生成された前記デコード処理画像データを取得して記憶する処理およびこの記憶した前記デコード処理画像データを出力する処理を実施する記憶出力処理手段と、
前記デコーダで生成された前記デコード処理画像データに対して前記画質調整処理を施した前記処理画像データを生成して、前記処理画像表示制御手段へ出力する画質調整手段と、を備え、
前記処理画像生成制御手段は、
前記エンコーダを制御して、前記画像データを取得させて第１の前記エンコード処理を施した第１の前記エンコード処理画像データを生成させて、前記デコーダに前記第１のエンコード処理画像データに対して前記デコード処理を施した前記第１のデコード処理画像データを生成させ、
前記記憶出力処理手段を制御して、前記第１のデコード処理画像データを記憶させ、
前記エンコーダを制御して、前記画像データを取得させて第２の前記エンコード処理を施した第２の前記エンコード処理画像データを生成させ、前記デコーダに前記第２のエンコード処理画像データに対して前記デコード処理を施した前記第２のデコード処理画像データを生成させて前記画質調整手段へ出力させ、
前記記憶出力処理手段を制御して、前記記憶させた前記第１のデコード処理画像データを前記画質調整手段へ出力させ、
前記画質調整手段を制御して、前記第１のデコード処理画像データに対して前記第１の画質調整処理を施した前記第１の処理画像データを生成させ、前記第２のデコード処理画像データに対して前記第２の画質調整処理を施した前記第２の処理画像データを生成させせる
ことを特徴とした画像表示制御装置。
【請求項３０】
請求項２７に記載の画像表示制御装置であって、
前記処理画像生成手段は、
前記画像データを取得して、この画像データに対して前記エンコード処理を施した前記エンコード処理画像データを生成するエンコーダと、
このエンコーダで生成された第１の前記エンコード処理画像データに対して前記デコード処理を施した前記第１のデコード処理画像データを生成する第１のデコーダと、
前記エンコーダで生成された第２の前記エンコード処理画像データに対して前記デコード処理を施した前記第２のデコード処理画像データを生成する第２のデコーダと、
前記エンコーダで生成された前記エンコード処理画像データを取得して記憶する処理およびこの記憶した前記エンコード処理画像データを前記第１のデコーダへ出力する処理を実施する記憶出力処理手段と、
前記デコーダで生成された前記第１のデコード処理画像データに対して前記第１の画質調整処理を施して前記第１の処理画像データを生成し、前記第２のデコード処理画像データに対して前記第２の画質調整処理を施して前記第２の処理画像データを生成して、前記処理画像表示制御手段へ出力する画質調整手段と、を備え、
前記処理画像生成制御手段は、
前記エンコーダを制御して、前記画像データを取得させて第１の前記エンコード処理を施した前記第１のエンコード処理画像データを生成させ、
前記記憶出力処理手段を制御して、前記第１のエンコード処理画像データを記憶させ、
前記エンコーダを制御して、前記画像データを取得させて第２の前記エンコード処理を施した前記第２のエンコード処理画像データを生成させて前記第２のデコーダへ出力させ、この第２のデコーダに前記第２のデコード処理画像データを生成させ、
前記記憶出力処理手段を制御して、前記記憶させた前記第１のエンコード処理画像データを前記第１のデコーダへ出力させて、この第１のデコーダに前記第１のデコード処理画像データを生成させ、
前記画質調整手段を制御して、前記第１のデコード処理画像データに基づく前記第１の処理画像データ、および前記第２のデコード処理画像データに基づく前記第２の処理画像データを生成させる
ことを特徴とした画像表示制御装置。
【請求項３１】
請求項１８ないし請求項３０のいずれかに記載の画像表示制御装置であって、
画像データ出力手段から出力される出力画像データを取得する出力画像取得手段と、
前記第１の処理画像データおよび前記第２の処理画像データのうちいずれか一方に対応する前記エンコード処理が選択された旨を認識する選択処理認識手段と、
前記処理画像生成手段に、前記出力画像データに対して前記選択処理認識手段で認識された前記いずれか一方に対応する前記エンコード処理が施された選択処理画像データを生成させる選択処理画像生成制御手段と、
前記選択処理画像データを記録媒体に記録させる記録制御手段と、
を具備したことを特徴とした画像表示制御装置。
【請求項３２】
請求項３１に記載の画像表示制御装置であって、
前記処理画像生成手段は、前記記録媒体の経時劣化に伴い発生する前記選択処理画像データに基づく画像の劣化状態を反映させた前記第１の処理画像データおよび前記第２の処理画像データを生成する
ことを特徴とした画像表示制御装置。
【請求項３３】
請求項３１または請求項３２に記載の画像表示制御装置であって、
前記処理画像生成制御手段は、前記処理画像生成手段に、前記画像データとして前記出力画像取得手段から前記出力画像データを取得させ、この出力画像データに基づいて前記第１の処理画像データおよび前記第２の処理画像データを生成させる
ことを特徴とした画像表示制御装置。
【請求項３４】
請求項３１ないし請求項３３のいずれかに記載の画像表示制御装置であって、
前記出力画像データを記憶する出力画像記憶手段を具備し、
前記出力画像取得手段は、前記取得した出力画像データを前記出力画像記憶手段に記憶させ、
前記処理画像生成制御手段は、前記処理画像生成手段に、前記画像データとして前記出力画像記憶手段に記憶された前記出力画像データを取得させ、この出力画像データに基づいて前記第１の処理画像データおよび前記第２の処理画像データを生成させる
ことを特徴とした画像表示制御装置。
【請求項３５】
請求項３１ないし請求項３４のいずれかに記載の画像表示制御装置であって、
前記第１の処理画像データおよび前記第２の処理画像データの生成のみに用いられる生成用画像データを記憶する生成用画像記憶手段を具備し、
前記処理画像生成制御手段は、前記処理画像生成手段に、前記画像データとして前記生成用画像記憶手段に記憶された前記生成用画像データを取得させ、この生成用画像データに基づいて前記第１の処理画像データおよび前記第２の処理画像データを生成させる
ことを特徴とした画像表示制御装置。
【請求項３６】
請求項３１ないし請求項３５のいずれかに記載の画像表示制御装置であって、
前記記録制御手段は、前記選択処理画像データに対応する前記処理画像データに施された画質調整処理の条件を画質調整条件情報として、前記選択処理画像データとともに前記記録媒体に記録させる
ことを特徴とした画像表示制御装置。
【請求項３７】
請求項３６に記載の画像表示制御装置であって、
前記記録媒体から前記選択処理画像データおよび前記画質調整条件情報を取得して、前記選択処理画像データに基づく画像を前記画質調整条件情報に基づく条件で画質調整処理して再生する
ことを特徴とした画像表示制御装置。
【請求項３８】
請求項３６に記載の画像表示制御装置であって、
前記記録制御手段は、前記画質調整処理の条件を設定した画像表示制御装置を特定する機器情報を前記記録媒体に記録させる
ことを特徴とした画像表示制御装置。
【請求項３９】
請求項３８に記載の画像表示制御装置であって、
前記記録媒体から前記選択処理画像データ、前記画質調整条件情報、および、前記機器情報を取得して、前記画質調整条件情報に基づく条件を前記機器情報で特定される前記画像表示制御装置に対応させて変換し、前記選択処理画像データに基づく画像を前記変換した条件で画質調整処理して再生する
ことを特徴とした画像表示制御装置。
【請求項４０】
所定の画像データに対して所定の処理を施した処理画像データを生成する処理画像生成手段と、
この処理画像生成手段で生成された処理画像データに基づく画像を表示手段で表示させる請求項１ないし請求項３９のいずれかに記載の画像表示制御装置と、
を具備したことを特徴とした画像処理装置。
【請求項４１】
演算手段にて、所定の画像データに対して所定の処理を施した処理画像データに基づく画像を表示手段で表示させる画像表示制御方法であって、
前記演算手段は、
画像データ出力手段から連続して出力される出力画像データを前記画像データとして取得し、
異なるタイミングで取得された前記画像データに基づいて、前記処理画像データを生成する処理画像生成手段に、前記処理の条件が異なる第１の前記処理画像データおよび第２の前記処理画像データを生成させ、
前記第１の処理画像データに基づく前記画像および前記第２の処理画像データに基づく前記画像を、前記表示手段の１つの表示領域に交互に切り替えて表示させる
ことを特徴とする画像表示制御方法。
【請求項４２】
演算手段にて、所定の画像データに対して所定の処理を施した処理画像データに基づく画像を表示手段で表示させる画像表示制御方法であって、
前記処理は、前記画像データのエンコード処理、デコード処理、および、前記画像の画質調整処理であり、
前記演算手段は、
前記処理画像データを生成する処理画像生成手段に、前記エンコード処理および前記画質調整処理の条件が異なる第１の前記処理画像データおよび第２の前記処理画像データを生成させ、
前記第１の処理画像データに基づく前記画像および前記第２の処理画像データに基づく前記画像を、前記表示手段で表示させる
ことを特徴とする画像表示制御方法。
【請求項４３】
請求項４１または請求項４２に記載の画像表示制御方法を演算手段に実行させる
ことを特徴とした画像表示制御プログラム。
【請求項４４】
演算手段を請求項１ないし請求項３９のいずれかに記載の画像表示制御装置として機能させる
ことを特徴とした画像表示制御プログラム。
【請求項４５】
請求項４３または請求項４４に記載の画像表示制御プログラムが演算手段にて読取可能に記録された
ことを特徴とした画像表示制御プログラムを記録した記録媒体。
【発明の詳細な説明】
【技術分野】
【０００１】
本発明は、所定の画像データに対して所定の処理を施した処理画像データに基づく画像を表示手段で表示させる画像表示制御装置、画像処理装置、画像表示制御方法、そのプログラム、および、そのプログラムを記録した記録媒体に関する。
【背景技術】
【０００２】
従来、異なる処理を施した画像を表示させて、利用者に比較させる構成が知られている（例えば、特許文献１から特許文献６参照）。【０００３】
特許文献１に記載ものは、ユーザに「２画面・詳細」項目が選択された場合、画質調整画面を左画面領域と、右画面領域とに大きく分割し、変更後の設定値を反映させた変更後映像を左画面領域に表示させる。さらに、変更前の設定値を反映させた変更前映像を右画面領域に表示させる。
また、「親子画面・詳細」項目が選択された場合、画質調整画面を、この画質調整画面の一部の領域でなる子画面領域と、画質調整画面から子画面領域を除いた親画面領域とに分けて、変更後映像を親画面領域に表示させる。さらに、変更前映像を子画面領域に表示させる構成が採られている。【０００４】
特許文献２に記載のものは、第１の画像と、この第１の画像に所望の画像修正を施した第２の画像とを、同一の表示位置に切替えて表示する構成が採られている。具体的には、モニタ制御部内の画像メモリに、第１の画像データと第２の画像データを格納し、この画像データを交互に読み出すことにより同一の表示位置に切替えて表示することを実現している。【０００５】
特許文献３に記載のものは、同一画像データに対する２つ以上の異なる色調整状態の画像を、画面上の同一の位置に、交互に表示する構成が採られている。具体的には、元の画像データは画像メモリに読み込まれ、この画像データはオペレータにより入力された色調整データに基づいて色調整される。そして、色調整前後の各画像データは予めビデオＲＡＭの第１〜第４の画面領域に書込まれる。この画像データを交互に読み出すことにより、同一の表示位置に切替えて表示することを実現している。【０００６】
特許文献４に記載のものは、ユーザにより画質比較ボタンが押された場合、オリジナル画像データの比較エリアを自動検出して、この比較エリアについて画質比較ウインドウに拡大表示するために必要な表示用の信号を生成する。そして、高画質、標準画質、高圧縮率で圧縮した画像を生成して、画質比較ウインドウをピクチャー・イン・ピクチャーによる子画面で同時に表示させる構成が採られている。【０００７】
特許文献５に記載のものは、圧縮前の画像と、圧縮・伸長後の画像とを選択的に表示可能な構成が採られている。【０００８】
特許文献６に記載のものは、エンコード処理の条件が異なる第１の処理画像データと、第２の処理画像データとに基づく画像に同一の画像処理を施し、１つの表示領域に表示させる構成が採られている。具体的には、原画像データに操作者に指定された複数種類のエンコード（画像圧縮）を順次施し、それぞれのエンコードデータを圧縮符号化データファイルに順次記憶したうえで、それらの圧縮データに操作者の指定した同一の画像処理を施し、操作者の指定に応じて順次表示する構成が採られている。【０００９】
【特許文献１】特開２００６−１３６１８号公報
【特許文献２】特開２００３−２８１５６２号公報
【特許文献３】特開平９−１７９５３９号公報
【特許文献４】特開２００４−１４７１８１号公報
【特許文献５】特開２００１−２８７４９号公報
【特許文献６】特開平７−１３１６５６号公報
【発明の開示】
【発明が解決しようとする課題】
【００１０】
しかしながら、特許文献１のような構成では、変更前後の映像のうち少なくともいずれか一方を縮小させて表示させるため、縮小していない状態での画質を把握させることができないおそれがある。このため、適切に画質を比較できないおそれがあるという問題点が一例として挙げられる。
さらに、特許文献２および特許文献３のような構成では、静止画を切替え表示させるため、放送のように連続して入力される画像をリアルタイムで比較できないおそれがあるという問題点が一例として挙げられる。
また、特許文献４のような構成では、単独ビュー表示の画面における画像の一部に、圧縮率が異なる画像の一部を表示させる画質比較ウインドウを重畳しているため、オリジナルの画像の一部が隠されてしまい、その全体を把握させつつ圧縮した状態を把握させることができないおそれがある。このため、適切に圧縮状態を比較できないおそれがあるという問題点が一例として挙げられる。
さらに、特許文献４および特許文献５のような構成では、エンコード処理が異なる画像を表示させているにすぎず、例えばエンコード処理特有の画質劣化が生じてしまい、この画質劣化した画像が比較対象となってしまうおそれがある。このため、所望の画像を選択するための比較を適切にできないおそれがあるという問題点が一例として挙げられる。
また、特許文献６のような構成では、エンコード処理が異なる画像に対して同一の画像処理を施して表示させている。このような場合、例えば圧縮率が高い画像にシャープネス処理を施すと画像のぼけを抑制できるが、圧縮率が低い画像にシャープネス処理を施すとノイズを目立たせてしまうおそれがある。このため、ノイズが目立った画像が比較対象となってしまい、所望の画像を選択するための比較を適切にできないおそれがあるという問題点が一例として挙げられる。【００１１】
本発明の目的は、異なる処理を施した処理画像データに基づく画像を適切に比較させることが可能な画像表示制御装置、画像処理装置、画像表示制御方法、そのプログラム、および、そのプログラムを記録した記録媒体を提供することである。
【課題を解決するための手段】
【００１２】
本発明の画像表示制御装置は、所定の画像データに対して所定の処理を施した処理画像データに基づく画像を表示手段で表示させる画像表示制御装置であって、画像データ出力手段から連続して出力される出力画像データを前記画像データとして取得する出力画像取得手段と、この出力画像取得手段において異なるタイミングで取得された前記画像データに基づいて、前記処理画像データを生成する処理画像生成手段に、前記処理の条件が異なる第１の前記処理画像データおよび第２の前記処理画像データを生成させる処理画像生成制御手段と、前記第１の処理画像データに基づく前記画像および前記第２の処理画像データに基づく前記画像を、前記表示手段の１つの表示領域に交互に切り替えて表示させる処理画像表示制御手段と、を具備したことを特徴とする。【００１３】
本発明の画像表示制御装置は、所定の画像データに対して所定の処理を施した処理画像データに基づく画像を表示手段で表示させる画像表示制御装置であって、前記処理は、前記画像データのエンコード処理、デコード処理、および、前記画像の画質調整処理であり、前記処理画像データを生成する処理画像生成手段に、前記エンコード処理および前記画質調整処理の条件が異なる第１の前記処理画像データおよび第２の前記処理画像データを生成させる処理画像生成制御手段と、前記第１の処理画像データに基づく前記画像および前記第２の処理画像データに基づく前記画像を、前記表示手段で表示させる処理画像表示制御手段と、を具備したことを特徴とする。【００１４】
本発明の画像処理装置は、所定の画像データに対して所定の処理を施した処理画像データを生成する処理画像生成手段と、この処理画像生成手段で生成された処理画像データに基づく画像を表示手段で表示させる前述した画像表示制御装置と、を具備したことを特徴とする。【００１５】
本発明の画像表示制御方法は、演算手段にて、所定の画像データに対して所定の処理を施した処理画像データに基づく画像を表示手段で表示させる画像表示制御方法であって、前記演算手段は、画像データ出力手段から連続して出力される出力画像データを前記画像データとして取得し、異なるタイミングで取得された前記画像データに基づいて、前記処理画像データを生成する処理画像生成手段に、前記処理の条件が異なる第１の前記処理画像データおよび第２の前記処理画像データを生成させ、前記第１の処理画像データに基づく前記画像および前記第２の処理画像データに基づく前記画像を、前記表示手段の１つの表示領域に交互に切り替えて表示させることを特徴する。【００１６】
本発明の画像表示制御方法は、演算手段にて、所定の画像データに対して所定の処理を施した処理画像データに基づく画像を表示手段で表示させる画像表示制御方法であって、前記処理は、前記画像データのエンコード処理、デコード処理、および、前記画像の画質調整処理であり、前記演算手段は、前記処理画像データを生成する処理画像生成手段に、前記エンコード処理および前記画質調整処理の条件が異なる第１の前記処理画像データおよび第２の前記処理画像データを生成させ、前記第１の処理画像データに基づく前記画像および前記第２の処理画像データに基づく前記画像を、前記表示手段で表示させることを特徴とする。【００１７】
本発明の画像表示制御プログラムは、前述した本発明の画像表示制御方法を演算手段に実行させることを特徴とする。【００１８】
本発明の画像表示制御プログラムは、演算手段を前述した本発明の画像表示制御装置として機能させることを特徴とする。【００１９】
本発明の画像表示制御プログラムを記録した記録媒体は、前述した本発明の画像表示制御プログラムが演算手段にて読取可能に記録されたことを特徴とする。
【図面の簡単な説明】
【００２０】
【図１】本発明の第１実施形態に係る画像処理システムの概略構成を示すブロック図である。
【図２】前記第１実施形態および本発明の第２実施形態に係る画質調整方法選択メニューの概略構成を示す模式図である。
【図３】前記第１，第２実施形態および本発明の第８実施形態に係る画質調整メニューの概略構成を示す模式図である。
【図４】前記第１，第２，第８実施形態および本発明の第３〜第７実施形態に係る比較画面構成選択メニューの概略構成を示す模式図である。
【図５】前記第１，第２，第８実施形態における第１の時分割比較用画像の概略構成を示す模式図である。
【図６】前記第１，第２，第８実施形態における第２の時分割比較用画像の概略構成を示す模式図である。
【図７】前記第１，第２，第８実施形態における２画面比較用画像の概略構成を示す模式図である。
【図８】前記第１〜第８実施形態における比較方法選択メニューの概略構成を示す模式図である。
【図９】前記第１，第２実施形態における画質調整処理を示すフローチャートである。
【図１０】前記第１実施形態における比較調整処理を示すフローチャートである。
【図１１】前記第２実施形態における画像処理システムの概略構成を示すブロック図である。
【図１２】前記第２〜第７実施形態における比較画像選択メニューの概略構成を示す模式図である。
【図１３】前記第２実施形態における比較調整処理を示すフローチャートである。
【図１４】前記第３実施形態における画像処理システムの概略構成を示すブロック図である。
【図１５】前記第３〜第７実施形態における記録条件設定方法選択メニューの概略構成を示す模式図である。
【図１６】前記第３〜第７実施形態における記録条件設定メニューの概略構成を示す模式図である。
【図１７】前記第３〜第７実施形態における第１の時分割比較用画像の概略構成を示す模式図である。
【図１８】前記第３〜第７実施形態における第２の時分割比較用画像の概略構成を示す模式図である。
【図１９】前記第３〜第７実施形態における２画面比較用画像の概略構成を示す模式図である。
【図２０】前記第３〜第７実施形態における記録条件設定処理を示すフローチャートである。
【図２１】前記第３実施形態における比較設定処理を示すフローチャートである。
【図２２】前記第４実施形態における画像処理システムの概略構成を示すブロック図である。
【図２３】前記第４〜第６実施形態における比較設定処理を示すフローチャートである。
【図２４】前記第５実施形態における画像処理システムの概略構成を示すブロック図である。
【図２５】前記第６実施形態における画像処理システムの概略構成を示すブロック図である。
【図２６】前記第７実施形態における画像処理システムの概略構成を示すブロック図である。
【図２７】前記第７実施形態における劣化シミュレータの概略構成を示す模式図である。
【図２８】前記第７実施形態における劣化モード選択メニューの概略構成を示す模式図である。
【図２９】前記第７実施形態における比較設定処理を示すフローチャートである。
【図３０】前記第８実施形態に係る画像処理システムの概略構成を示すブロック図である。
【図３１】前記第９実施形態に係る画像処理システムの概略構成を示すブロック図である。
【図３２】本発明の他の実施形態に係る画像処理システムの概略構成を示すブロック図である。
【図３３】本発明のさらに他の実施形態に係る画像処理システムの概略構成を示すブロック図である。
【図３４】本発明のさらに他の実施形態に係る画像処理システムの概略構成を示すブロック図である。
【図３５】本発明のさらに他の実施形態に係る画像処理システムの概略構成を示すブロック図である。
【図３６】本発明のさらに他の実施形態に係る２画面比較用画像の概略構成を示す模式図である。
【図３７】本発明のさらに他の実施形態に係る２画面比較用画像の概略構成を示す模式図である。
【符号の説明】
【００２１】
１０，１１…画像データ出力手段
２０…表示手段
２１…表示領域
３０…画像処理装置および画像表示制御装置を構成する入力手段としてのリモートコントローラ
３２Ａ…操作手段としての画像切替操作ボタン
３２Ｂ…操作手段としての他処理操作ボタン
４２…記録媒体
１００，２００，３００，４００，５００，６００，７００，８００，９００，１０００，１１００，１２００，１３００…画像処理装置
１２０…処理信号出力手段としてのインターフェース部
１３０…調整条件情報記憶手段としての画質調整条件メモリ
１４０，８４０…出力画像取得手段としても機能しうる処理画像生成手段としての画像処理部
１５０，２４０，３４０，４４０，５４０，６４０，７４０，９４０…画像表示制御装置および演算手段を構成する処理画像表示制御手段としての画像合成部
１６０，２５０，３５０，４５０，５５０，６５０，７５０，８６０，９５０…画像表示制御装置および演算手段としての制御部
１６２，２５２，３５２，４５２，５５２，６５２，７５２，８６２，９５２…処理画像生成制御手段および選択処理認識手段としての比較画像生成制御手段
１６３，３５３…処理画像表示制御手段を構成する比較画像表示制御手段
１６５…選択処理画像生成制御手段としての選択画質調整画像生成制御手段
２１０…出力画像記憶手段としての第１の画像メモリ
２２０Ａ，２２０Ｂ…生成用画像記憶手段としての第２の画像メモリ
２３０…出力画像取得手段としてのセレクタ
３２０，４２０，５２０，６２０，７２０…出力画像取得手段としての第１のセレクタ
３３０，４３０，５３０，６３０，７３０，９３０，１０３０，１１３０，１２３０，１３３０…処理画像生成手段としての画像処理部
３３１，５３１，６３１，７３１…エンコーダ
３３３，５３３，７３４…デコーダ
３３４，７３５…遅延手段としての遅延回路
３５５，４５５…記録制御手段
４３１…第１のエンコーダ
４３３，６３４…第１のデコーダ
４３４…第２のエンコーダ
４３５，６３５…第２のデコーダ
５３４…記憶出力処理手段としての第３の画像メモリ
６３３…記憶出力処理手段としての第３の画像メモリ
９３６…処理画像生成手段としての画質調整手段
Ｊ２３Ｂ…数直線
Ｊ２３Ｃ…表示画像処理情報としての第１の図形である第１の調整状態図形
Ｊ２３Ｄ…非表示画像処理情報としての第２の図形である第２の調整状態図形
Ｊ３２，Ｊ４２…表示画像処理情報としての第１，第２の記録設定条件名称情報
【発明を実施するための最良の形態】
【００２２】
［第１実施形態］
以下、本発明に係る第１実施形態を図面に基づいて説明する。
この第１実施形態、および、後述する第２実施形態では、本発明の画像表示制御装置および画像処理装置を備えた画像処理システムであって、処理としての画質調整処理の条件が異なる２つの画像を表示させる構成を例示して説明する。
なお、画像としては、動画が対象である。
図１は、画像処理システムの概略構成を示すブロック図である。図２は、画質調整方法選択メニューの概略構成を示す模式図である。図３は、画質調整メニューの概略構成を示す模式図である。図４は、比較画面構成選択メニューの概略構成を示す模式図である。図５は、第１の時分割比較用画像の概略構成を示す模式図である。図６は、第２の時分割比較用画像の概略構成を示す模式図である。図７は、２画面比較用画像の概略構成を示す模式図である。図８は、比較方法選択メニューの概略構成を示す模式図である。【００２３】
〔画像処理システムの構成〕
図１において、１Ａは画像処理システムである。
この画像処理システム１Ａは、画像データ出力手段１０と、表示手段２０と、画像処理装置および画像表示制御装置を構成する入力手段としてのリモートコントローラ（以下、リモコンと称す）３０と、画像処理装置１００と、を備えている。
なお、図１、および、後述する図１１，１４，２２，２４，２５，２６において、各構成を接続する線を２種類の太さで示しているが、細い方の線は、画像を表示させるための出力画像データなどのデータを送受信するためのデータ線、すなわち画像データ出力手段１０から入力され、表示手段２０に出力されるまでにいろいろ信号処理されながら伝送される画像データのラインを表し、太い方の線は、画像を表示するための制御信号などの信号を送受信するための制御線、すなわち画像データ以外のデータラインを表す。また、図１，１１，１４，２２，２４，２５，２６において、出力画像データなどは各機能ブロックにおいて左側から入力され右側から出力される。【００２４】
画像データ出力手段１０のデータ出力端子は、データ線を介して画像処理装置１００に接続されている。この画像データ出力手段１０は、放送波を介して、あるいはＨＤ（Hard Disk）、ＤＶＤ（Digital Versatile Disc）、光ディスク、メモリカードなどの記録媒体から、動画を表示手段２０で表示させるための出力画像データを連続的に取得する。そして、この出力画像データを連続的に、画像処理装置１００へ出力する。【００２５】
表示手段２０のデータ入力端子は、データ線を介して画像処理装置１００に接続されている。この表示手段２０は、画像処理装置１００にて制御され画像処理装置１００からの後述する処理画像データとしての画質調整画像データに基づく画像（以下、画質調整画像と称す）や選択処理画像データとしての選択画質調整画像データに基づく画像（以下、選択画質調整画像と称す）を画面表示させる。この表示手段２０としては、例えば液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。【００２６】
リモコン３０は、ケース体３１と、操作部３２と、操作信号出力手段３３と、を備えている。
ケース体３１は、例えば薄型の略長方形箱状に形成されている。
操作部３２は、一部がケース体３１の一面から突出する状態で設けられた操作手段としての１個の画像切替操作ボタン３２Ａと、この画像切替操作ボタン３２Ａに並設された操作手段としての複数の他処理操作ボタン３２Ｂと、を備えている。画像切替操作ボタン３２Ａは、画像処理装置１００に、表示手段２０で表示される画質調整画像を切り替えさせる際に入力操作される。他処理操作ボタン３２Ｂは、画像処理装置１００に、画像切替操作ボタン３２Ａに対応する処理以外の処理を実施させる際、例えば画質調整処理、各種メニュー画面の表示処理などを実施させる際に入力操作される。
操作信号出力手段３３は、ケース体３１の内部空間に設けられている。この操作信号出力手段３３は、画像切替操作ボタン３２Ａや他処理操作ボタン３２Ｂの入力操作に基づく操作信号を生成して、赤外線Ｌを利用して画像処理装置１００へ出力する。
なお、リモコン３０の代わりに、例えば表示手段２０に設けられたタッチパネルによる入力操作や、音声による入力操作などにより、各種設定事項を設定入力する構成としてもできる。【００２７】
画像処理装置１００は、受光部１１０と、処理信号出力手段としてのインターフェース部１２０と、調整条件情報記憶手段としての画質調整条件メモリ１３０と、出力画像取得手段としても機能する処理画像生成手段としての画像処理部１４０と、画像表示制御装置および演算手段を構成する処理画像表示制御手段としての画像合成部１５０と、画像表示制御装置および演算手段としての制御部１６０と、などを備えている。【００２８】
受光部１１０は、その一部が画像処理装置１００の図示しないケース体の外部に臨む状態で設けられている。また、受光部１１０の信号出力端子は、制御線を介してインターフェース部１２０の信号入力端子に接続されている。
この受光部１１０は、リモコン３０から赤外線Ｌを受光して、この赤外線Ｌを利用して送信された操作信号をインターフェース部１２０へ出力する。【００２９】
インターフェース部１２０の信号出力端子は、制御線を介して制御部１６０の制御信号入力端子に接続されている。
このインターフェース部１２０は、受光部１１０から出力される操作信号を取得して、この操作信号に対応する処理を実施する旨の処理信号を制御部１６０へ出力する。【００３０】
画質調整条件メモリ１３０の信号入出力端子は、制御線を介して制御部１６０の制御信号入出力端子に接続されている。
この画質調整条件メモリ１３０には、第１の画質調整条件が記録された調整条件情報としての第１の画質調整条件情報と、第１の画質調整条件と異なる第２の画質調整条件が記録された調整条件情報としての第２の画質調整条件情報と、が適宜読み出し可能に記憶されている。これら第１の画質調整条件情報および第２の画質調整条件情報は、制御部１６０の制御により適宜更新される。ここで、第１，第２の画質調整条件情報には、画像処理部１４０で調整可能な後述する項目、すなわちコントラスト、色の明るさ、色の濃さ、色合い、輪郭の鋭さ（以下、シャープネスと称す）の調整状態を表す数値（以下、調整値と称す）が第１，第２の調整条件として記録されている。【００３１】
画像処理部１４０のデータ入力端子は、データ線を介して画像データ出力手段１０のデータ出力端子に接続されている。また、画像処理部１４０のデータ出力端子は、データ線を介して画像合成部１５０のデータ入力端子に接続されている。さらに、画像処理部１４０の制御信号入力端子は、制御線を介して制御部１６０の制御信号出力端子に接続されている。
この画像処理部１４０は、制御部１６０の制御により、画像データ出力手段１０からの出力画像データに対して、この出力画像データに基づく画像（以下、出力画像と称す）の画質調整処理を実施する。そして、画像処理部１４０は、調整用画像データ取得手段１４１と、コントラスト調整手段１４２と、明るさ調整手段１４３と、濃さ調整手段１４４と、色合い調整手段１４５と、シャープネス調整手段１４６と、を備えている。【００３２】
調整用画像データ取得手段１４１は、画像データ出力手段１０からの出力画像データを取得する。
コントラスト調整手段１４２は、制御部１６０から第１，第２の画質調整条件情報を取得すると、この第１，第２の画質調整条件情報に記録されたコントラストの調整値を認識する。そして、出力画像データの出力画像におけるコントラストを、この認識した調整値に調整する。
明るさ調整手段１４３は、出力画像における色の明るさを、第１，第２の画質調整条件情報の色の明るさの調整値に調整する。
濃さ調整手段１４４は、出力画像における色の濃さを、第１，第２の画質調整条件情報の色の濃さの調整値に調整する。
色合い調整手段１４５は、出力画像における色合いを、第１，第２の画質調整条件情報の色合いの調整値に調整する。
シャープネス調整手段１４６は、出力画像におけるシャープネスを、第１，第２の画質調整条件情報のシャープネスの調整値に調整する。【００３３】
そして、画像処理部１４０は、出力画像データに対して、第１の画質調整条件情報に基づき第１の画質調整条件で画質調整処理を施した第１の画質調整画像データと、第２の画質調整条件情報に基づき第２の画質調整条件で画質調整処理を施した第２の画質調整画像データと、を生成して、画像合成部１５０へ出力する。ここで、画像処理部１４０は、連続的に入力される出力画像データに対して画質調整処理を実施するため、第１，第２の画質調整画像データのいずれか一方を生成した後に他方を生成する。このため、後述するように、第１，第２の画質調整画像を同時に表示する場合は、画像データ出力手段１０からの出力画像データの画面周波数が６０Ｈｚとすると、第１，第２の画質調整処理は、ともにその２倍の１２０Ｈｚにて処理する必要がある。
また、画像処理部１４０は、出力画像データに対して、利用者により選択された画質調整条件の画質調整処理を施した選択画質調整画像データを生成して、画像合成部１５０へ出力する。
なお、画像処理部１４０としては、コントラスト調整手段１４２、明るさ調整手段１４３、濃さ調整手段１４４、色合い調整手段１４５、および、シャープネス調整手段１４６のうち、少なくともいずれか１つを備えた構成としてもよい。【００３４】
画像合成部１５０のデータ出力端子は、データ線を介して表示手段２０のデータ入力端子に接続されている。また、画像合成部１５０の制御信号入力端子は、制御線を介して制御部１６０の制御信号出力端子に接続されている。
この画像合成部１５０は、制御部１６０により制御され、図２に示すように、表示手段２０の表示領域２１に画質調整方法選択メニューＭ１０を表示させる。この画質調整方法選択メニューＭ１０は、上下方向に並んで配置された、画質調整方法選択メニューＭ１０が表示されている旨を表すメニュー内容情報Ｍ１１と、画像の画質調整を調整前後で比較しながら実施する（以下、比較調整と称す）際に選択される比較調整時選択情報Ｍ１２と、画像の画質調整を数値で実施する（以下、数値調整と称す）際に選択される数値調整時選択情報Ｍ１３と、を備えている。
画像合成部１５０は、比較調整時選択情報Ｍ１２または数値調整時選択情報Ｍ１３に重畳させて、図示しないカーソルを表示させるとともに、制御部１６０の制御により、このカーソルを適宜移動させる。【００３５】
また、画像合成部１５０は、制御部１６０から第１の画質調整条件情報を取得して、図３に示すように、表示領域２１に画質調整メニューＭ２０を表示させる。この画質調整メニューＭ２０は、上下方向に並んで配置された、メニュー内容情報Ｍ２１と、画質を調整する際に選択される５個の画質調整時選択情報Ｍ２２と、調整した内容で画像を表示させる際に選択される画質比較時選択情報Ｍ２３と、画質調整を完了する際に選択される調整完了時選択情報Ｍ２４と、を備えている。
画質調整時選択情報Ｍ２２は、画質の調整項目を表す調整項目情報Ｍ２２Ａと、この調整項目情報Ｍ２２Ａの右側に表示され調整状態を表す基準となる数直線Ｍ２２Ｂと、この数直線Ｍ２２Ｂ上に表示される長方形状の調整状態図形Ｍ２２Ｃと、を備えている。調整状態図形Ｍ２２Ｃは、数直線Ｍ２２Ｂ上における第１の画質調整条件情報の各調整値に対応する位置に表示される。この調整状態図形Ｍ２２Ｃの位置により、利用者により設定された調整状態が表される。
画像合成部１５０は、５個の画質調整時選択情報Ｍ２２、画質比較時選択情報Ｍ２３、および、調整完了時選択情報Ｍ２４のうちのいずれか１つに重畳させて、図示しないカーソルを表示させるとともに、制御部１６０の制御により、このカーソルを適宜移動させる。そして、画像合成部１５０は、いずれか１つの画質調整時選択情報Ｍ２２に重畳してカーソルが表示されている状態で、制御部１６０の制御により、調整状態図形Ｍ２２Ｃを数直線Ｍ２２Ｂ上で左右方向に適宜移動させる。【００３６】
さらに、画像合成部１５０は、図４に示すように、表示領域２１に比較画面構成選択メニューＭ３０を表示させる。この比較画面構成選択メニューＭ３０は、上下方向に並んで配置された、メニュー内容情報Ｍ３１と、第１の画質調整画像データに基づく画質調整画像（以下、第１の画質調整画像と称す）および第２の画質調整画像データに基づく画質調整画像（以下、第２の画質調整画像と称す）を並べて比較する（以下、２画面比較と称す）際に選択される２画面比較時選択情報Ｍ３２と、第１の画質調整および第２の画質調整画像を交互に切り替え表示させながら比較する（以下、時分割比較と称す）際に選択される時分割比較時選択情報Ｍ３３と、を備えている。
画像合成部１５０は、２画面比較時選択情報Ｍ３２または時分割比較時選択情報Ｍ３３に重畳させて、図示しないカーソルを表示させるとともに、制御部１６０の制御により、このカーソルを適宜移動させる。【００３７】
また、画像合成部１５０は、画像処理部１４０からの第１，第２の画質調整画像データと、制御部１６０からの第１，第２の画質調整条件情報と、を取得して、表示領域２１に、図５に示すような第１の時分割比較用画像Ｊ１０と、図６に示すような第２の時分割比較用画像Ｊ２０と、を適宜交互に切り替え表示させる。
これら第１，第２の時分割比較用画像Ｊ１０，Ｊ２０は、表示領域２１と略等しい大きさの第１，第２の画質調整画像Ｊ１１，Ｊ２１と、この第１，第２の画質調整画像Ｊ１１，Ｊ２１の左上側に表示され第１，第２の画質調整画像の調整条件の名称を示す第１，第２の調整条件名称情報Ｊ１２，Ｊ２２と、第１，第２の画質調整画像Ｊ１１，Ｊ２１の左下側に表示され第１，第２の画質調整画像の調整状態を示す第１，第２の調整状態情報Ｊ１３，Ｊ２３と、を備えている。【００３８】
なお、ここでは、出力画像間の動きが遅いため、第１，第２の画質調整画像Ｊ１１，Ｊ２１が、真円、正三角形、および、正方形の図形にて構成され、かつ、同一であるものを例示する。また、第２の画質調整画像Ｊ２１全体に示されている斜線は、第２の画質調整画像Ｊ２１が第１の画質調整画像Ｊ１１の主に明るさを暗くしたものである旨を示すためのものであり、実際に第２の画質調整画像Ｊ２１に斜線が含まれている旨を示すものではない。
なお、上述したように、出力画像間の動きが早い場合、第１，第２の画質調整画像Ｊ１１，Ｊ２１は、異なる場面のものとなる。【００３９】
第１の調整状態情報Ｊ１３は、画質調整時選択情報Ｍ２２と同様に、調整項目情報Ｊ１３Ａと、数直線Ｊ１３Ｂと、第１の画質調整画像Ｊ１１の調整状態を表す第１の調整状態図形Ｊ１３Ｃと、を備えている。第１の調整状態図形Ｊ１３Ｃは、第１の画質調整条件情報の調整値に基づく位置に表示されている。
第２の調整状態情報Ｊ２３は、調整項目情報Ｊ２３Ａと、数直線Ｊ２３Ｂと、第２の画質調整画像Ｊ２１の調整状態を表す表示画像処理情報としての第１の図形である第１の調整状態図形Ｊ２３Ｃと、第１の画質調整画像Ｊ１１の調整状態を表す非表示画像処理情報としての第２の図形である第２の調整状態図形Ｊ２３Ｄと、を備えている。すなわち、第２の調整状態情報Ｊ２３は、表示中の第２の画質調整画像Ｊ２１の調整状態とともに、表示されていない第１の画質調整画像Ｊ１１の調整状態を表している。
第１の調整状態図形Ｊ２３Ｃおよび第２の調整状態図形Ｊ２３Ｄは、数直線Ｊ２３Ｂ上における第２，第１の画質調整条件情報の調整値に基づく位置に異なる表示色、つまり異なる表示形態で表示されている。なお、第１，第２の調整状態図形Ｊ２３Ｃ，Ｊ２３Ｄを、大きさが異なる構成としてもよいし、一方を点滅表示させる構成としてもよい。【００４０】
また、画像合成部１５０は、画像処理部１４０からの第１，第２の画質調整画像データと、制御部１６０からの第１，第２の画質調整条件情報と、を取得して、図７に示すように、表示領域２１に２画面比較用画像Ｎ１０を表示させる。
この２画面比較用画像Ｎ１０は、表示領域２１の左上側に表示された第１の画質調整縮小画像Ｎ１１と、この第１の画質調整縮小画像Ｎ１１の左上側に表示された第１の調整条件名称情報Ｎ１２と、表示領域２１の右上側に表示された第２の画質調整縮小画像Ｎ１３と、この第２の画質調整縮小画像Ｎ１３の左上側に表示された第２の調整条件名称情報Ｎ１４と、第１の画質調整縮小画像Ｎ１１の下側に表示された調整状態情報Ｎ１５と、を備えている。
第１，第２の画質調整縮小画像Ｎ１１，Ｎ１３は、アスペクト比を変更せずに第１，第２の画質調整画像Ｊ１１、Ｊ２１を縮尺したものである。つまり、出力画像間の動きが早い場合、第１，第２の画質調整縮小画像Ｎ１１，Ｎ２１は、異なる場面のものとなる。
調整状態情報Ｎ１５は、調整項目情報Ｎ１５Ａと、数直線Ｎ１５Ｂと、第１の画質調整縮小画像Ｎ１１の調整状態を表す第１の調整状態図形Ｎ１５Ｃと、第２の画質調整縮小画像Ｎ１３の調整状態を表す第２の調整状態図形Ｎ１５Ｄと、を備えている。
また、第１の調整状態図形Ｎ１５Ｃおよび第２の調整状態図形Ｎ１５Ｄは、第１，第２の画質調整条件情報の調整値に基づく位置に異なる表示色で表示されている。【００４１】
さらに、画像合成部１５０は、図８に示すように、表示領域２１に比較方法選択メニューＭ４０を表示させる。この比較方法選択メニューＭ４０は、上下方向に並んで配置された、メニュー内容情報Ｍ４１と、リモコン３０の入力操作に基づいて第１，第２の時分割比較用画像Ｊ１０，Ｊ２０を切り替え表示させながら比較する（以下、随時時分割比較と称す）際に選択される随時時分割比較時選択情報Ｍ４２と、例えば５秒などの所定時間間隔で第１，第２の時分割比較用画像Ｊ１０，Ｊ２０を切り替え表示させながら比較する（以下、繰り返し時分割比較と称す）際に選択される繰り返し時分割比較時選択情報Ｍ４３と、を備えている。
画像合成部１５０は、随時時分割比較時選択情報Ｍ４２または繰り返し時分割比較時選択情報Ｍ４３に重畳させて、図示しないカーソルを表示させるとともに、制御部１６０の制御により、このカーソルを適宜移動させる。【００４２】
また、画像合成部１５０は、画像処理部１４０から選択画質調整画像データを取得すると、この選択画質調整画像データに基づいて、選択画質画像を表示手段２０で表示させる。【００４３】
制御部１６０は、画像処理部１４０および画像合成部１５０を適宜制御する。そして、制御部１６０は、図１に示すように、各種プログラムとして、画質調整方法認識手段１６１と、処理画像生成制御手段および選択処理認識手段としての比較画像生成制御手段１６２と、処理画像表示制御手段を構成する比較画像表示制御手段１６３と、数値調整制御手段１６４と、選択処理画像生成制御手段としての選択画質調整画像生成制御手段１６５と、などを備えている。【００４４】
画質調整方法認識手段１６１は、例えば利用者による他処理操作ボタン３２Ｂの入力操作がされ、インターフェース部１２０から画質調整を実施する旨の処理信号を取得すると、画像合成部１５０を制御して、画質調整方法選択メニューＭ１０を表示させる。そして、利用者による比較調整時選択情報Ｍ１２を選択する旨の入力操作、例えばカーソルが比較調整時選択情報Ｍ１２に重畳した状態で入力操作されたことを認識すると、その旨の比較調整信号を比較画像生成制御手段１６２および比較画像表示制御手段１６３へ出力する。一方、数値調整時選択情報Ｍ１３が選択された旨を認識すると、その旨の数値調整信号を数値調整制御手段１６４へ出力する。【００４５】
比較画像生成制御手段１６２は、画質調整方法認識手段１６１から比較調整信号を取得すると、画像合成部１５０に画質調整メニューＭ２０の表示処理を実施させる。そして、所定の画質調整時選択情報Ｍ２２の調整状態図形Ｍ２２Ｃを移動させる旨を認識すると、画像合成部１５０に調整状態図形Ｍ２２Ｃの移動処理を実施させる。
また、比較画像生成制御手段１６２は、画質比較時選択情報Ｍ２３が選択された旨を認識すると、このときの調整状態図形Ｍ２２Ｃの位置に対応する調整値を第２の画質調整条件情報に記録する処理、すなわち第２の画質調整条件情報を更新する処理をする。そして、比較画像生成制御手段１６２は、第１，第２の画質調整条件情報を画像処理部１４０へ出力して、第１，第２の画質調整画像データを生成させる制御をする。さらに、第１，第２の画質調整条件情報を画像合成部１５０へ出力する。
一方、比較画像生成制御手段１６２は、画質調整メニューＭ２０の調整完了時選択情報Ｍ２４が選択された旨を認識すると、第２の画質調整条件が利用者により選択されたと認識して、第１の画質調整条件情報の内容を第２の画質調整条件情報の内容に更新する。【００４６】
比較画像表示制御手段１６３は、画質調整方法認識手段１６１から比較調整信号を取得すると、比較画面構成選択メニューＭ３０を表示させる。そして、比較画像表示制御手段１６３は、２画面比較時選択情報Ｍ３２が選択された旨を認識すると、画像合成部１５０に２画面比較用画像Ｎ１０の表示処理を実施させる。
一方、比較画像表示制御手段１６３は、時分割比較時選択情報Ｍ３３が選択された旨を認識すると、画像合成部１５０に第１の時分割比較用画像Ｊ１０の表示処理を実施させる。また、画像合成部１５０に比較方法選択メニューＭ４０の表示処理を適宜実施させる。そして、随時時分割比較時選択情報Ｍ４２が選択された旨を認識すると、切り替え表示が要求されたか否かを判断する。さらに、比較画像表示制御手段１６３は、切り替え表示が要求された、すなわち画像切替操作ボタン３２Ａが入力操作されたと判断するごとに、画像合成部１５０に第１，第２の時分割比較用画像Ｊ１０，Ｊ２０の切り替え表示処理を実施させる。
一方、比較方法選択メニューＭ４０の繰り返し時分割比較時選択情報Ｍ４３が選択された旨を認識すると、例えば５秒ごとに、画像合成部１５０に第１，第２の時分割比較用画像Ｊ１０，Ｊ２０の切り替え表示処理を実施させる。【００４７】
数値調整制御手段１６４は、画質調整方法認識手段１６１から数値調整信号を取得すると、例えば第１の画質調整条件情報を画像処理部１４０および画像合成部１５０へ出力して、第１の時分割比較用画像Ｊ１０と同じ構成を有する図示しない数値調整用画像の表示処理を実施させる。また、調整状態図形Ｍ２２Ｃと同様の調整状態図形を移動させる旨を認識すると、調整状態図形を移動させて第１の画質調整画像を第２の画質調整画像に変更する。そして、数値調整を終了する旨を認識すると、第１の画質調整条件情報の内容を調整状態図形の位置に対応する調整値に更新して、数値調整を終了させる。【００４８】
選択画質調整画像生成制御手段１６５は、出力画像に対して利用者により選択された画質調整条件の画質調整処理を施した選択画質調整画像を、表示手段２０で表示させる処理をする。
具体的には、選択画質調整画像生成制御手段１６５は、選択画質調整画像を表示させる旨を認識すると、第１の画質調整条件情報を画像処理部１４０へ出力する。そして、画像処理部１４０に、画像データ出力手段１０からの出力画像データに対して第１の画質調整条件情報、すなわち利用者により選択された画質調整条件に基づく画質調整処理を実施させて、選択画質調整画像データを生成させる。さらに、この選択画質調整画像データを画像合成部１５０へ出力させて、表示手段２０で選択画質調整画像を表示させる。【００４９】
〔画像処理システムの動作〕
次に、画像処理システム１Ａの動作について、図面を参照して説明する。
図９は、画質調整処理を示すフローチャートである。図１０は、比較調整処理を示すフローチャートである。【００５０】
まず、利用者は、リモコン３０の他処理操作ボタン３２Ｂの入力操作を実施して、画質調整方法選択メニューＭ１０を表示させる旨の要求を設定入力する。
画像処理システム１Ａの画像処理装置１００は、この設定入力を認識すると、図９に示すように、画質調整方法選択メニューＭ１０を表示させ（ステップＳ１１）、比較調整が選択されたか否かを判断する（ステップＳ１２）。
このステップＳ１２において、比較調整が選択されたと判断した場合、比較調整処理を実施して（ステップＳ１３）、処理を終了する。
一方、ステップＳ１２において、数値調整が選択されたと判断した場合、数値調整用画像を表示させる（ステップＳ１４）。そして、利用者の設定入力に基づき画質調整処理を実施して（ステップＳ１５）、調整を継続する旨の設定入力がされたか否かを判断する（ステップＳ１６）。
このステップＳ１６において、調整を継続すると判断した場合、ステップＳ１５の処理を実施する。一方、ステップＳ１６において、調整を終了すると判断した場合、このときの画質調整条件を利用者に選択された画質調整条件として第１の画質調整条件情報に記録して、処理を終了する。【００５１】
ステップＳ１３における比較調整処理では、画像処理装置１００は、図１０に示すように、比較画面構成選択メニューＭ３０を表示させ（ステップＳ２１）、２画面比較または時分割比較が選択された旨を認識する処理を選択比較画面構成の認識処理として実施する（ステップＳ２２）。そして、時分割比較が選択されたか否かを判断する（ステップＳ２３）。
このステップＳ２３において、２画面比較が選択されたと判断された場合、２画面比較用画像Ｎ１０を表示させる（ステップＳ２４）。そして、画質調整メニューＭ２０を適宜表示させ、設定入力に基づいて、第２の画質調整条件情報の更新処理を画質調整内容の認識処理として実施する（ステップＳ２５）。この後、この認識内容に基づいて、第２の画質調整縮小画像Ｎ１３の画質調整処理を実施して（ステップＳ２６）、調整を継続する旨の設定入力がされたか否かを判断する（ステップＳ２７）。このステップＳ２７において、調整を継続すると判断した場合、ステップＳ２５の処理を実施する。一方、ステップＳ２７において、調整を終了すると判断した場合、このときの画質調整条件を第１の画質調整条件情報に記録して、処理を終了する。【００５２】
また、画像処理装置１００は、ステップＳ２３において、時分割比較が選択されたと判断した場合、第１の時分割比較用画像Ｊ１０を表示させる（ステップＳ２８）。そして、画質調整メニューＭ２０を適宜表示させ、設定入力に基づき画質調整内容を認識する（ステップＳ２９）。この後、比較方法選択メニューＭ４０を表示させ（ステップＳ３０）、随時時分割比較が選択されたか否かを判断する（ステップＳ３１）。【００５３】
このステップＳ３１において、随時時分割比較が選択されたと判断した場合、リモコン３０の操作がされたか否かを判断する（ステップＳ３２）。そして、このステップＳ３２において、操作がされていないと判断した場合、ステップＳ３２の処理を実施する。一方、ステップＳ３２において、操作がされたと判断した場合、画像切替操作ボタン３２Ａが操作されたか否か、すなわち画像を切り替える操作か否かを判断する（ステップＳ３３）。
このステップＳ３３において、画像を切り替える操作であると判断した場合、表示中の画像を切り替える処理、例えば第１の時分割比較用画像Ｊ１０を第２の時分割比較用画像Ｊ２０に切り替える処理をして（ステップＳ３４）、ステップＳ３２の処理を実施する。
一方、ステップＳ３３において、画像を切り替える操作でないと判断した場合、調整を継続する操作か否かを判断する（ステップＳ３５）。このステップＳ３５において、調整を継続する操作であると判断した場合、ステップＳ２９の処理を実施する。一方、ステップＳ３５において、処理を終了する操作であると判断した場合、このときの画質調整条件を利用者に選択された画質調整条件として第１の画質調整条件情報に記録して、処理を終了する。【００５４】
また、ステップＳ３１において、繰り返し時分割比較が選択されたと判断した場合、リモコン３０の操作がされたか否かを判断する（ステップＳ３６）。そして、このステップＳ３６において、操作がされていると判断した場合、ステップＳ３５の処理を実施する。一方、ステップＳ３６において、操作がされていないと判断した場合、所定時間が経過したか否かを判断する（ステップＳ３７）。そして、ステップＳ３７において、所定時間が経過していないと判断した場合、ステップＳ３６の処理を実施する。また、ステップＳ３７において、所定時間が経過したと判断した場合、画像の切替処理を実施して（ステップＳ３８）、ステップＳ３６の処理を実施する。【００５５】
〔第１実施形態の作用効果〕
上述したように、上記第１実施形態では、画像処理システム１Ａの画像処理装置１００は、画像データ出力手段１０から出力画像データを取得して、画質調整条件が異なる第１の画質調整画像データと、第２の画質調整画像データと、を生成する。そして、第１の画質調整画像データに基づく第１の画質調整画像Ｊ１１を有する第１の時分割比較用画像Ｊ１０と、第２の画質調整画像データに基づく第２の画質調整画像Ｊ２１を有する第２の時分割比較用画像Ｊ２０と、を表示手段２０の表示領域２１に交互に切り替えて表示させる。
このため、第１，第２の画質調整画像Ｊ１１，Ｊ２１の全体を縮小させずに表示させるので、画質調整条件が異なる画像を実際の大きさと同一の大きさで交互に利用者に視認させることができる。また、動画を切り替え表示させているため、放送のように連続して入力される画像をリアルタイムで比較させることができる。したがって、利用者に画像の画質を適切に比較させることができる。【００５６】
なお、画像データ出力手段１０から出力される出力画像データを第１のタイミングで取得した第１の出力画像データと、第１のタイミングとは異なる第２のタイミングで取得した第２の出力画像データと、を１つの表示領域２１に交互に切り替え表示させても、第１，第２の出力画像データは異なるため、これらに対して同じ画質調整を施したとしても、表示される第１，第２の画質調整画像Ｊ１１，Ｊ２１は異なる。しかし、一般的に、第１，第２の出力画像データは、連続性のある場面であることが多い。したがって、第１，第２の出力画像データにそれぞれ異なる画質調整を実施し、これらを表示領域２１に交互に切り替えて表示させれば、異なる２つの画質調整による表示画像の比較をすることができる。
ここで、第１の出力画像データをメモリに一旦記憶させ、第１の出力画像データに第１の画質調整処理をした第３の出力画像データと、第１の出力画像データに第２の画質調整処理をした第４の出力画像データと、を表示領域２１に交互に切り替えて表示させれば、同じ第１の出力画像データに対して異なる画質調整処理をした表示画像の比較をより正確にすることができる。
しかし、実際に現在見ている画像により画質調整をするのが通常である。このことから、本実施形態のように現在見ている画像を画質調整する方が、現在見ている画像を見逃すことなく画質調整できるという点で実用的には便利である。【００５７】
また、静止画の画質調整では、現在見ている画像、現在流れている画像で画質調整するという要求がないため、一旦メモリに記憶させ、同じ画像データに対して異なる画質調整処理をした表示画像を比較するのが自然である。ビデオ機器に録画された画像データを使用しても、同じ画像データでの表示画像を比較するためには、一旦ビデオ機器の再生を停止する必要があり、操作が煩雑である。また、現在流れている画像の場合は、一旦停止することすらできない。これらの点で、動画と静止画とに対する要求は異なる。
さらに、２画面表示により動画の画質比較をするのであれば、第１の出力画像データに第１の画質調整処理をした第３の出力画像データと、第１の出力画像データに第２の画質調整処理をした第４の出力画像データと、を比較することができる。２画面表示による画質調整では、現在流れている画像で画質調整できないという課題は発生しない。
すなわち、本発明の課題の１つは、画像データ出力手段１０から出力される動画を適切に比較させることであるが、静止画を対象とした場合、このような課題さえ存在しない。【００５８】
そして、利用者により随時時分割比較が選択されると、リモコン３０の入力操作に基づいて、第１，第２の時分割比較用画像Ｊ１０，Ｊ２０を切り替え表示させる。
このため、利用者が所望するタイミングで切り替え表示することができ、より適切に画像を比較させることができる。【００５９】
さらに、リモコン３０に１つだけ設けられた画像切替操作ボタン３２Ａが入力操作されるごとに、第１，第２の時分割比較用画像Ｊ１０，Ｊ２０を切り替え表示させる。
このため、利用者に１つの画像切替操作ボタン３２Ａを入力操作させるだけで切り替え表示することができ、より容易に画像を比較させることができる。【００６０】
また、利用者により繰り返し時分割比較が選択されると、所定時間間隔で第１，第２の時分割比較用画像Ｊ１０，Ｊ２０を切り替え表示させる。
このため、利用者に切り替え表示の操作をさせることなく切り替え表示することができ、より容易に画像を比較させることができる。【００６１】
さらに、第１，第２の時分割比較用画像Ｊ１０，Ｊ２０に、第１，第２の画質調整画像Ｊ１１，Ｊ２１の画質調整条件を表す第１，第２の調整状態情報Ｊ１３，Ｊ２３を表示させる。
このため、画質調整がされた画像とともに、その調整条件を表示させるので、２つの画像の調整条件の違いを容易に認識させることができ、さらに適切に画像を比較させることができる。【００６２】
そして、第２の時分割比較用画像Ｊ２０の第２の調整状態情報Ｊ２３に、第１の画質調整画像Ｊ１１の画質調整条件と、第２の画質調整画像Ｊ２１の画質調整条件と、を表示させている。
このため、第２の時分割比較用画像Ｊ２０だけで、２つの画像の調整条件の違いを容易に認識させることができ、さらに適切に画像を比較させることができる。【００６３】
また、第１，第２の画質調整画像Ｊ１１，Ｊ２１の画質調整条件を、数直線Ｊ２３Ｂと、この数直線Ｊ２３Ｂ上における各画質調整条件に基づく位置に位置する第２，第１の調整状態図形Ｊ２３Ｄ，Ｊ２３Ｃと、で表している。
このため、第１，第２の調整状態図形Ｊ２３Ｃ，Ｊ２３Ｄの位置関係により、画質調整条件を数値で表示させる場合と比べて、それらの差異を容易に認識させることができる。【００６４】
さらに、第１，第２の調整状態図形Ｊ２３Ｃ，Ｊ２３Ｄを異なる表示色で表示させている。
このため、調整条件の差異をより容易に認識させることができる。【００６５】
また、画像データ出力手段１０から出力される出力画像データに画質調整処理を施して、第１，第２の画質調整画像データを生成している。
このため、画像データ出力手段１０から出力中の出力画像データを利用して、第１，第２の画質調整画像Ｊ１１，Ｊ２１を表示させることができ、第１，第２の画質調整画像データを生成するためだけの画像データを記憶する構成を設ける必要がない。したがって、画像処理システム１Ａの構成の簡略化を図ることができる。【００６６】
そして、画質調整条件の設定終了後に、この設定された画質調整条件で、画像データ出力手段１０から出力される出力画像データに対する画質調整処理を実施して、選択画質調整画像として表示させる。
このため、適切に画像を比較することにより設定された画質調整条件で、画像データ出力手段１０から連続的に出力される出力画像を視認させることができる。【００６７】
［第２実施形態］
次に、本発明に係る第２実施形態を図面に基づいて説明する。
なお、第１実施形態と同一の処理を実施する構成については、同一名称および同一符号を付し、説明を適宜省略する。また、第１実施形態と略等しい処理を実施する構成については、同一名称を付し、説明を適宜省略する。
図１１は、画像処理システムの概略構成を示すブロック図である。図１２は、比較画像選択メニューの概略構成を示す模式図である。【００６８】
〔画像処理システムの構成〕
図１１において、１Ｂは画像処理システムである。
この画像処理システム１Ｂは、画像データ出力手段１０と、表示手段２０と、リモコン３０と、画像処理装置２００と、を備えている。
また、画像処理装置２００は、受光部１１０と、インターフェース部１２０と、画質調整条件メモリ１３０と、出力画像記憶手段としての第１の画像メモリ２１０と、生成用画像記憶手段としての第２の画像メモリ２２０Ａと、出力画像取得手段としてのセレクタ２３０と、処理画像生成手段としての画像処理部１４０と、画像表示制御装置および演算手段を構成する処理画像表示制御手段としての画像合成部２４０と、画像表示制御装置および演算手段としての制御部２５０と、などを備えている。【００６９】
第１の画像メモリ２１０のデータ入力端子は、データ線を介して画像データ出力手段１０のデータ出力端子に接続されている。また、第１の画像メモリ２１０のデータ出力端子は、データ線を介してセレクタ２３０のデータ入力端子に接続されている。
この第１の画像メモリ２１０には、画像データ出力手段１０からの出力画像データが適宜読み出し可能に記憶される。この第１の画像メモリ２１０の出力画像データは、画像データ出力手段１０から入力される出力画像データに適宜更新される。【００７０】
第２の画像メモリ２２０Ａのデータ出力端子は、データ線を介してセレクタ２３０のデータ入力端子に接続されている。
この第２の画像メモリ２２０Ａには、生成用画像データとしての基準画像データが適宜読み出し可能に記憶されている。この基準画像データは、コントラスト、色の明るさ、色の濃さ、色合い、シャープネスの調整基準としてそれぞれ用いられる、コントラスト基準画像データと、明るさ基準画像データと、濃さ基準画像データと、色合い基準画像データと、シャープネス基準画像データと、などを備えている。
ここで、コントラスト基準画像データは、例えば白と黒の模様が表された画像のデータである。明るさ基準画像データ、濃さ基準画像データ、色合い基準画像データは、例えば特定の色が表された画像のデータである。シャープネス基準画像データは、例えば格子縞の画像のデータである。
なお、基準画像データとしては、コントラスト基準画像データ、明るさ基準画像データ、濃さ基準画像データ、色合い基準画像データ、および、シャープネス基準画像データのうち少なくともいずれか１つを備えた構成としてもよい。また、基準画像データは、静止画、動画のいずれであってもよい。【００７１】
セレクタ２３０の３個のデータ入力端子は、データ線を介して画像データ出力手段１０、第１の画像メモリ２１０、および、第２の画像メモリ２２０Ａのデータ出力端子にそれぞれ接続されている。また、セレクタ２３０のデータ出力端子は、データ線を介して画像処理部１４０のデータ入力端子に接続されている。さらに、セレクタ２３０の制御信号入力端子は、制御線を介して制御部２５０の制御信号出力端子に接続されている。
このセレクタ２３０は、制御部２５０により制御され、画像データ出力手段１０からの出力画像データを、画像処理部１４０へ出力する処理を実施する。また、第１の画像メモリ２１０に記憶された画像データ出力手段１０からの出力画像データを、画像処理部１４０へ出力する処理を実施する。さらに、第２の画像メモリ２２０Ａの基準画像データを、画像処理部１４０へ出力する処理をする。
具体的には、セレクタ２３０は、制御部２５０から第１の選択信号に基づいて、画像データ出力手段１０、第１の画像メモリ２１０、および、第２の画像メモリ２２０Ａのうちいずれか１つからの画像データを選択して、画像処理部１４０へ出力する。
なお、この基準画像データを出力する際、コントラスト基準画像データ、明るさ基準画像データ、濃さ基準画像データ、色合い基準画像データ、シャープネス基準画像データのうち少なくともいずれか１つを出力する構成としてもよい。【００７２】
画像処理部１４０のデータ出力端子は、データ線を介して画像合成部２４０のデータ入力端子に接続されている。また、画像処理部１４０の制御信号入力端子は、制御線を介して制御部２５０の制御信号出力端子に接続されている。
この画像処理部１４０は、制御部２５０の制御により、セレクタ２３０を介して画像データ出力手段１０から直接的に取得した出力画像データに基づく出力画像、セレクタ２３０を介して第１の画像メモリ２１０から取得した出力画像データに基づく画像（以下、一時記憶画像と称す）、基準画像データに基づく画像（以下、基準画像と称す）に対する画質調整処理を実施して、第１の画質調整画像データや第２の画質調整画像データを画像合成部２４０へ出力する。また、選択画質調整画像データを生成して、画像合成部２４０へ出力する。
ここで、画像処理部１４０は、上述したように、第１，第２の画質調整画像データのいずれか一方を生成した後に他方を生成する。このため、動画の出力画像が比較調整に用いる画像（以下、比較画像と称す）として選択された場合、第１，第２の画質調整画像は、異なる場面のものとなる場合がある。
一方、一時記憶画像や基準画像が比較画像として選択された場合、第１，第２の画像メモリ２１０，２２０Ａに記憶された同一の出力画像データや基準画像データを異なるタイミングでセレクタ２３０から取得することができる。このため、一時記憶画像や基準画像が動画であっても、第１，第２の画質調整画像を、同一の場面のものにすることができる。【００７３】
画像合成部２４０のデータ出力端子は、データ線を介して表示手段２０のデータ入力端子に接続されている。また、画像合成部２４０の制御信号入力端子は、制御線を介して制御部２５０の制御信号出力端子に接続されている。
この画像合成部２４０は、制御部２５０の制御により、画質調整方法選択メニューＭ１０、画質調整メニューＭ２０、比較画面構成選択メニューＭ３０、比較方法選択メニューＭ４０を表示させる。
また、画像合成部２４０は、図１２に示すように、表示領域２１に比較画像選択メニューＭ５０を表示させる。この比較画像選択メニューＭ５０は、上下方向に並んで配置された、メニュー内容情報Ｍ５１と、比較画像として画像データ出力手段１０から出力中の出力画像を利用する際に選択される入力中画像選択情報Ｍ５２と、比較画像として第１の画像メモリ２１０の一時記憶画像を利用する際に選択されるメモリ１画像選択情報Ｍ５３と、比較画像として第２の画像メモリ２２０Ａの基準画像を利用する際に選択されるメモリ２画像選択情報Ｍ５４と、を備えている。
画像合成部２４０は、入力中画像選択情報Ｍ５２、メモリ１画像選択情報Ｍ５３、および、メモリ２画像選択情報Ｍ５４のうちいずれか１つに重畳させて、図示しないカーソルを表示させるとともに、制御部２５０の制御により、このカーソルを適宜移動させる。
また、画像合成部２４０は、第１の時分割比較用画像Ｊ１０、第２の時分割比較用画像Ｊ２０、２画面比較用画像Ｎ１０を適宜表示させる。【００７４】
制御部２５０は、図１１に示すように、各種プログラムとして、画質調整方法認識手段１６１と、処理画像生成制御手段および選択処理認識手段としての比較画像生成制御手段２５２と、比較画像表示制御手段１６３と、数値調整制御手段１６４と、選択画質調整画像生成制御手段１６５と、などを備えている。【００７５】
比較画像生成制御手段２５２は、第１実施形態の比較画像生成制御手段１６２と略等しい処理に加えて、以下のような処理を実施する。
具体的には、比較画像生成制御手段２５２は、画像合成部２４０に、比較画像選択メニューＭ５０の表示処理を実施させる。そして、入力中画像選択情報Ｍ５２が選択された旨を認識すると、画像データ出力手段１０から出力中の出力画像データを画像処理部１４０へ出力する旨の第１の選択信号をセレクタ２３０へ出力する。また、メモリ１画像選択情報Ｍ５３が選択された旨を認識すると、第１の画像メモリ２１０に記憶された画像データ出力手段１０からの出力画像データを画像処理部１４０へ出力する旨の第１の選択信号をセレクタ２３０へ出力する。さらに、メモリ２画像選択情報Ｍ５４が選択された旨を認識すると、第２の画像メモリ２２０Ａの基準画像データを画像処理部１４０へ出力する旨の第１の選択信号をセレクタ２３０へ出力する。【００７６】
〔画像処理システムの動作〕
次に、画像処理システム１Ｂの動作について、図面を参照して説明する。
図１３は、比較調整処理を示すフローチャートである。
なお、この画像処理システム１Ｂは、第１実施形態の図９のフローチャートに示す画像調整処理と同一の処理を実施し、ステップＳ１３における比較調整処理のみが第１実施形態と異なる。また、図１３における比較調整処理において、第１実施形態と同一の動作については、同一符号を付し説明を簡略にする。【００７７】
画像処理システム１Ｂの画像処理装置２００は、図９に示すようなステップＳ１１〜Ｓ１６の処理を実施する。
そして、ステップＳ１３における比較調整処理では、画像処理装置２００は、図１３に示すように、ステップＳ２１，Ｓ２２の処理を実施すると、比較画像選択メニューＭ５０を表示させ（ステップＳ４１）、比較画像として出力画像、一時記憶画像、および、基準画像のうちいずれか１つが選択された旨を認識し（ステップＳ４２）、ステップＳ２３〜Ｓ３８の処理を実施する。【００７８】
〔第２実施形態の作用効果〕
上述したように、上記第２実施形態では、第１実施形態と同様の作用効果に加え、以下のような作用効果を奏することができる。【００７９】
すなわち、画像処理装置２００に、画像データ出力手段１０からの出力画像データを記憶する第１の画像メモリ２１０を設けている。そして、この第１の画像メモリ２１０の出力画像データに基づいて、第１，第２の画質調整画像データを生成している。
このため、第１，第２の画質調整画像データのいずれか一方を生成した後に他方を生成する画像処理部１４０に、第１の画像メモリ２１０に記憶された同一の出力画像データを異なるタイミングで取得させることができる。したがって、出力画像データが動画の場合でも、第１，第２の画質調整画像を同一の場面とすることができ、より適切に画像を比較させることができる。さらに、利用者が例えば画像比較に適していると判断した出力画像データを第１の画像メモリ２１０に記憶させておくことができ、利用者が所望するタイミングで適切に画像を比較させることができる。【００８０】
また、画像処理装置２００に、基準画像データを記憶する第２の画像メモリ２２０Ａを設け、この基準画像データに基づいて、第１，第２の画質調整画像データを生成している。
このため、第１，第２の画質調整画像データのいずれか一方を生成した後に他方を生成する画像処理部１４０に、第２の画像メモリ２２０Ａに記憶された同一の基準画像データを異なるタイミングで取得させることができる。したがって、第１，第２の画質調整画像を同一の場面とすることができ、より適切に画像を比較させることができる。また、画像データ出力手段１０が動作していなくても、画質調整条件の設定処理を実施できる。【００８１】
そして、基準画像データとして、コントラスト、色の明るさ、色の濃さ、色合い、シャープネスの調整基準としてそれぞれ用いられる、コントラスト基準画像データと、明るさ基準画像データと、濃さ基準画像データと、色合い基準画像データと、シャープネス基準画像データと、を設けている。
このため、コントラスト、色の明るさ、色の濃さ、色合い、シャープネスの調整基準となる画像に基づいて、さらに適切に画像を比較させることができる。【００８２】
［第３実施形態］
次に、本発明に係る第３実施形態を図面に基づいて説明する。
この第３実施形態、および、後述する第４〜第７実施形態では、本発明の画像処理システムであって、処理としての画像データのエンコード処理の条件が異なる２つの画像を表示させる構成を例示して説明する。
なお、画像としては、静止画、動画のいずれを対象としてもよい。
また、第１，第２実施形態と同一の処理を実施する構成については、同一名称および同一符号を付し、説明を適宜省略する。また、第１，第２実施形態と略等しい処理を実施する構成については、同一名称を付し、説明を適宜省略する。
図１４は、画像処理システムの概略構成を示すブロック図である。図１５は、記録条件設定方法選択メニューの概略構成を示す模式図である。図１６は、記録条件設定メニューの概略構成を示す模式図である。図１７は、第１の時分割比較用画像の概略構成を示す模式図である。図１８は、第２の時分割比較用画像の概略構成を示す模式図である。図１９は、２画面比較用画像の概略構成を示す模式図である。【００８３】
〔画像処理システムの構成〕
図１４において、１Ｃは画像処理システムである。
この画像処理システム１Ｃは、画像データ出力手段１１と、表示手段２０と、画像処理装置および画像表示制御装置を構成する入力手段としてのリモコン３０と、記憶手段４０と、画像処理装置３００と、を備えている。【００８４】
画像データ出力手段１１のデータ出力端子は、データ線を介して画像処理装置３００に接続され、所定の画像を表示手段２０で表示させるための出力画像データを画像処理装置３００へ出力する。ここで、画像データ出力手段１１としては、放送波を介して、あるいはＤＶＤなどの記録媒体から、動画を表示させるための出力画像データを連続的に取得する構成、静止画を表示させるための出力画像データを取得する構成のいずれであってもよい。【００８５】
表示手段２０のデータ入力端子は、データ線を介して画像処理装置３００に接続され、画像処理装置３００からの後述する第１の処理画像データとしての記録調整画像データに基づく画像（以下、記録調整画像と称す）や第２の処理画像データとしての記録未調整画像データに基づく画像（以下、記録未調整画像と称す）を画面表示させる。この表示手段２０としては、例えば液晶パネルや有機ＥＬパネル、ＰＤＰ、ＣＲＴ、ＦＥＤ、電気泳動ディスプレイパネルなどが例示できる。【００８６】
リモコン３０は、ケース体３１と、操作部３２と、操作信号出力手段３３と、を備えている。
操作部３２は、操作手段としての１個の画像切替操作ボタン３２Ａと、操作手段としての複数の他処理操作ボタン３２Ｂと、を備えている。画像切替操作ボタン３２Ａは、画像処理装置３００に、表示手段２０で表示される記録調整画像や記録未調整画像を切り替えさせる際に入力操作される。他処理操作ボタン３２Ｂは、画像処理装置３００に、画像切替操作ボタン３２Ａに対応する処理以外の処理を実施させる際、例えば記録条件設定処理、各種メニュー画面の表示処理などを実施させる際に入力操作される。
操作信号出力手段３３は、画像切替操作ボタン３２Ａや他処理操作ボタン３２Ｂの入力操作に基づく操作信号を生成して、赤外線Ｌを利用して画像処理装置３００へ出力する。
なお、リモコン３０の代わりに、例えば表示手段２０に設けられたタッチパネルによる入力操作や、音声による入力操作などにより、各種設定事項を設定入力する構成としてもできる。【００８７】
記憶手段４０は、画像処理装置３００に接続されたドライブ４１を備えている。具体的には、このドライブ４１のデータ入力端子は、データ線を介して後述するエンコーダ３３１のデータ出力端子に接続されている。また、ドライブ４１のデータ出力端子は、データ線を介して後述する第２のセレクタ３３２のデータ入力端子に接続されている。さらに、ドライブ４１の制御信号入力端子は、制御線を介して後述する制御部３５０の制御信号出力端子に接続されている。
このドライブ４１は、画像処理装置３００から出力される出力画像データを記録媒体４２に適宜読み出し可能に記録する。この記録媒体４２としては、ＨＤ、ＤＶＤ、光ディスク、メモリカードが例示できる。【００８８】
画像処理装置３００は、受光部１１０と、処理信号出力手段としてのインターフェース部１２０と、出力画像記憶手段としての第１の画像メモリ２１０と、生成用画像記憶手段としての第２の画像メモリ２２０Ｂと、記録条件メモリ３１０と、出力画像取得手段としての第１のセレクタ３２０と、処理画像生成手段としての画像処理部３３０と、画像表示制御装置および演算手段を構成する処理画像表示制御手段としての画像合成部３４０と、画像表示制御装置および演算手段としての制御部３５０と、などを備えている。【００８９】
受光部１１０は、その一部が画像処理装置３００の図示しないケース体の外部に臨む状態で設けられている。また、受光部１１０の信号出力端子は、制御線を介してインターフェース部１２０の信号入力端子に接続されている。
この受光部１１０は、リモコン３０から赤外線Ｌを受光して、この赤外線Ｌを利用して送信された操作信号をインターフェース部１２０へ出力する。【００９０】
インターフェース部１２０の信号出力端子は、制御線を介して制御部３５０の制御信号入力端子に接続され、受光部１１０から出力される操作信号を取得して、この操作信号に対応する処理を実施する旨の処理信号を制御部３５０へ出力する。【００９１】
第１の画像メモリ２１０のデータ入力端子は、データ線を介して画像データ出力手段１１のデータ出力端子に接続されている。また、第１の画像メモリ２１０のデータ出力端子は、データ線を介して第１のセレクタ３２０のデータ入力端子に接続されている。
この第１の画像メモリ２１０には、画像データ出力手段１１からの出力画像データが適宜読み出し可能に記憶される。この第１の画像メモリ２１０の出力画像データは、画像データ出力手段１１から入力される出力画像データに適宜更新される。【００９２】
第２の画像メモリ２２０Ｂのデータ出力端子は、データ線を介して第１のセレクタ３２０のデータ入力端子に接続されている。
この第２の画像メモリ２２０Ｂには、生成用画像データとしての基準画像データが適宜読み出し可能に記憶されている。この基準画像データは、エンコード処理条件の設定基準として用いられる。この基準画像データとしては、例えば格子縞、直線、曲線、真円、正方形など特定の形状の画像など、エンコード処理条件によって差異が発生しやすい画像を表示させるためのデータが例示できる。なお、基準画像データは、静止画、動画のいずれであってもよい。【００９３】
記録条件メモリ３１０の信号入出力端子は、制御線を介して制御部３５０の制御信号入出力端子に接続されている。
この記録条件メモリ３１０には、出力画像データをＨＤ（High Definition）モードで記録する際のエンコード処理の条件が記録されたＨＤ条件情報と、高画質モードでのエンコード処理の条件が記録された高画質条件情報と、標準モードでのエンコード処理の条件が記録された標準条件情報と、長時間モードでのエンコード処理の条件が記録された長時間条件情報と、が適宜読み出し可能に記憶されている。ここで、ＨＤモードの画質が最もよく、高画質モード、標準モード、長時間モードの順序で、画質が悪くなる。【００９４】
第１のセレクタ３２０の３個のデータ入力端子は、データ線を介して画像データ出力手段１１、第１の画像メモリ２１０、および、第２の画像メモリ２２０Ｂのデータ出力端子にそれぞれ接続されている。また、第１のセレクタ３２０の１個のデータ出力端子には、一端側が分岐したデータ線を介して画像処理部３３０の後述するエンコーダ３３１のデータ入力端子と、画像処理部３３０の後述する遅延回路３３４のデータ入力端子と、に接続されている。さらに、第１のセレクタ３２０の制御信号入力端子は、制御線を介して制御部３５０の制御信号出力端子に接続されている。
この第１のセレクタ３２０は、制御部３５０により制御され、画像データ出力手段１１からの出力画像データを、エンコーダ３３１および遅延回路３３４へ等しいタイミングで出力する処理を実施する。また、第１の画像メモリ２１０に記憶された画像データ出力手段１１からの出力画像データを、エンコーダ３３１および遅延回路３３４へ等しいタイミングで出力する処理を実施する。さらに、第２の画像メモリ２２０Ｂの基準画像データを、エンコーダ３３１および遅延回路３３４へ等しいタイミングで出力する処理をする。
具体的には、第１のセレクタ３２０は、制御部３５０から第１の選択信号に基づいて、画像データ出力手段１１、第１の画像メモリ２１０、および、第２の画像メモリ２２０Ｂのうちいずれか１つからの画像データを選択して、エンコーダ３３１および遅延回路３３４へ出力する。【００９５】
画像処理部３３０は、エンコーダ３３１と、第２のセレクタ３３２と、デコーダ３３３と、遅延手段としての遅延回路３３４と、などを備えている。【００９６】
エンコーダ３３１の１個のデータ出力端子は、一端側が分岐したデータ線を介して第２のセレクタ３３２のデータ入力端子と、記憶手段４０のデータ入力端子と、に接続されている。また、エンコーダ３３１の制御信号入力端子は、制御線を介して制御部３５０の制御信号出力端子に接続されている。
このエンコーダ３３１は、第１のセレクタ３２０から出力画像データや基準画像データを取得するとともに、制御部３５０からＨＤ条件情報、高画質条件情報、標準条件情報、長時間条件情報のうちいずれか１つの情報（以下、設定記録条件情報と称す）を取得する。そして、この設定記録条件情報に基づく状態で出力画像データや基準画像データをエンコードしたエンコード処理画像データを生成して、第２のセレクタ３３２や記憶手段４０へ出力する。この記憶手段４０へ出力されたエンコード処理画像データは、記憶手段４０に書き込まれる。
ここで、エンコーダ３３１における設定記録条件情報に基づくエンコードは、不可逆変換である。このため、エンコード処理画像データをデコーダ３３３に入力してデコード処理した画像データは、エンコーダ３３１に入力された元の画像データに対して劣化したものとなる。また、エンコード処理することにより、画像データは圧縮される。
なお、記憶手段４０へ出力されて書き込まれるエンコード処理画像データは、本発明の選択処理画像データに対応する。【００９７】
第２のセレクタ３３２の２個のデータ入力端子は、データ線を介してエンコーダ３３１のデータ出力端子と、記憶手段４０のデータ出力端子と、にそれぞれ接続されている。また、第２のセレクタ３３２のデータ出力端子は、データ線を介してデコーダ３３３のデータ入力端子に接続されている。さらに、第２のセレクタ３３２の制御信号入力端子は、制御線を介して制御部３５０の制御信号出力端子に接続されている。
この第２のセレクタ３３２は、制御部３５０により制御され、エンコーダ３３１から取得したエンコード処理画像データをデコーダ３３３へ出力する。また、記憶手段４０から取得したエンコード処理画像データをデコーダ３３３へ出力する。
具体的には、第２のセレクタ３３２は、制御部３５０から第２の選択信号に基づいて、エンコーダ３３１および記憶手段４０のうちいずれか１つからのエンコード処理画像データを選択して、デコーダ３３３へ出力する。【００９８】
デコーダ３３３のデータ出力端子は、データ線を介して画像合成部３４０のデータ入力端子に接続されている。
このデコーダ３３３は、第２のセレクタ３３２を介してエンコーダ３３１からエンコード処理画像データを取得する。そして、このエンコード処理画像データにデコード処理を施した記録調整画像データを生成し、この記録調整画像データを画像合成部３４０へ出力する。【００９９】
遅延回路３３４のデータ出力端子は、データ線を介して画像合成部３４０のデータ入力端子に接続されている。
ここで、第１のセレクタ３２０の出力である出力画像データや基準画像データは、遅延回路３３４を経て画像合成部３４０に入力される。一方、前記出力画像データや基準画像データは、上述したように、エンコーダ３３１、第２のセレクタ３３２、デコーダ３３３を経て画像合成部３４０に入力される。これらの２経路を経て画像合成部３４０に入力される出力画像データや基準画像データを同じ遅延時間にするように、遅延回路３３４の遅延時間が設定されている。
このため、遅延回路３３４は、第１のセレクタ３２０から出力画像データや基準画像データを取得すると、この出力画像データや基準画像データを記録未調整画像データとして、エンコーダ３３１およびデコーダ３３３におけるエンコード処理およびデコード処理に要する時間と等しい時間経過後に画像合成部３４０へ出力する。
すなわち、画像処理部３３０は、エンコーダ３３１およびデコーダ３３３により生成した記録調整画像データと、この記録調整画像データの生成に用いたものと同一の記録未調整画像データと、を同一のタイミングで画像合成部３４０へ出力する。このため、出力画像、一時記憶画像、基準画像が動画であっても、記録調整画像と、記録未調整画像と、を同一の場面のものにすることができる。
なお、遅延回路３３４から出力される出力画像データや基準画像データは、本発明の第２の処理画像データに対応する。【０１００】
画像合成部３４０の２個のデータ入力端子は、データ線を介してデコーダ３３３のデータ出力端子と、遅延回路３３４のデータ出力端子と、にそれぞれ接続されている。また、画像合成部３４０のデータ出力端子は、データ線を介して表示手段２０のデータ入力端子に接続されている。さらに、画像合成部３４０の制御信号入力端子は、制御線を介して制御部３５０の制御信号出力端子に接続されている。
この画像合成部３４０は、制御部３５０により制御され、図１５に示すように、表示領域２１に記録条件設定方法選択メニューＭ６０を表示させる。この記録条件設定方法選択メニューＭ６０は、上下方向に並んで配置された、メニュー内容情報Ｍ６１と、記録条件設定を記録前後で比較しながら実施する（以下、比較設定と称す）際に選択される比較設定時選択情報Ｍ６２と、記録条件設定を記録条件選択メニューＭ７０（図１６参照）を参照しながら実施する（以下、通常設定と称す）際に選択される通常設定時選択情報Ｍ６３と、を備えている。
画像合成部３４０は、比較設定時選択情報Ｍ６２または通常設定時選択情報Ｍ６３に重畳させて、図示しないカーソルを表示させるとともに、制御部３５０の制御により、このカーソルを適宜移動させる。【０１０１】
また、画像合成部３４０は、図１６に示すように記録条件選択メニューＭ７０を表示させる。この記録条件選択メニューＭ７０は、上下方向に並んで配置された、メニュー内容情報Ｍ７１と、記録条件をＨＤモードに設定する際に選択されるＨＤ選択情報Ｍ７２と、高画質モードに設定する際に選択される高画質選択情報Ｍ７３と、標準モードに設定する際に選択される標準選択情報Ｍ７４と、長時間モードに設定する際に選択される長時間選択情報Ｍ７５と、設定した内容で画像を表示させる際に選択される画質比較時選択情報Ｍ７６と、記録条件設定を完了する際に選択される設定完了時選択情報Ｍ７７と、を備えている。
画像合成部３４０は、ＨＤ選択情報Ｍ７２、高画質選択情報Ｍ７３、標準選択情報Ｍ７４、長時間選択情報Ｍ７５、画質比較時選択情報Ｍ７６、および、設定完了時選択情報Ｍ７７のうちいずれか１つに重畳させて、図示しないカーソルを表示させるとともに、制御部３５０の制御により、このカーソルを適宜移動させる。【０１０２】
さらに、画像合成部３４０は、画像処理部３３０からの記録調整画像データおよび記録未調整画像データと、制御部３５０からの設定記録条件情報と、を取得して、表示領域２１に、図１７に示すような第１の時分割比較用画像Ｊ３０と、図１８に示すような第２の時分割比較用画像Ｊ４０と、を適宜交互に切り替え表示させる。
これら第１，第２の時分割比較用画像Ｊ３０，Ｊ４０は、表示領域２１と略等しい大きさの第１，第２の記録設定画像Ｊ３１，Ｊ４１と、この第１，第２の記録設定画像Ｊ３１，Ｊ４１の左上側に表示され記録設定条件の名称を示す表示画像処理情報としての第１，第２の記録設定条件名称情報Ｊ３２，Ｊ４２と、を備えている。
第１の記録設定画像Ｊ３１は、記録未調整画像データに基づく記録未調整画像である。第２の記録設定画像は、記録調整画像データに基づく記録調整画像である。
第２の記録設定条件名称情報Ｊ４２は、記録設定情報に記録されたモードに対応する名称を表している。【０１０３】
なお、ここでは、第１，第２の記録設定画像Ｊ３１，Ｊ４１が、真円、正三角形、および、正方形の図形にて構成されているものを例示する。また、第１の記録設定条件名称情報Ｊ３２の「オリジナル」とは、記録未調整画像である旨を意味する。さらに、第１の記録設定画像Ｊ３１と比べて、第２の記録設定画像Ｊ４１に含まれる線に凹凸が存在するのは、長時間モードのため画質が悪くなっている状態を表している。【０１０４】
また、画像合成部３４０は、画像処理部３３０からの記録調整画像データおよび記録未調整画像データと、制御部３５０からの設定記録条件情報と、を取得して、図１９に示すように、表示領域２１に２画面比較用画像Ｎ２０を表示させる。
この２画面比較用画像Ｎ２０は、表示領域２１の左側に表示された第１の記録設定縮小画像Ｎ２１と、この第１の記録設定縮小画像Ｎ２１の左上側に表示された第１の記録設定条件名称情報Ｎ２２と、表示領域２１の右側に表示された第２の記録設定縮小画像Ｎ２３と、この第２の記録設定縮小画像Ｎ２３の左上側に表示された第２の記録設定条件名称情報Ｎ２４と、を備えている。
第１，第２の記録設定縮小画像Ｎ２１，Ｎ２３は、アスペクト比を変更せずに第１，第２の記録設定画像Ｊ３１、Ｊ４１を縮小したものである。また、第１，第２の記録設定画像Ｊ３１，Ｊ４１のそれぞれの一部を縮小することなく表示することもできる。【０１０５】
さらに、画像合成部３４０は、比較画面構成選択メニューＭ３０、比較方法選択メニューＭ４０、比較画像選択メニューＭ５０を表示させる。なお、比較画面構成選択メニューＭ３０、比較方法選択メニューＭ４０、比較画像選択メニューＭ５０の詳細な構成は、第１実施形態で説明しているので、ここでは説明を省略する。
画像合成部３４０は、制御部３５０の制御により、これらに表示される図示しないカーソルを適宜移動させる。【０１０６】
制御部３５０は、図１４に示すように、各種プログラムとして、記録条件設定方法認識手段３５１と、処理画像生成制御手段および選択処理認識手段としての比較画像生成制御手段３５２と、処理画像表示制御手段を構成する比較画像表示制御手段３５３と、通常設定制御手段３５４と、記録制御手段３５５と、などを備えている。【０１０７】
記録条件設定方法認識手段３５１は、例えば利用者による他処理操作ボタン３２Ｂの入力操作がされ、インターフェース部１２０から記録条件の設定を実施する旨の処理信号を取得すると、画像合成部３４０を制御して、記録条件設定方法選択メニューＭ６０を表示させる。そして、利用者による比較設定時選択情報Ｍ６２を選択する旨の入力操作、例えばカーソルが比較設定時選択情報Ｍ６２に重畳した状態で入力操作されたことを認識すると、その旨の比較設定信号を比較画像生成制御手段３５２および比較画像表示制御手段３５３へ出力する。一方、通常設定時選択情報Ｍ６３が選択された旨を認識すると、その旨の通常設定信号を通常設定制御手段３５４へ出力する。【０１０８】
比較画像生成制御手段３５２は、記録条件設定方法認識手段３５１から比較設定信号を取得すると、画像合成部３４０に、比較画像選択メニューＭ５０の表示処理を実施させる。そして、入力中画像選択情報Ｍ５２が選択された旨を認識すると、画像データ出力手段１１から出力中の出力画像データを画像処理部３３０へ出力する旨の第１の選択信号を第１のセレクタ３２０へ出力する。また、メモリ１画像選択情報Ｍ５３が選択された旨を認識すると、第１の画像メモリ２１０に記憶された画像データ出力手段１１からの出力画像データを画像処理部３３０へ出力する旨の第１の選択信号を第１のセレクタ３２０へ出力する。さらに、メモリ２画像選択情報Ｍ５４が選択された旨を認識すると。第２の画像メモリ２２０Ｂの基準画像データを画像処理部３３０へ出力する旨の第１の選択信号を第１のセレクタ３２０へ出力する。【０１０９】
また、比較画像生成制御手段３５２は、記録条件選択メニューＭ７０を適宜表示させ、所定の記録条件が選択された状態で画質比較時選択情報Ｍ７６が選択された旨を認識すると、この記録条件に関する設定記録条件情報をエンコーダ３３１へ出力するとともに、エンコーダ３３１からのエンコード処理画像データをデコーダ３３３へ出力する旨の第２の選択信号を第２のセレクタ３３２へ出力して、エンコーダ３３１からのエンコード処理画像データに基づき記録調整画像データを生成させる制御をする。さらに、設定記録条件情報を画像合成部３４０へ出力する。
一方、比較画像生成制御手段３５２は、記録条件選択メニューＭ７０の設定完了時選択情報Ｍ７７が選択された旨を認識すると、設定記録条件情報に対応する記録条件が利用者により選択されたと認識して、設定記録条件情報を記録制御手段３５５へ出力する。【０１１０】
比較画像表示制御手段３５３は、記録条件設定方法認識手段３５１から比較設定信号を取得すると、比較画面構成選択メニューＭ３０を表示させる。そして、比較画像表示制御手段３５３は、２画面比較時選択情報Ｍ３２が選択された旨を認識すると、画像合成部３４０に２画面比較用画像Ｎ２０の表示処理を実施させる。
一方、比較画像表示制御手段３５３は、時分割比較時選択情報Ｍ３３が選択された旨を認識すると、画像合成部３４０に第１の時分割比較用画像Ｊ３０の表示処理を実施させる。また、画像合成部３４０に比較方法選択メニューＭ４０の表示処理を適宜実施させる。そして、随時時分割比較時選択情報Ｍ４２が選択された旨を認識すると、切り替え表示が要求されたか否かを判断する。さらに、切り替え表示が要求された、すなわち画像切替操作ボタン３２Ａが入力操作されたと判断するごとに、画像合成部３４０に第１，第２の時分割比較用画像Ｊ３０，Ｊ４０の切り替え表示処理を実施させる。
一方、比較方法選択メニューＭ４０の繰り返し時分割比較時選択情報Ｍ４３が選択された旨を認識すると、例えば５秒ごとに、画像合成部３４０に第１，第２の時分割比較用画像Ｊ３０，Ｊ４０の切り替え表示処理を実施させる。【０１１１】
通常設定制御手段３５４は、記録条件設定方法認識手段３５１から通常設定信号を取得すると、例えば記録条件選択メニューＭ７０を表示させる。そして、設定入力に基づき設定記録条件情報を記録制御手段３５５へ出力する。【０１１２】
記録制御手段３５５は、出力画像データを利用者により選択された記録条件で記録媒体４２に記録させる処理をする。
具体的には、記録制御手段３５５は、出力画像データを記録する旨を認識すると、比較画像生成制御手段３５２や通常設定制御手段３５４から取得した設定記録条件情報をエンコーダ３３１へ出力する。そして、エンコーダ３３１で出力画像データをエンコード処理したエンコード処理画像データを記憶手段４０へ出力させ、記録媒体４２に記録させる、すなわち記憶手段４０に書き込む制御をする。【０１１３】
〔画像処理システムの動作〕
次に、画像処理システム１Ｃの動作について、図面を参照して説明する。
図２０は、記録条件設定処理を示すフローチャートである。図２１は、比較設定処理を示すフローチャートである。【０１１４】
まず、利用者は、記録条件設定方法選択メニューＭ６０を表示させる旨の要求を設定入力する。
画像処理システム１Ｃの画像処理装置３００は、この設定入力を認識すると、図２０に示すように、記録条件設定方法選択メニューＭ６０を表示させ（ステップＳ５１）、比較設定が選択されたか否かを判断する（ステップＳ５２）。
このステップＳ５２において、比較設定が選択されたと判断した場合、比較設定処理を実施して（ステップＳ５３）、処理を終了する。
一方、ステップＳ５２において、通常設定が選択されたと判断した場合、記録条件選択メニューＭ７０を表示させ、利用者の設定入力に基づき記録条件を設定して（ステップＳ５４）、設定を継続するか否かを判断する（ステップＳ５５）。
このステップＳ５５において、継続すると判断した場合、ステップＳ５４の処理を実施する。一方、ステップＳ５５において、終了すると判断した場合、このときの記録条件が利用者により設定されたと認識して、処理を終了する。【０１１５】
ステップＳ５３における比較設定処理では、画像処理装置３００は、図２１に示すように、比較画面構成選択メニューＭ３０を表示させ（ステップＳ６１）、２画面比較または時分割比較が選択された旨を認識する処理を選択比較画面構成の認識処理として実施する（ステップＳ６２）。そして、比較画像選択メニューＭ５０を表示させ（ステップＳ６３）、比較画像として出力画像、一時記憶画像、および、基準画像のうちいずれか１つが選択された旨を認識する（ステップＳ６４）。この後、時分割比較が選択されたか否かを判断する（ステップＳ６５）。
このステップＳ６５において、２画面比較が選択されたと判断された場合、２画面比較用画像Ｎ２０を表示させる（ステップＳ６６）。そして、記録条件選択メニューＭ７０を適宜表示させ、設定入力に基づいて、記録条件を認識する（ステップＳ６７）。この後、この認識内容に基づいて、第２の記録設定縮小画像Ｎ２３の記録条件設定処理を実施して（ステップＳ６８）、設定を継続するか否かを判断する（ステップＳ６９）。このステップＳ６９において、継続すると判断した場合、ステップＳ６７の処理を実施する。一方、ステップＳ６９において、終了すると判断した場合、このときの記録条件が利用者により設定されたと認識して、処理を終了する。【０１１６】
また、画像処理装置３００は、ステップＳ６５において、時分割比較が選択されたと判断した場合、第１の時分割比較用画像Ｊ３０を表示させる（ステップＳ７０）。そして、記録条件選択メニューＭ７０を適宜表示させ、設定入力に基づき記録条件を認識する（ステップＳ７１）。この後、比較方法選択メニューＭ４０を表示させ（ステップＳ７２）、随時時分割比較が選択されたか否かを判断する（ステップＳ７３）。【０１１７】
このステップＳ７３において、随時時分割比較が選択されたと判断した場合、リモコン３０の操作がされたか否かを判断する（ステップＳ７４）。そして、このステップＳ７４において、操作がされていないと判断した場合、ステップＳ７４の処理を実施する。一方、ステップＳ７４において、操作がされたと判断した場合、画像切替操作ボタン３２Ａが操作されたか否か、すなわち画像を切り替える操作か否かを判断する（ステップＳ７５）。
このステップＳ７５において、画像を切り替える操作であると判断した場合、表示中の画像を切り替える処理、例えば第１の時分割比較用画像Ｊ３０を第２の時分割比較用画像Ｊ４０に切り替える処理をして（ステップＳ７６）、ステップＳ７４の処理を実施する。
一方、ステップＳ７５において、画像を切り替える操作でないと判断した場合、設定を継続する操作か否かを判断する（ステップＳ７７）。このステップＳ７７において、継続する操作であると判断した場合、ステップＳ７１の処理を実施する。一方、ステップＳ７７において、終了する操作であると判断した場合、このときの記録条件が利用者により設定されたと認識して、処理を終了する。【０１１８】
また、ステップＳ７３において、繰り返し時分割比較が選択されたと判断した場合、リモコン３０の操作がされたか否かを判断する（ステップＳ７８）。そして、このステップＳ７８において、操作がされていると判断した場合、ステップＳ７７の処理を実施する。一方、ステップＳ７８において、操作がされていないと判断した場合、所定時間が経過したか否かを判断する（ステップＳ７９）。そして、ステップＳ７９において、所定時間が経過していないと判断した場合、ステップＳ７８の処理を実施する。また、ステップＳ７９において、所定時間が経過したと判断した場合、画像の切替処理を実施して（ステップＳ８０）、ステップＳ７８の処理を実施する。【０１１９】
〔第３実施形態の作用効果〕
上述したように、上記第３実施形態では、画像処理システム１Ｃの画像処理装置３００は、画像データ出力手段１１から出力画像データを取得して、エンコード処理を施した記録調整画像データと、エンコード処理を施していない記録未調整画像データと、を生成する。そして、記録調整画像データに基づく記録調整画像と、記録未調整画像データに基づく記録未調整画像と、を表示手段２０に表示させる。
このため、記録調整画像および記録未調整画像のそれぞれの全体を表示させるので、利用者に、その画像全体の状況を把握させつつエンコード処理条件が異なる状態を把握させることができる。したがって、利用者に画像のエンコード処理条件を適切に比較させることができる。【０１２０】
そして、記録未調整画像データに基づく第１の記録設定画像Ｊ３１を有する第１の時分割比較用画像Ｊ３０と、記録調整画像データに基づく第２の記録設定画像Ｊ４１を有する第２の時分割比較用画像Ｊ４０と、を表示手段２０の表示領域２１に交互に切り替えて表示させる。
このため、第１，第２の記録設定画像Ｊ３１，Ｊ４１の全体を縮小させずに表示させるので、エンコード処理条件が異なる画像を実際の大きさと同一の大きさで交互に利用者に視認させることができる。したがって、利用者に画像のエンコード処理条件をより適切に比較させることができる。【０１２１】
そして、利用者により随時時分割比較が選択されると、リモコン３０の入力操作に基づいて、第１，第２の時分割比較用画像Ｊ３０，Ｊ４０を切り替え表示させる。
このため、利用者が所望するタイミングで切り替え表示することができ、より適切に画像を比較させることができる。【０１２２】
さらに、リモコン３０に１つだけ設けられた画像切替操作ボタン３２Ａが入力操作されるごとに、第１，第２の時分割比較用画像Ｊ３０，Ｊ４０を切り替え表示させる。
このため、利用者に１つの画像切替操作ボタン３２Ａを入力操作させるだけで切り替え表示することができ、より容易に画像を比較させることができる。【０１２３】
また、利用者により繰り返し時分割比較が選択されると、所定時間間隔で第１，第２の時分割比較用画像Ｊ３０，Ｊ４０を切り替え表示させる。
このため、利用者に切り替え表示の操作をさせることなく切り替え表示することができ、より容易に画像を比較させることができる。【０１２４】
さらに、第１，第２の時分割比較用画像Ｊ３０，Ｊ４０に、第１，第２の記録設定画像Ｊ３１，Ｊ４１のエンコード処理条件を表す第１，第２の記録設定条件名称情報Ｊ３２，Ｊ４２を表示させる。
このため、エンコード処理が施された画像とともに、そのエンコード処理条件を表示させるので、２つの画像のエンコード処理条件の違いを容易に認識させることができ、さらに適切に画像を比較させることができる。【０１２５】
そして、記録未調整画像データに基づく第１の記録設定縮小画像Ｎ２１と、記録調整画像データに基づく第２の記録設定縮小画像Ｎ２３と、を有する２画面比較用画像Ｎ２０を表示させる。すなわち、エンコード処理条件が異なる２つの画像を表示領域２１に並べて表示させる。
このため、画像を切り替えることなく、エンコード処理条件が異なる画像を比較させることができる。【０１２６】
さらに、第１，第２の記録設定縮小画像Ｎ２１，Ｎ２３として、アスペクト比を変更せずに第１，第２の記録設定画像Ｊ３１，Ｊ４１を縮小したものを適用している。
このため、画像に表示されている各物体の形状がオリジナルのものに対して変形しない状態で表示されるので、エンコード処理条件が異なる画像をより適切に比較させることができる。また、第１，第２の記録設定画像Ｊ３１，Ｊ４１のそれぞれの一部を縮小することなく表示することもできる。【０１２７】
そして、エンコード処理を施した記録調整画像と、エンコード処理を施していない記録未調整画像と、比較可能な構成としている。
このため、出力画像データを記録媒体４２に記録、すなわち録画することによるオリジナルの画像の変化状態を認識させることができ、適切に記録条件を設定させることができる。【０１２８】
また、画像処理部３３０に、エンコーダ３３１と、デコーダ３３３と、取得した出力画像データをエンコード処理およびデコード処理に要する時間と等しい時間経過後に画像合成部３４０へ出力する遅延回路３３４と、を設けている。そして、第１のセレクタ３２０から、出力画像データなどを等しいタイミングでエンコーダ３３１および遅延回路３３４へ出力する。
このため、エンコーダ３３１およびデコーダ３３３により生成した記録調整画像データと、この記録調整画像データの生成に用いたものと同一の記録未調整画像データと、を同一のタイミングで画像合成部３４０へ出力することができる。したがって、出力画像、一時記憶画像、基準画像が動画であっても、記録調整画像と、記録未調整画像と、を同一の場面のものにすることができ、エンコード処理条件が異なる画像をさらに適切に比較させることができる。【０１２９】
画像処理装置３００に、画像データ出力手段１１からの出力画像データを記憶する第１の画像メモリ２１０を設け、この第１の画像メモリ２１０の出力画像データに基づいて、記録調整画像データや記録未調整画像データを生成している。
このため、利用者が例えば画像比較に適していると判断した出力画像データを第１の画像メモリ２１０に記憶させておくことができ、利用者が所望するタイミングで適切に画像を比較させることができる。【０１３０】
また、画像処理装置３００に、基準画像データを記憶する第２の画像メモリ２２０Ｂを設け、この基準画像データに基づいて、記録調整画像データや記録未調整画像データを生成している。
このため、基準画像データを用いることにより、記録調整画像および記録未調整画像におけるエンコード処理条件による差異を、より容易に認識させることができ、さらに適切に画像を比較させることができる。【０１３１】
そして、記録条件の設定終了後に、この設定された記録条件で、画像データ出力手段１１から出力される出力画像データに対するエンコード処理を実施して、エンコード処理画像データを記録媒体４２に記録させる。
このため、適切に画像を比較することにより設定された記録条件で、画像データ出力手段１１から連続的に出力される出力画像を録画することができる。【０１３２】
［第４実施形態］
次に、本発明に係る第４実施形態を図面に基づいて説明する。
なお、第１〜第３実施形態と同一の処理を実施する構成については、同一名称および同一符号を付し、説明を適宜省略する。また、第１〜第３実施形態と略等しい処理を実施する構成については、同一名称を付し、説明を適宜省略する。
図２２は、画像処理システムの概略構成を示すブロック図である。【０１３３】
〔画像処理システムの構成〕
図２２において、１Ｄは画像処理システムである。
この画像処理システム１Ｄは、画像データ出力手段１１と、表示手段２０と、リモコン３０と、記憶手段４０と、画像処理装置４００と、を備えている。【０１３４】
表示手段２０は、画像処理装置４００に接続され、画像処理装置４００からの後述する第１の処理画像データとしての第１の記録調整画像データに基づく画像（以下、第１の記録調整画像と称す）や第２の処理画像データとしての第２の記録調整画像データに基づく画像（以下、第２の記録調整画像と称す）を画面表示させる。【０１３５】
画像処理装置４００は、受光部１１０と、インターフェース部１２０と、第１の画像メモリ２１０と、第２の画像メモリ２２０Ｂと、記録条件メモリ３１０と、出力画像取得手段としての第１のセレクタ４２０と、処理画像生成手段としての画像処理部４３０と、画像表示制御装置および演算手段を構成する処理画像表示制御手段としての画像合成部４４０と、画像表示制御装置および演算手段としての制御部４５０と、などを備えている。【０１３６】
第１のセレクタ４２０の３個のデータ入力端子は、データ線を介して画像データ出力手段１１、第１の画像メモリ２１０、および、第２の画像メモリ２２０Ｂのデータ出力端子にそれぞれ接続されている。また、第１のセレクタ４２０の１個のデータ出力端子には、一端側が分岐したデータ線を介して画像処理部４３０の後述する第１のエンコーダ４３１のデータ入力端子と、画像処理部４３０の後述する第２のエンコーダ４３４のデータ入力端子と、に接続されている。さらに、第１のセレクタ４２０の制御信号入力端子は、制御線を介して制御部４５０の制御信号出力端子に接続されている。
この第１のセレクタ４２０は、画像データ出力手段１１からの出力画像データ、第１の画像メモリ２１０に記憶された出力画像データ、第２の画像メモリ２２０Ｂの基準画像データを、第１，第２のエンコーダ４３１，４３４へ略等しいタイミングで出力する処理をする。【０１３７】
画像処理部４３０は、第１のエンコーダ４３１と、第２のセレクタ４３２と、第１のデコーダ４３３と、第２のエンコーダ４３４と、第２のデコーダ４３５と、などを備えている。【０１３８】
第１のエンコーダ４３１のデータ出力端子は、一端側が分岐したデータ線を介して第２のセレクタ４３２のデータ入力端子と、記憶手段４０のデータ入力端子と、に接続されている。また、第１のエンコーダ４３１の制御信号入力端子は、制御線を介して制御部４５０の制御信号出力端子に接続されている。
この第１のエンコーダ４３１は、第１のセレクタ４２０から出力画像データや基準画像データを取得するとともに、制御部４５０から第１の設定記録条件情報を取得する。そして、この第１の設定記録条件情報に基づく状態で出力画像データや基準画像データをエンコード処理した第１のエンコード処理画像データを、第２のセレクタ４３２や記憶手段４０へ出力する。
なお、記憶手段４０へ出力されて書き込まれるエンコード処理画像データは、本発明の選択処理画像データに対応する。【０１３９】
第２のセレクタ４３２の２個のデータ入力端子は、データ線を介して第１のエンコーダ４３１のデータ出力端子と、記憶手段４０のデータ出力端子と、にそれぞれ接続されている。また、第２のセレクタ４３２のデータ出力端子は、データ線を介して第１のデコーダ４３３のデータ入力端子に接続されている。さらに、第２のセレクタ４３２の制御信号入力端子は、制御線を介して制御部４５０の制御信号出力端子に接続されている。
この第２のセレクタ４３２は、制御部４５０からの第２の選択信号に基づいて、第１のエンコーダ４３１および記憶手段４０のうちいずれか１つからのエンコード処理画像データを選択して、第１のデコーダ４３３へ出力する。【０１４０】
第１のデコーダ４３３のデータ出力端子は、データ線を介して画像合成部４４０のデータ入力端子に接続されている。
この第１のデコーダ４３３は、第２のセレクタ４３２を介して第１のエンコーダ４３１から第１のエンコード処理画像データを取得する。そして、デコード処理を施して、第１の記録調整画像データを生成して、画像合成部４４０へ出力する。【０１４１】
第２のエンコーダ４３４のデータ出力端子は、データ線を介して第２のデコーダ４３５のデータ入力端子に接続されている。また、第２のエンコーダ４３４の制御信号入力端子は、制御線を介して制御部４５０の制御信号出力端子に接続されている。
この第２のエンコーダ４３４は、第１のセレクタ４２０から出力画像データや基準画像データを取得するとともに、制御部４５０から第２の設定記録条件情報を取得すると、この第２の設定記録条件情報に基づく状態で出力画像データや基準画像データをエンコード処理した第２のエンコード処理画像データを、第２のデコーダ４３５へ出力する。【０１４２】
第２のデコーダ４３５のデータ出力端子は、画像合成部４４０のデータ入力端子に接続されている。
この第２のデコーダ４３５は、第２のエンコーダ４３４から第２のエンコード処理画像データを取得する。そして、デコード処理を施して、第２の記録調整画像データを生成して、画像合成部４４０へ出力する。【０１４３】
画像合成部４４０の２個のデータ入力端子は、データ線を介して第１のデコーダ４３３のデータ出力端子と、第２のデコーダ４３５のデータ出力端子と、にそれぞれ接続されている。また、画像合成部４４０のデータ出力端子は、データ線を介して表示手段２０のデータ入力端子に接続されている。さらに、画像合成部４４０の制御信号入力端子は、制御線を介して制御部４５０の制御信号出力端子に接続されている。
この画像合成部４４０は、比較画面構成選択メニューＭ３０、比較方法選択メニューＭ４０、比較画像選択メニューＭ５０、記録条件設定方法選択メニューＭ６０、記録条件選択メニューＭ７０を適宜表示させる。【０１４４】
また、画像合成部４４０は、画像処理部４３０からの第１，第２の記録調整画像データと、制御部４５０からの第１，第２の設定記録条件情報と、を取得して、第１の時分割比較用画像Ｊ３０と、第２の時分割比較用画像Ｊ４０と、を適宜交互に切り替え表示させる。また、２画面比較用画像Ｎ２０を表示させる。
なお、この第４実施形態では、第１，第２の時分割比較用画像Ｊ３０，Ｊ４０の第１，第２の記録設定画像Ｊ３１，Ｊ４１、および、２画面比較用画像Ｎ２０の第１，第２の記録設定縮小画像Ｎ２１，Ｎ２３として、第１，第２の記録調整画像データに基づく第１，第２の記録調整画像が表示される。また、第１の記録設定条件名称情報Ｊ３２，Ｎ２２、第２の記録設定条件名称情報Ｊ４２，Ｎ２４として、第１，第２の設定記録条件情報に基づく記録設定条件の名称がそれぞれ表示される。【０１４５】
制御部４５０は、各種プログラムとして、記録条件設定方法認識手段３５１と、処理画像生成制御手段および選択処理認識手段としての比較画像生成制御手段４５２と、比較画像表示制御手段３５３と、通常設定制御手段３５４と、記録制御手段４５５と、などを備えている。【０１４６】
比較画像生成制御手段４５２は、画像合成部４４０に、比較画像選択メニューＭ５０の表示処理を適宜実施させ、入力中画像選択情報Ｍ５２が選択された旨を認識すると、第１のセレクタ４２０に対して、出力中の出力画像データ、第１の画像メモリ２１０に記憶された出力画像データ、基準画像データのうちいずれかを画像処理部４３０へ出力する旨の第１の選択信号を出力する。
また、比較画像生成制御手段４５２は、記録条件選択メニューＭ７０を適宜表示させ、第１の記録条件が適宜選択された状態で画質比較時選択情報Ｍ７６が選択された旨を認識すると、第１の記録条件に関する第１の設定記録条件情報を第１のエンコーダ４３１へ出力するとともに、第１のエンコーダ４３１からのエンコード処理画像データを第１のデコーダ４３３へ出力する旨の第２の選択信号を第２のセレクタ４３２へ出力して、第１の記録調整画像データを生成させる制御をする。また、第２の記録条件が適宜選択された状態で画質比較時選択情報Ｍ７６が選択された旨を認識すると、第２の記録条件に関する第２の設定記録条件情報を第２のエンコーダ４３４へ出力して、第２の記録調整画像データを生成させる制御をする。さらに、第１，第２の設定記録条件情報を画像合成部４４０へ出力する。
また、比較画像生成制御手段４５２は、第１の記録条件または第２の記録条件が選択された状態で記録条件選択メニューＭ７０の設定完了時選択情報Ｍ７７が選択された旨を認識すると、この選択された記録条件に対応する第１，第２の設定記録条件情報のうちいずれか一方を記録制御手段４５５へ出力する。【０１４７】
記録制御手段４５５は、出力画像データを記録する旨を認識すると、比較画像生成制御手段４５２や通常設定制御手段３５４から取得した設定記録条件情報を第１のエンコーダ４３１へ出力する。そして、第２のセレクタ４３２を制御して、第１のエンコーダ４３１で出力画像データをエンコード処理したエンコード処理画像データを記憶手段４０へ出力させ、記録媒体４２に記録させる制御をする。【０１４８】
〔画像処理システムの動作〕
次に、画像処理システム１Ｄの動作について、図面を参照して説明する。
図２３は、比較設定処理を示すフローチャートである。
なお、この画像処理システム１Ｄは、第３実施形態の図２０のフローチャートに示す記録条件設定処理と同一の処理を実施し、ステップＳ５３における比較設定処理のみが第３実施形態と異なる。また、図２３における比較設定処理において、第３実施形態と同一の動作については、同一符号を付し説明を簡略にする。【０１４９】
画像処理システム１Ｄの画像処理装置４００は、図２０に示すようなステップＳ５１〜Ｓ５５の処理を実施する。
そして、ステップＳ５３における比較設定処理では、画像処理装置４００は、図２３に示すように、ステップＳ６１〜Ｓ６５の処理を実施する。この後、ステップＳ６５において、２画面比較が選択されたと判断された場合、ステップＳ６６の処理を実施して２画面比較用画像Ｎ２０を表示させる。そして、記録条件選択メニューＭ７０を適宜表示させ、設定入力に基づいて、第１，第２の記録条件を認識する（ステップＳ９１）。この後、これらの認識内容に基づいて、第１，第２の記録設定縮小画像Ｎ２１，Ｎ２３の記録条件設定処理を実施して（ステップＳ９２）、設定を継続するか否かを判断する（ステップＳ９３）。このステップＳ９３において、継続すると判断した場合、ステップＳ９１の処理を実施する。一方、ステップＳ９３において、利用者により記録条件が選択されて終了すると判断した場合、この記録条件が利用者により設定されたと認識して、処理を終了する。【０１５０】
また、ステップＳ６５において、時分割比較が選択されたと判断した場合、ステップＳ７０の処理を実施して第１の時分割比較用画像Ｊ３０を表示させる。そして、記録条件選択メニューＭ７０を適宜表示させ、第１，第２の記録条件を認識して（ステップＳ９４）、ステップＳ７２〜Ｓ７５の処理を実施する。
ステップＳ７５において、画像を切り替えると判断した場合、ステップＳ７６の処理を実施する。一方、ステップＳ７５において、画像を切り替えないと判断した場合、設定を継続するか否かを判断する（ステップＳ９５）。このステップＳ９５において、継続すると判断した場合、ステップＳ９４の処理を実施する。一方、ステップＳ９５において、利用者により記録条件が選択されて終了すると判断した場合、この記録条件が利用者により設定されたと認識して、処理を終了する。
また、ステップＳ７３において、繰り返し時分割比較が選択されたと判断した場合、ステップＳ７８〜Ｓ８０の処理を実施する。【０１５１】
〔第４実施形態の作用効果〕
上述したように、上記第４実施形態では、第３実施形態と同様の作用効果に加え、以下のような作用効果を奏することができる。【０１５２】
すなわち、画像処理装置４００は、第１の記録条件でエンコード処理を施した第１の記録調整画像データに基づく第１の記録調整画像と、第２の記録条件でエンコード処理を施した第２の記録調整画像データに基づく第２の記録調整画像と、を切り替えて表示、あるいは、並べて表示させる。
このため、２つの記録条件で録画した際の画像を比較させることができ、オリジナルの画像と１つの記録条件で録画した際の画像とを比較させる構成と比べて、より容易に記録条件の選択をさせることができる。【０１５３】
そして、画像処理装置４００に、第１，第２のエンコーダ４３１，４３４と、第１，第２のデコーダ４３３，４３５と、を設けている。そして、第１のセレクタ４２０から、出力画像データなどを等しいタイミングで第１，第２のエンコーダ４３１，４３４へ出力する。さらに、第１，第２のエンコーダ４３２，４３４における遅延時間、第１，第２のデコーダ４３３，４３５における遅延時間もそれぞれ等しくする。
このため、出力画像、一時記憶画像、基準画像が動画であっても、第１，第２の記録調整画像を同一の場面のものにすることができ、エンコード処理条件が異なる画像をさらに適切に比較させることができる。【０１５４】
［第５実施形態］
次に、本発明に係る第５実施形態を図面に基づいて説明する。
なお、第１〜第４実施形態と同一の処理を実施する構成については、同一名称および同一符号を付し、説明を適宜省略する。また、第１〜第４実施形態と略等しい処理を実施する構成については、同一名称を付し、説明を適宜省略する。
図２４は、画像処理システムの概略構成を示すブロック図である。
なお、この第５実施形態における記録条件設定処理および比較設定処理は、図２０および図２３に示す内容と同様なので、画像処理システムの動作については、説明を省略する。【０１５５】
〔画像処理システムの構成〕
図２４において、１Ｅは画像処理システムである。
この画像処理システム１Ｅは、画像データ出力手段１１と、表示手段２０と、リモコン３０と、記憶手段４０と、画像処理装置５００と、を備えている。
なお、この第５実施形態の画像処理装置５００は、第４実施形態の画像処理装置４００と異なる処理内容により、第１，第２の記録調整画像データを生成する。【０１５６】
画像処理装置５００は、受光部１１０と、インターフェース部１２０と、第１の画像メモリ２１０と、第２の画像メモリ２２０Ｂと、記録条件メモリ３１０と、出力画像取得手段としての第１のセレクタ５２０と、処理画像生成手段としての画像処理部５３０と、画像表示制御装置および演算手段を構成する処理画像表示制御手段としての画像合成部５４０と、画像表示制御装置および演算手段としての制御部５５０と、などを備えている。【０１５７】
第１のセレクタ５２０の３個のデータ入力端子は、データ線を介して画像データ出力手段１１、第１の画像メモリ２１０、および、第２の画像メモリ２２０Ｂのデータ出力端子にそれぞれ接続されている。また、第１のセレクタ５２０の１個のデータ出力端子には、データ線を介して画像処理部５３０の後述するエンコーダ５３１のデータ入力端子に接続されている。さらに、第１のセレクタ５２０の制御信号入力端子は、制御線を介して制御部５５０の制御信号出力端子に接続されている。
この第１のセレクタ５２０は、画像データ出力手段１１からの出力画像データ、第１の画像メモリ２１０に記憶された出力画像データ、第２の画像メモリ２２０Ｂの基準画像データを、エンコーダ５３１へ適宜出力する処理をする。【０１５８】
画像処理部５３０は、エンコーダ５３１と、第２のセレクタ５３２と、デコーダ５３３と、記憶出力処理手段としての第３の画像メモリ５３４と、などを備えている。【０１５９】
エンコーダ５３１のデータ出力端子は、一端側が分岐したデータ線を介して第２のセレクタ５３２のデータ入力端子と、記憶手段４０のデータ入力端子と、に接続されている。また、エンコーダ５３１の制御信号入力端子は、制御線を介して制御部５５０の制御信号出力端子に接続されている。
このエンコーダ５３１は、第１のセレクタ５２０から出力画像データや基準画像データを取得するとともに、制御部５５０から第１の設定記録条件情報を取得する。そして、第１の記録条件で出力画像データや基準画像データをエンコード処理した第１のエンコード処理画像データを、第２のセレクタ５３２や記憶手段４０へ出力する。また、制御部５５０から第１の設定記録条件情報と異なるタイミングで第２の設定記録条件情報を取得して、第２の記録条件に基づく第２のエンコード処理画像データを、第２のセレクタ５３２へ出力する。
なお、記憶手段４０へ出力されて書き込まれるエンコード処理画像データは、本発明の選択処理画像データに対応する。【０１６０】
第２のセレクタ５３２の２個のデータ入力端子は、データ線を介してエンコーダ５３１のデータ出力端子と、記憶手段４０のデータ出力端子と、にそれぞれ接続されている。また、第２のセレクタ５３２のデータ出力端子は、データ線を介してデコーダ５３３のデータ入力端子に接続されている。さらに、第２のセレクタ５３２の制御信号入力端子は、制御線を介して制御部５５０の制御信号出力端子に接続されている。
この第２のセレクタ５３２は、制御部５５０からの第２の選択信号に基づいて、エンコーダ５３１からの第１のエンコード処理画像データおよび記憶手段４０からのエンコード処理画像データのうちいずれか１つを選択して、デコーダ５３３へ出力する。また、第２のセレクタ５３２は、エンコーダ５３１からの第２のエンコード処理画像データをデコーダ５３３へ出力する。【０１６１】
デコーダ５３３のデータ出力端子は、一端が分岐したデータ線を介して第３の画像メモリ５３４のデータ入力端子と、画像合成部５４０のデータ入力端子と、に接続されている。
このデコーダ５３３は、第２のセレクタ５３２を介してエンコーダ５３１から第１のエンコード処理画像データを取得する。そして、デコード処理を施して、第１の記録調整画像データを生成して出力する。また、第２のセレクタ５３２から第１のエンコード処理画像データと異なるタイミングで第２のエンコード処理画像データを取得して、第２の記録調整画像データを生成して出力する。なお、これら第１，第２のエンコード処理画像データは、第３の画像メモリ５３４と、画像合成部５４０と、の両方へ出力される。
ここで、デコーダ５３３は、異なるタイミングで取得した第１，第２のエンコード処理画像データに基づいて第１，第２の記録調整画像データを生成する。このため、動画の出力画像が比較画像として選択された場合、第１，第２の記録調整画像は、異なる場面のものとなる場合がある。
一方、一時記憶画像や基準画像が比較画像として選択された場合、エンコーダ５３１は、第１，第２の画像メモリ２１０，２２０Ｂに記憶された同一の出力画像データや基準画像データを異なるタイミングで第１のセレクタ５２０から取得することができる。このため、一時記憶画像や基準画像が動画であっても、第１，第２の記録調整画像を、同一の場面のものにすることができる。【０１６２】
第３の画像メモリ５３４のデータ出力端子は、データ線を介して画像合成部５４０に接続されている。また、第３の画像メモリ５３４の制御信号入力端子は、制御線を介して制御部５５０の制御信号出力端子に接続されている。
この第３の画像メモリ５３４は、デコーダ５３３から第１の記録調整画像データを取得すると、制御部５５０の制御により、第１の記録調整画像データを記憶する。さらに、制御部５５０の制御により、記憶した第１の記録調整画像データを取得して、画像合成部５４０へ出力する。
なお、第３の画像メモリ５３４は、デコーダ５３３から第２の記録調整画像データが適宜入力されるが、この第２の記録調整画像データの記憶処理を実施しない。【０１６３】
画像合成部５４０の２個のデータ入力端子は、データ線を介してデコーダ５３３のデータ出力端子と、第３の画像メモリ５３４のデータ出力端子と、にそれぞれ接続されている。また、画像合成部５４０のデータ出力端子は、データ線を介して表示手段２０のデータ入力端子に接続されている。さらに、画像合成部５４０の制御信号入力端子は、制御線を介して制御部５５０の制御信号出力端子に接続されている。
この画像合成部５４０は、第３の画像メモリ５３４からの第１の記録調整画像データと、デコーダ５３３からの第２の記録調整画像データと、を取得して、第４実施形態の画像合成部４４０と同様の処理を実施する。すなわち、比較画面構成選択メニューＭ３０、比較方法選択メニューＭ４０、比較画像選択メニューＭ５０、記録条件設定方法選択メニューＭ６０、記録条件選択メニューＭ７０、第１の時分割比較用画像Ｊ３０、第２の時分割比較用画像Ｊ４０、２画面比較用画像Ｎ２０を適宜表示させる処理をする。
ここで、画像合成部５４０は、デコーダ５３３から直接的に第１の記録調整画像データが適宜入力されるが、この第１の記録調整画像データの表示処理を実施しない。つまり、画像合成部５４０は、第３の画像メモリ５３４から取得する第１の記録調整画像データと、デコーダ５３３から直接取得する第２の記録調整画像データと、に基づいて、第１の時分割比較用画像Ｊ３０、第２の時分割比較用画像Ｊ４０、２画面比較用画像Ｎ２０を表示させる。【０１６４】
制御部５５０は、各種プログラムとして、記録条件設定方法認識手段３５１と、処理画像生成制御手段および選択処理認識手段としての比較画像生成制御手段５５２と、比較画像表示制御手段３５３と、通常設定制御手段３５４と、記録制御手段３５５と、などを備えている。【０１６５】
比較画像生成制御手段５５２は、画像合成部５４０に、比較画像選択メニューＭ５０の表示処理を適宜実施させ、入力中画像選択情報Ｍ５２が選択された旨を認識すると、第１のセレクタ５２０に対して、出力中の出力画像データ、第１の画像メモリ２１０に記憶された出力画像データ、基準画像データのうちいずれかを画像処理部５３０へ出力する旨の第１の選択信号を出力する。
また、比較画像生成制御手段５５２は、記録条件選択メニューＭ７０を適宜表示させ、設定入力に基づいて、第１の設定記録条件情報をエンコーダ５３１へ出力する。さらに、エンコーダ５３１からの第１のエンコード処理画像データをデコーダ５３３へ出力する旨の第２の選択信号を第２のセレクタ５３２へ出力するとともに、第３の画像メモリ５３４を制御して、デコーダ５３３で生成された第１の記録調整画像データを第３の画像メモリ５３４に記憶させる。
さらに、比較画像生成制御手段５５２は、第２の設定記録条件情報をエンコーダ５３１へ出力するとともに、第２のセレクタ５３２を制御して、第２の記録調整画像データを生成させて画像合成部５４０へ出力させる。そして、第２の記録調整画像データを生成させるタイミングと略等しいタイミングで第３の画像メモリ５３４を制御して、第１の記録調整画像データを画像合成部５４０へ出力させる。さらに、第１，第２の設定記録条件情報を画像合成部５４０へ出力する。
このような制御により、画像合成部５４０にて、略等しいタイミングで第１，第２の記録調整画像データが取得される。
また、比較画像生成制御手段５５２は、第１の記録条件または第２の記録条件が選択された状態で記録条件選択メニューＭ７０の設定完了時選択情報Ｍ７７が選択された旨を認識すると、この選択された記録条件に対応する第１，第２の設定記録条件情報のうちいずれか一方を記録制御手段３５５へ出力する。【０１６６】
〔第５実施形態の作用効果〕
上述したように、上記第５実施形態では、第３，第４実施形態と同様の作用効果に加え、以下のような作用効果を奏することができる。【０１６７】
すなわち、画像処理装置５００に、エンコーダ５３１と、デコーダ５３３と、第３の画像メモリ５３４と、を設けている。そして、第３の画像メモリ５３４にて、エンコーダ５３１およびデコーダ５３３により生成された第１の記録調整画像データを記憶させ、この後に生成される第２の記録調整画像データを画像合成部５４０へ出力するとともに、第３の画像メモリ５３４に記憶させた第１の記録調整画像データも画像合成部５４０へ出力する。
このため、エンコード処理およびデコード処理を実施する構成をそれぞれ１つずつ設けるだけでよく、これらをそれぞれ２つずつ設ける第４実施形態の構成と比べて、構成の簡略化や低コスト化を図ることができる。【０１６８】
［第６実施形態］
次に、本発明に係る第６実施形態を図面に基づいて説明する。
なお、第１〜第５実施形態と同一の処理を実施する構成については、同一名称および同一符号を付し、説明を適宜省略する。また、第１〜第５実施形態と略等しい処理を実施する構成については、同一名称を付し、説明を適宜省略する。
図２５は、画像処理システムの概略構成を示すブロック図である。
なお、この第６実施形態における記録条件設定処理および比較設定処理は、図２０および図２３に示す内容と同様なので、画像処理システムの動作については、説明を省略する。【０１６９】
〔画像処理システムの構成〕
図２５において、１Ｆは画像処理システムである。
この画像処理システム１Ｆは、画像データ出力手段１１と、表示手段２０と、リモコン３０と、記憶手段４０と、画像処理装置６００と、を備えている。
なお、この第６実施形態の画像処理装置６００は、第４，第５実施形態の画像処理装置４００，５００と異なる処理内容により、第１，第２の記録調整画像データを生成する。【０１７０】
画像処理装置６００は、受光部１１０と、インターフェース部１２０と、第１の画像メモリ２１０と、第２の画像メモリ２２０Ｂと、記録条件メモリ３１０と、出力画像取得手段としての第１のセレクタ６２０と、処理画像生成手段としての画像処理部６３０と、画像表示制御装置および演算手段を構成する処理画像表示制御手段としての画像合成部６４０と、画像表示制御装置および演算手段としての制御部６５０と、などを備えている。【０１７１】
第１のセレクタ６２０の３個のデータ入力端子は、データ線を介して画像データ出力手段１１、第１の画像メモリ２１０、および、第２の画像メモリ２２０Ｂのデータ出力端子にそれぞれ接続されている。また、第１のセレクタ６２０の１個のデータ出力端子には、データ線を介して画像処理部６３０の後述するエンコーダ６３１のデータ入力端子に接続されている。さらに、第１のセレクタ６２０の制御信号入力端子は、制御線を介して制御部６５０の制御信号出力端子に接続されている。
この第１のセレクタ６２０は、画像データ出力手段１１からの出力画像データ、第１の画像メモリ２１０に記憶された出力画像データ、第２の画像メモリ２２０Ｂの基準画像データを、エンコーダ６３１へ適宜出力する処理をする。【０１７２】
画像処理部６３０は、エンコーダ６３１と、記憶出力処理手段としての第２のセレクタ６３２と、記憶出力処理手段としての第３の画像メモリ６３３と、第１のデコーダ６３４と、第２のデコーダ６３５と、などを備えている。【０１７３】
エンコーダ６３１のデータ出力端子は、一端側が分岐したデータ線を介して第２のセレクタ６３２のデータ入力端子と、記憶手段４０のデータ入力端子と、第３の画像メモリ６３３のデータ入力端子と、に接続されている。また、エンコーダ６３１の制御信号入力端子は、制御線を介して制御部６５０の制御信号出力端子に接続されている。
このエンコーダ６３１は、第１のセレクタ６２０から出力画像データや基準画像データを取得するとともに、制御部６５０から第１，第２の設定記録条件情報を異なるタイミングで取得する。そして、第１，第２の記録条件で出力画像データや基準画像データを異なるタイミングでエンコード処理した第１，第２のエンコード処理画像データを、異なるタイミングで第２のセレクタ６３２や第３の画像メモリ６３３へ出力する。また、第１のエンコード処理画像データを、記憶手段４０へ適宜出力する。
なお、記憶手段４０へ出力されて書き込まれるエンコード処理画像データは、本発明の選択処理画像データに対応する。【０１７４】
第２のセレクタ６３２の２個のデータ入力端子は、データ線を介してエンコーダ６３１のデータ出力端子と、記憶手段４０のデータ出力端子と、にそれぞれ接続されている。また、第２のセレクタ６３２のデータ出力端子は、データ線を介して第２のデコーダ６３５のデータ入力端子に接続されている。さらに、第２のセレクタ６３２の制御信号入力端子は、制御線を介して制御部６５０の制御信号出力端子に接続されている。
この第２のセレクタ６３２は、制御部６５０からの第２の選択信号に基づいて、エンコーダ６３１から第２のエンコード処理画像データを取得して、第２のデコーダ６３５へ出力する。さらに、第２のセレクタ６３２は、第２の選択信号に基づいて、記憶手段４０からのエンコード処理画像データを第２のデコーダ６３５へ出力する。
また、第２のセレクタ６３２は、制御部６５０の制御により、エンコーダ６３１から第１のエンコード処理画像データを取得しても、第２のデコーダ６３５への出力処理を実施しない。【０１７５】
第３の画像メモリ６３３のデータ出力端子は、データ線を介して第１のデコーダ６３４に接続されている。また、第３の画像メモリ６３３の制御信号入力端子は、制御線を介して制御部６５０の制御信号出力端子に接続されている。
この第３の画像メモリ６３３は、エンコーダ６３１から第１の記録調整画像データを取得すると、制御部６５０の制御により、第１の記録調整画像データを記憶する。さらに、制御部６５０の制御により、記憶した第１の記録調整画像データを取得して、第１のデコーダ６３４へ出力する。
なお、第３の画像メモリ６３３は、エンコーダ６３１から第２の記録調整画像データが適宜入力されるが、この第２の記録調整画像データの記憶処理を実施しない。【０１７６】
第１，第２のデコーダ６３４，６３５のデータ出力端子は、画像合成部６４０に設けられた２個のデータ入力端子にそれぞれ接続されている。
第１のデコーダ６３４は、第３の画像メモリ６３３から第１のエンコード処理画像データを取得して、第１の記録調整画像データを生成して、画像合成部６４０へ出力する。また、第２のデコーダ６３５は、第２のセレクタ６３２から第２のエンコード処理画像データを取得して、第２の記録調整画像データを生成して、画像合成部６４０へ出力する。
ここで、第１，第２のデコーダ６３４，６３５は、異なるタイミングでエンコードされた第１，第２のエンコード処理画像データに基づいて第１，第２の記録調整画像データを生成する。このため、動画の出力画像が比較画像として選択された場合、第１，第２の記録調整画像は、異なる場面のものとなる場合がある。
一方、一時記憶画像や基準画像が比較画像として選択された場合、エンコーダ６３１は、第１，第２の画像メモリ２１０，２２０Ｂに記憶された同一の出力画像データや基準画像データを異なるタイミングで第１のセレクタ６２０から取得することができるので、一時記憶画像や基準画像が動画であっても、第１，第２の記録調整画像を、同一の場面のものにすることができる。【０１７７】
画像合成部６４０の２個のデータ入力端子は、データ線を介して第１のデコーダ６３４のデータ出力端子と、第２のデコーダ６３４のデータ出力端子と、にそれぞれ接続されている。また、画像合成部６４０のデータ出力端子は、データ線を介して表示手段２０のデータ入力端子に接続されている。さらに、画像合成部６４０の制御信号入力端子は、制御線を介して制御部６５０の制御信号出力端子に接続されている。
この画像合成部６４０は、第１，第２のデコーダ６３４，６３５から第１，第２の記録調整画像データを取得して、第５実施形態の画像合成部５４０と同様の処理を実施する。すなわち、比較画面構成選択メニューＭ３０、比較方法選択メニューＭ４０、比較画像選択メニューＭ５０、記録条件設定方法選択メニューＭ６０、記録条件選択メニューＭ７０、第１の時分割比較用画像Ｊ３０、第２の時分割比較用画像Ｊ４０、２画面比較用画像Ｎ２０を適宜表示させる処理をする。【０１７８】
制御部６５０は、各種プログラムとして、記録条件設定方法認識手段３５１と、処理画像生成制御手段および選択処理認識手段としての比較画像生成制御手段６５２と、比較画像表示制御手段３５３と、通常設定制御手段３５４と、記録制御手段３５５と、などを備えている。【０１７９】
比較画像生成制御手段６５２は、画像合成部６４０に、比較画像選択メニューＭ５０の表示処理を適宜実施させ、入力中画像選択情報Ｍ５２が選択された旨を認識すると、第１のセレクタ６２０に対して、出力中の出力画像データ、第１の画像メモリ２１０に記憶された出力画像データ、基準画像データのうちいずれかを画像処理部６３０へ出力する旨の第１の選択信号を出力する。
また、比較画像生成制御手段６５２は、記録条件選択メニューＭ７０を適宜表示させ、設定入力に基づいて、第１の設定記録条件情報をエンコーダ６３１へ出力するとともに、エンコーダ６３１で生成された第１のエンコード処理画像データを第３の画像メモリ６３３に記憶させる。また、比較画像生成制御手段６５２は、第２の設定記録条件情報をエンコーダ６３１へ出力するとともに、エンコーダ６３１からの第２のエンコード処理画像データを第２のデコーダ６３５へ出力させる旨の第２の選択信号を第２のセレクタ６３２へ出力して、第２のデコーダ６３５で第２の記録調整画像データを生成させて画像合成部６４０へ出力させる。さらに、比較画像生成制御手段６５２は、第２の記録調整画像データを生成させるタイミングと略等しいタイミングで第３の画像メモリ６３３を制御して、第１のエンコード処理画像データを第１のデコーダ６３４へ出力させる。そして、第１のデコーダ６３４で第１の記録調整画像データを生成させて画像合成部６４０へ出力させる。
このような制御により、画像合成部６４０にて、略等しいタイミングで第１，第２の記録調整画像データが取得される。
また、比較画像生成制御手段６５２は、第１の記録条件または第２の記録条件が選択された状態で記録条件選択メニューＭ７０の設定完了時選択情報Ｍ７７が選択された旨を認識すると、この選択された記録条件に対応する第１，第２の設定記録条件情報のうちいずれか一方を記録制御手段３５５へ出力する。【０１８０】
〔第６実施形態の作用効果〕
上述したように、上記第６実施形態では、第３，第４実施形態と同様の作用効果に加え、以下のような作用効果を奏することができる。【０１８１】
すなわち、画像処理装置６００に、エンコーダ６３１と、第２のセレクタ６３２と、第３の画像メモリ６３３と、第１のデコーダ６３４と、第２のデコーダ６３５と、を設けている。そして、エンコーダ６３１により生成された第１のエンコード処理画像データを第３の画像メモリ６３３に記憶させ、この後に生成される第２のエンコード処理画像データを第２のデコーダ６３５へ出力するとともに、第３の画像メモリ６３３に記憶させた第１のエンコード処理画像データを第１のデコーダ６３４へ出力する。
このため、エンコード処理を実施する構成を１つ設けるだけでよく、これを２つ設ける第４実施形態の構成と比べて、構成の簡略化や低コスト化を図ることができる。【０１８２】
［第７実施形態］
次に、本発明に係る第７実施形態を図面に基づいて説明する。
なお、第１〜第６実施形態と同一の処理を実施する構成については、同一名称および同一符号を付し、説明を適宜省略する。また、第１〜第６実施形態と略等しい処理を実施する構成については、同一名称を付し、説明を適宜省略する。
図２６は、画像処理システムの概略構成を示すブロック図である。図２７は、劣化シミュレータの概略構成を示す模式図である。図２８は、劣化モード選択メニューの概略構成を示す模式図である。【０１８３】
〔画像処理システムの構成〕
図２６において、１Ｇは画像処理システムである。
この画像処理システム１Ｇは、画像データ出力手段１１と、表示手段２０と、リモコン３０と、記憶手段４０と、画像処理装置７００と、を備えている。
なお、この第７実施形態の画像処理装置７００は、第４〜第６実施形態の画像処理装置４００，５００，６００と異なる処理内容により、第１，第２の記録調整画像データを生成する。【０１８４】
画像処理装置７００は、受光部１１０と、インターフェース部１２０と、第１の画像メモリ２１０と、第２の画像メモリ２２０Ｂと、記録条件メモリ３１０と、出力画像取得手段としての第１のセレクタ７２０と、処理画像生成手段としての画像処理部７３０と、画像表示制御装置および演算手段を構成する処理画像表示制御手段としての画像合成部７４０と、画像表示制御装置および演算手段としての制御部７５０と、などを備えている。【０１８５】
第１のセレクタ７２０の３個のデータ入力端子は、データ線を介して画像データ出力手段１１、第１の画像メモリ２１０、および、第２の画像メモリ２２０Ｂのデータ出力端子にそれぞれ接続されている。また、第１のセレクタ７２０の１個のデータ出力端子には、一端側が分岐したデータ線を介して画像処理部７３０の後述するエンコーダ６３１のデータ入力端子と、遅延回路７３５のデータ入力端子と、に接続されている。さらに、第１のセレクタ７２０の制御信号入力端子は、制御線を介して制御部７５０の制御信号出力端子に接続されている。
この第１のセレクタ７２０は、制御部７５０から第１の選択信号に基づいて、画像データ出力手段１１からの出力画像データ、第１の画像メモリ２１０の出力画像データ、第２の画像メモリ２２０Ｂの基準画像データのうちいずれか１つからの画像データを選択して、エンコーダ７３１および遅延回路７３５へ等しいタイミングで出力する処理を実施する。【０１８６】
画像処理部７３０は、エンコーダ７３１と、第２のセレクタ７３２と、劣化シミュレータ７３３と、デコーダ７３４と、遅延手段としての遅延回路７３５と、などを備えている。【０１８７】
エンコーダ７３１の１個のデータ出力端子は、一端側が分岐したデータ線を介して第２のセレクタ７３２のデータ入力端子と、記憶手段４０のデータ入力端子と、に接続されている。また、エンコーダ７３１の制御信号入力端子は、制御線を介して制御部７５０の制御信号出力端子に接続されている。
このエンコーダ７３１は、第１のセレクタ７２０から出力画像データや基準画像データを取得するとともに、制御部７５０から設定記録条件情報を取得すると、第１のエンコード処理画像データを生成して、第２のセレクタ７３２や記憶手段４０へ出力する。
なお、記憶手段４０へ出力されて書き込まれるエンコード処理画像データは、本発明の選択処理画像データに対応する。【０１８８】
第２のセレクタ７３２の２個のデータ入力端子は、データ線を介してエンコーダ７３１のデータ出力端子と、記憶手段４０のデータ出力端子と、にそれぞれ接続されている。また、第２のセレクタ７３２のデータ出力端子は、データ線を介して劣化シミュレータ７３３のデータ入力端子に接続されている。さらに、第２のセレクタ７３２の制御信号入力端子は、制御線を介して制御部７５０の制御信号出力端子に接続されている。
この第２のセレクタ７３２は、制御部７５０からの第２の選択信号に基づいて、エンコーダ７３１および記憶手段４０のうちいずれか１つからのエンコード処理画像データを選択して、劣化シミュレータ７３３へ出力する。【０１８９】
劣化シミュレータ７３３のデータ出力端子は、データ線を介してデコーダ７３４のデータ入力端子に接続されている。また、劣化シミュレータ７３３の制御信号入力端子は、制御線を介して制御部７５０の制御信号出力端子に接続されている。そして、劣化シミュレータ７３３は、図２７に示すように、記録媒体劣化特性メモリ７３３Ａと、ノイズ発生部７３３Ｂと、ノイズ合成部７３３Ｃと、などを備えている。【０１９０】
記録媒体劣化特性メモリ７３３Ａには、複数の劣化特性情報が適宜読み出し可能に記憶されている。
この劣化特性情報には、記録媒体４２を常温常湿条件、高温高湿条件でそれぞれ１年、３年、５年、１０年保管した際における、記録媒体４２の劣化特性に関する情報が記録されている。具体的には、劣化特性情報には、記録媒体４２に記録されたエンコード処理画像データを構成する「０」、「１」が、保管する環境や期間に対応して、どのように劣化するかに関する情報が記録されている。
なお、劣化特性情報としては、あらかじめ実験などにより調査した内容を記録ことが好ましい。【０１９１】
ノイズ発生部７３３Ｂは、制御部７５０から利用者により選択された保管環境および保管期間に関する経年劣化条件情報を取得して、この経年劣化条件情報に対応する劣化特性情報を記録媒体劣化特性メモリ７３３Ａから取得する。そして、この劣化特性情報に対応するノイズをノイズ合成部７３３Ｃへ出力する。
ここで、ノイズ発生部７３３Ｂは、ランダムにある特定の発生確率によりデータの「０」、「１」を変化させるノイズ（以下、ホワイトノイズと称す）、特定の部分のデータの「０」、「１」を変化させるノイズ（以下、バーストノイズ）、あるいは、ホワイトノイズおよびバーストノイズの両方をノイズ合成部７３３Ｃへ出力する。【０１９２】
ノイズ合成部７３３Ｃは、第２のセレクタ７３２からエンコード処理画像データを取得するとともに、ノイズ発生部７３３Ｂからノイズを取得すると、エンコード処理画像データにノイズを発生させて、デコーダ７３４へ出力する。このノイズを発生させたエンコード処理画像データに基づいて、記録媒体４２の劣化に伴い発生する画像の劣化状態を反映させた記録調整画像が表示される。【０１９３】
また、劣化シミュレータ７３３は、適宜ノイズを発生させないエンコード処理画像データをデコーダ７３４へ出力する。【０１９４】
デコーダ７３４のデータ出力端子は、データ線を介して画像合成部７４０のデータ入力端子に接続されている。
このデコーダ７３４は、劣化シミュレータ７３３から適宜ノイズを発生させたエンコード処理画像データを取得する。そして、このエンコード処理画像データに基づく記録調整画像データを画像合成部７４０へ出力する。【０１９５】
遅延回路７３５のデータ出力端子は、データ線を介して画像合成部７４０のデータ入力端子に接続されている。
この遅延回路７３５は、第１のセレクタ７２０から出力画像データなどを取得すると、記録未調整画像データとして、エンコーダ７３１、劣化シミュレータ７３３、および、デコーダ７３４における各処理に要する時間と等しい時間経過後に画像合成部７４０へ出力する。【０１９６】
画像合成部７４０の２個のデータ入力端子は、データ線を介してデコーダ７３４のデータ出力端子と、遅延回路７３５のデータ出力端子と、にそれぞれ接続されている。また、画像合成部７４０のデータ出力端子は、データ線を介して表示手段２０のデータ入力端子に接続されている。さらに、画像合成部７４０の制御信号入力端子は、制御線を介して制御部７５０の制御信号出力端子に接続されている。
この画像合成部７４０は、制御部７５０により制御され、図２８に示すように、表示領域２１に劣化モード選択メニューＭ８０を表示させる。この劣化モード選択メニューＭ８０は、上下方向に並んで配置された、メニュー内容情報Ｍ８１と、常温常湿で１，３，５，１０年経過したモードに設定する際に選択される第１，第２，第３，第４の劣化選択情報Ｍ８２，Ｍ８３，Ｍ８４，Ｍ８５と、高温高湿で１，３，５，１０年経過したモードに設定する際に選択される第５，第６，第７，第８の劣化選択情報Ｍ８６，Ｍ８７，Ｍ８８，Ｍ８９と、を備えている。
画像合成部７４０は、第１〜第８の劣化選択情報Ｍ８２〜Ｍ８９のうちいずれか１つに重畳させて、図示しないカーソルを表示させるとともに、制御部７５０の制御により、このカーソルを適宜移動させる。【０１９７】
また、画像合成部７４０は、比較画面構成選択メニューＭ３０、比較方法選択メニューＭ４０、比較画像選択メニューＭ５０、記録条件設定方法選択メニューＭ６０、記録条件選択メニューＭ７０を適宜表示させる。さらに、画像処理部７３０からの記録調整画像データおよび記録未調整画像データを取得して、第１の時分割比較用画像Ｊ３０、第２の時分割比較用画像Ｊ４０、２画面比較用画像Ｎ２０を適宜表示させる処理をする。【０１９８】
制御部７５０は、各種プログラムとして、記録条件設定方法認識手段３５１と、処理画像生成制御手段および選択処理認識手段としての比較画像生成制御手段７５２と、比較画像表示制御手段３５３と、通常設定制御手段３５４と、記録制御手段３５５と、などを備えている。【０１９９】
比較画像生成制御手段７５２は、画像合成部７４０に、比較画像選択メニューＭ５０の表示処理を適宜実施させ、入力中画像選択情報Ｍ５２が選択された旨を認識すると、第１のセレクタ７２０に対して、出力中の出力画像データ、第１の画像メモリ２１０に記憶された出力画像データ、基準画像データのうちいずれかを画像処理部７３０へ出力する旨の第１の選択信号を出力する。
また、比較画像生成制御手段７５２は、劣化モード選択メニューＭ８０を適宜表示させ、設定入力に基づいて、利用者により選択された保管環境および保管期間、すなわち経年劣化条件に関する経年劣化条件情報を劣化シミュレータ７３３へ出力する。【０２００】
さらに、比較画像生成制御手段７５２は、記録条件選択メニューＭ７０を適宜表示させ、設定入力に基づいて、設定記録条件情報をエンコーダ７３１へ出力するとともに、エンコーダ７３１からのエンコード処理画像データを劣化シミュレータ７３３へ出力する旨の第２の選択信号を第２のセレクタ７３２へ出力して、劣化シミュレータ７３３、デコーダ７３４に適宜ノイズを発生させた記録調整画像データを生成させて画像合成部７４０へ出力させる。さらに、設定記録条件情報を画像合成部７４０へ出力する。
また、比較画像生成制御手段７５２は、記録条件選択メニューＭ７０の設定完了時選択情報Ｍ７７が選択された旨を認識すると、設定記録条件情報に対応する記録条件が利用者により選択されたと認識して、この設定記録条件情報を記録制御手段３５５へ出力する。【０２０１】
〔画像処理システムの動作〕
次に、画像処理システム１Ｇの動作について、図面を参照して説明する。
図２９は、比較設定処理を示すフローチャートである。
なお、この画像処理システム１Ｇは、第３実施形態の図２０のフローチャートに示す記録条件設定処理と同一の処理を実施し、ステップＳ５３における比較設定処理のみが第３実施形態と異なる。また、図２９における比較設定処理において、第３〜第７実施形態と同一の動作については、同一符号を付し説明を簡略にする。【０２０２】
画像処理システム１Ｇの画像処理装置７００は、図２０に示すようなステップＳ５１〜Ｓ５５の処理を実施する。
そして、ステップＳ５３における比較設定処理では、画像処理装置７００は、図２９に示すように、ステップＳ６１〜Ｓ６６の処理を実施すると、劣化モード選択メニューＭ８０を表示させて、利用者により設定入力された経年劣化条件を認識する（ステップＳ１０１）。そして、ステップＳ６７，Ｓ６８の処理を実施して、ノイズを発生させた第２の記録設定縮小画像Ｎ２３を表示させ、ステップＳ６９の処理を実施する。
また、画像処理装置７００は、ステップＳ７０の処理を実施すると、劣化モード選択メニューＭ８０を表示させて、利用者により設定入力された経年劣化条件を認識する（ステップＳ１０２）。この後、ステップＳ７１〜Ｓ８０の処理を実施して、ノイズを発生させた第２の時分割比較用画像Ｊ４０を適宜表示させる。【０２０３】
〔第７実施形態の作用効果〕
上述したように、上記第７実施形態では、第３実施形態と同様の作用効果に加え、以下のような作用効果を奏することができる。【０２０４】
すなわち、画像処理部７３０に、記録媒体４２の保管状態に対応するノイズをエンコード処理画像データに発生させる劣化シミュレータ７３３を設けている。
このため、ノイズを発生させたエンコード処理画像データに基づいて、記録媒体４２の劣化に伴い発生する画像の劣化状態を反映させた記録調整画像を表示させることができ、さらに適切に記録条件を設定させることができる。【０２０５】
［第８実施形態］
次に、本発明に係る第８実施形態を図面に基づいて説明する。
この第８実施形態では、本発明の画像表示制御装置および画像処理装置を備えた画像処理システムであって、処理としての画質調整処理の条件が異なる２つの画像を表示させる構成を例示して説明する。具体的には、第１実施形態における画質調整処理に加えて、動き補正をさらに実施可能な構成を例示して説明する。
なお、画像としては、動画が対象である。また、画像処理システムの動作については、第１実施形態と同様なので説明を省略する。
図３０は、画像処理システムの概略構成を示すブロック図である。【０２０６】
〔画像処理システムの構成〕
図３０において、１Ｈは画像処理システムである。
この画像処理システム１Ｈは、画像処理装置８００のみが第１実施形態の画像処理システム１Ａと異なる構成を有している。また、画像処理装置８００は、出力画像取得手段としても機能する処理画像生成手段としての画像処理部８４０と、画像表示制御装置および演算手段としての制御部８６０と、のみが画像処理装置１００と異なる構成を有している。【０２０７】
画像処理部８４０は、調整用画像データ取得手段１４１と、コントラスト調整手段１４２と、明るさ調整手段１４３と、濃さ調整手段１４４と、色合い調整手段１４５と、シャープネス調整手段１４６と、動き補正手段８４７と、ブロックノイズ軽減手段８４８と、モスキートノイズ軽減手段８４９と、を備えている。
動き補正手段８４７は、制御部８６０の制御により、複数の出力画像データに基づいて、出力画像の動き補正処理を実施する。
ブロックノイズ軽減手段８４８は、制御部８６０の制御により、ブロックノイズが発生するブロック境界にノイズ軽減フィルタを施すことにより、ブロック単位コーディングされた出力画像データをデコードした出力画像のブロックノイズの軽減処理を実施する。
モスキートノイズ軽減手段８４９は、画像信号の信号レベルがあらかじめ定められた信号レベル以下の部分の信号を、信号がゼロの部分と見なすコアリング技術を施すことにより、ブロック単位コーディングされた出力画像データをデコードした出力画像のモスキートノイズの軽減処理を実施する。【０２０８】
制御部８６０は、処理画像生成制御手段および選択処理認識手段としての比較画像生成制御手段８６２のみが制御部１６０と異なる構成を有している。
比較画像生成制御手段８６２は、比較画像生成制御手段１６２と同様の処理に加えて、以下のような処理を実施する。すなわち、利用者により所定の条件で動き補正処理、ブロックノイズ軽減処理、モスキートノイズ軽減処理のうちのいずれかを施す旨が選択されるとともに、画質比較時選択情報Ｍ２３が選択されると、選択された動き補正処理、ブロックノイズ軽減処理、モスキートノイズ軽減処理のいずれかを実施する旨および調整状態図形Ｍ２２Ｃの位置に対応する調整値を第２の画質調整条件情報に記録する。そして、画像処理部８４０へ出力して、選択された処理が施された第２の画質調整画像データを生成させる。
また、調整完了時選択情報Ｍ２４が選択されると、第１の画質調整条件情報の内容を第２の画質調整条件情報の内容に更新する。【０２０９】
〔第８実施形態の作用効果〕
上述したように、上記第８実施形態では、第１実施形態と同様の作用効果に加え、以下のような作用効果を奏することができる。【０２１０】
すなわち、画質調整処理に加えて、選択された動き補正処理、ブロックノイズ軽減処理、モスキートノイズ軽減処理のいずれかの処理を適宜施した第２の画質調整画像を、比較対象として適用可能な構成としている。
このため、動き補正処理が選択された場合、出力画像間の動きが早い場合であっても、動き補正を施すことにより、より適切に調整された画像を比較して選択することができる。
また、ブロックノイズ軽減処理が選択された場合、ＭＰＥＧ圧縮に伴うブロックノイズが目立つ場合であっても、ブロックノイズ軽減処理を施すことにより、より適切に調整された画像を比較して選択することができる。
さらに、モスキートノイズ軽減処理が選択された場合、ＭＰＥＧ圧縮に伴うモスキートノイズが目立つ場合であっても、モスキートノイズ軽減処理を施すことにより、より適切に調整された画像を比較して選択することができる。
なお、動き補正処理、ブロックノイズ軽減処理、モスキートノイズ軽減処理の全てを施す構成としてもよい。特に、圧縮率が高い場合、この３個の処理を適宜施すことが望ましい。【０２１１】
［第９実施形態］
次に、本発明に係る第９実施形態を図面に基づいて説明する。
この第９実施形態では、本発明の画像処理システムであって、処理としての画像データのエンコード処理、および、画質調整処理の条件が異なる２つの画像を表示させる構成を例示して説明する。つまり、第３実施形態では、エンコード処理条件のみが異なる画像を表示させているのに対し、第９実施形態では、エンコード処理条件、画質調整処理条件が異なる画像を表示させる。
なお、画像としては、静止画、動画のいずれを対象としてもよい。
また、第３実施形態と同一の処理を実施する構成については、同一名称および同一符号を付し、説明を適宜省略する。また、第３実施形態と略等しい処理を実施する構成については、同一名称を付し、説明を適宜省略する。
図３１は、画像処理システムの概略構成を示すブロック図である。【０２１２】
図３１において、１Ｉは画像処理システムである。
この画像処理システム１Ｉは、画像処理装置９００のみが第３実施形態の画像処理システム１Ｃと異なる構成を有している。また、画像処理装置９００は、記録条件メモリ９１０と、処理画像生成手段としての画像処理部９３０と、画像表示制御装置および演算手段を構成する処理画像表示制御手段としての画像合成部９４０と、画像表示制御装置および演算手段としての制御部９５０と、のみが画像処理装置３００と異なる構成を有している。【０２１３】
記録条件メモリ９１０には、第３実施形態の記録条件メモリ３１０と同様に、ＨＤ条件情報、高画質条件情報、標準条件情報、長時間条件情報が適宜読み出し可能に記憶されている。また、記録条件メモリ９１０には、出力画像データをＨＤモード、高画質モード、標準モード、長時間モードでそれぞれ記録された画像データを読み出してデコードする際における画質調整条件がそれぞれ記録された、ＨＤ調整条件情報、高画質調整条件情報、標準調整条件情報、長時間調整条件情報が記録されている。さらに、圧縮しない条件における画質調整条件が記録された未圧縮調整条件情報が記録されている。
ここで、ＨＤ調整条件情報、高画質調整条件情報、標準調整条件情報、長時間調整条件情報、未圧縮調整条件情報には、画像処理部９３０で調整可能なコントラスト、明るさ、濃さ、色合い、シャープネス、動き補正、ブロックノイズ軽減、モスキートノイズ軽減の調整値が記録されている。
例えば、長時間調整条件情報には、長時間条件情報に基づき長時間モードで記録された画像データを読み出してデコードする際には、画質調整処理としてシャープネス調整を施す旨が記録されている。また、ＨＤ調整条件情報には、ＨＤモードで記録された画像データを読み出してデコードする際のシャープネス調整の設定値が記録されている。
これは、以下のような理由からである。すなわち、長時間モードでは圧縮率が高いため、オリジナル画像に比べて高周波数成分が劣化し、画像がぼけることがある。この場合、シャープネス調整により、高周波成分を強調するような画質調整が有効になるためである。また、ＨＤモードでは圧縮率が低いため、シャープネス調整を施すと、かえってノイズ成分を目立たせるおそれがあるからである。
また、シャープネス調整と同様に、記録モード、すなわちＨＤモード、高画質モード、標準モード、長時間モードの別により、つまり圧縮率に対応してブロックノイズ軽減、モスキートノイズ軽減のそれぞれの設定値も記録条件メモリ９１０に記録されている。すなわち、記録モードに対応する一般的に最適な画質調整条件の情報が記録条件メモリ９１０に記録されている。
一般的には、圧縮率が高いほどブロックノイズ、モスキートノイズが目立つようになるため、圧縮率が高いほどブロックノイズ軽減、モスキートノイズ軽減のそれぞれの設定を高くする方が、すなわちノイズ軽減を強くする方が適している。
記録モードが設定されると、記録条件メモリ９１０に記録モードに対応する画質調整条件に関する情報は、記録条件メモリ９１０にデフォルトとして記録される。【０２１４】
画像処理部９３０は、エンコーダ３３１と、第２のセレクタ３３２と、デコーダ３３３と、遅延回路３３４と、第３のセレクタ９３５と、処理画像生成手段としての画質調整手段９３６と、などを備えている。
デコーダ３３３および遅延回路３３４のデータ出力端子は、第３のセレクタ９３５のデータ入力端子にそれぞれ接続されている。【０２１５】
第３のセレクタ９３５のデータ出力端子は、データ線を介して画質調整手段９３６のデータ入力端子に接続されている。また、第３のセレクタ９３５の制御信号入力端子は、制御線を介して制御部９５０の制御信号出力端子に接続されている。
そして、第３のセレクタ９３５は、制御部９５０により制御され、デコーダ３３３および遅延回路３３４からの出力画像データを、異なるタイミングで画質調整手段９３６へ出力する。【０２１６】
画質調整手段９３６のデータ出力端子は、データ線を介して画像合成部９４０のデータ入力端子に接続されている。また、画質調整手段９３６の制御信号入力端子は、制御線を介して制御部９５０の制御信号出力端子に接続されている。
そして、画質調整手段９３６は、制御部９５０の制御により、デコーダ３３３から出力される記録調整画像データに対して、エンコード処理に対応するコントラスト、明るさ、濃さ、色合い、シャープネス、動き補正、ブロックノイズ軽減、モスキートノイズ軽減などの画質調整処理を適宜施して、第２の記録画質調整画像データとして、画像合成部９４０へ出力する。同様に、遅延回路３３４から出力される画像データに対しても、制御部９５０の制御により、コントラスト、明るさ、濃さ、色合い、シャープネス、動き補正、ブロックノイズ軽減、モスキートノイズ軽減などの画質調整処理を適宜施して、第１の記録画質調整画像データとして、画像合成部９４０へ出力する。
画質調整以前のＨＤ調整条件情報、高画質調整条件情報、標準調整条件情報、長時間調整条件情報には、あらかじめ設定された画質調整に関する設定値が記録されているが、上述したように、記録モードが設定されたときに、この記録モードに対応する画質調整の設定値を記録条件メモリ９１０にデフォルトとして記録する構成としてもよい。【０２１７】
画像合成部９４０は、記録条件設定方法選択メニューＭ６０、記録条件選択メニューＭ７０、画質調整メニューＭ２０、比較画面構成選択メニューＭ３０、比較方法選択メニューＭ４０、比較画像選択メニューＭ５０を適宜表示させる。
また、画像合成部９４０は、画像処理部９３０からの第２の記録画質調整画像データおよび第２の記録画質調整画像データと、制御部９５０からの設定記録条件情報と、圧縮しない条件に対応する第１の画質調整条件情報と、設定記録条件情報の記録モードに対応する第２の画質調整条件情報と、を取得して、図１７に示すような第１の記録画質調整画像データに基づく第１の時分割比較用画像Ｊ３０と、図１８に示すような第２の記録画質調整画像データに基づく第２の時分割比較用画像Ｊ４０と、同様の画像を適宜交互に切り替え表示させる。あるいは、図１９に示すような２画面比較用画像Ｎ２０と同様の画像を表示させる。
つまり、エンコード処理、および、このエンコード処理に対応する画質調整処理が施された画像と、エンコード処理が施されおらずかつ、これに対応する画質調整処理が適宜施されている画像と、を表示させる。
なお、第１，第２の時分割比較用画像Ｊ３０，Ｊ４０、２画面比較用画像Ｎ２０に、画質調整条件を表す、第１実施形態の第１の調整状態情報Ｊ１３と同様の情報を表示させてもよい。【０２１８】
制御部９５０は、処理画像生成制御手段および選択処理認識手段としての比較画像生成制御手段９５２と、記録制御手段９５５と、のみが制御部３５０と異なる構成を有している。【０２１９】
比較画像生成制御手段９５２は、記録条件選択メニューＭ７０を表示させて、所定の記録条件が選択された状態で画質比較時選択情報Ｍ７６が選択された旨を認識すると、この記録条件に関する設定記録条件情報をエンコーダ３３１へ出力するとともに、第２の選択信号を第２のセレクタ３３２へ出力する。また、デコーダ３３３および遅延回路３３４からの出力画像データを、異なるタイミングで画質調整手段９３６へ出力する旨の第３の選択信号を第３のセレクタへ出力する。
さらに、選択された記録条件に基づいて、ＨＤ調整条件情報、高画質調整条件情報、標準調整条件情報、長時間調整条件情報のうちのいずれか１つの情報を第２の画質調整条件情報として、画像合成部９４０へ出力する。そして、この画質調整条件情報に基づく、画質調整メニューＭ２０を表示させる。
また、利用者により所定の画質調整条件が選択された状態で調整完了時選択情報Ｍ２４が選択された旨を認識すると、この選択された内容に更新した第２の画質調整条件情報を、画像調整手段９３６へ出力して、デコーダ３３３からの第２の記録調整画像データに基づき第２の記録画質調整画像データを生成させる。【０２２０】
さらに、比較画像生成制御手段９５２は、未圧縮調整条件情報を第１の画質調整条件情報として、画像合成部９４０へ出力するとともに、この第１の画質調整条件情報に基づく、画質調整メニューＭ２０を表示させる。
そして、利用者により所定の画質調整条件が選択された状態で調整完了時選択情報Ｍ２４が選択された旨を認識すると、この選択された内容に更新した第１の画質調整条件情報を、画像調整手段９３６へ出力して、遅延回路３３４からの第１の記録調整画像データに基づき第１の記録画質調整画像データを生成させる。
さらに、設定記録条件情報、第１，第２の画質調整条件情報を画像合成部９４０、記録制御手段９５５へ適宜出力する。【０２２１】
記録制御手段９５５は、出力画像データを記録する旨を認識すると、エンコーダ３３１で出力画像データをエンコード処理したエンコード処理画像データを記憶手段４０に書き込ませる。
その際、このエンコード処理画像データを再生するときの画質調整条件ととして、画質調整を実施した画像処理装置９００の機器メーカ、機種番号などに関する機器情報、第２の画質調整条件情報も記憶手段４０に書き込ませることにより、同じ画質で再生させることができる。
また、設定記録条件情報、および、第２の画質調整条件情報を、記憶手段４０に書き込む一連のシーンごとに、例えばシーンチェンジごとに、またＤＶＤに書き込む場合のチャプターごとに書き込むこともできる。すなわち、動きの速いシーン、動きが緩やかだが高詳細な表示が必要なシーン、全体的に暗いシーンなどのシーンの特徴により、最適な設定記録条件情報、最適な第２の画質調整条件情報を選択し、再生する場合も設定記録条件情報のみならず第２の画質調整条件情報も再現することで、録画時に意図した画像再生が可能となる。このような再生する構成を設けてもよい。
設定記録条件情報は同じで、第２の画質調整条件情報のみをシーンごとに替えることも可能である。
第２の画質調整条件情報とともに画質調整を行った機器メーカ、機種番号も書き込むのは、記録メディアに記録する装置と、その記録メディアを再生する装置が異なる場合、記録する装置の画質調整条件情報を、再生する装置の画質調整条件情報に換算（変換）することが好ましいためである。【０２２２】
〔第９実施形態の作用効果〕
上述したように、上記第９実施形態では、第３実施形態と同様の作用効果に加え、以下のような作用効果を奏することができる。【０２２３】
すなわち、画像処理システム１Ｉの画像処理装置９００は、エンコード処理および第２の画質調整処理を施した第２の記録画質調整画像データと、エンコード処理を施しておらずかつ第１の画質調整処理を施した第１の記録画質調整画像データと、を生成する。そして、第２の記録画質調整画像データに基づく第２の記録画質調整画像と、第１の記録画質調整画像データに基づく第１の記録画質調整画像と、を表示手段２０に表示させる。
このため、第２の記録画質調整画像および第１の記録画質調整画像のそれぞれの全体を表示させるので、利用者に、その画像全体の状況を把握させつつエンコード処理条件が異なる状態を把握させることができる。したがって、利用者に画像のエンコード処理条件を適切に比較させることができる。また、エンコード処理特有の画質劣化が生じる場合でも、この画質劣化に対応する画質調整を施した画像を比較対象にすることができる。さらに、エンコード処理が異なる画像に対して異なる画像調整処理を施すので、同じ画質調整処理を施す構成と比べて、適切に画質調整された画像を比較対象にすることができる。よって、所望の画像を選択するための比較を適切にさせることができる。【０２２４】
また、エンコード処理条件に対応した画質調整処理条件を、画質調整メニューＭ２０として表示させ、利用者により画質を調整可能な構成としている。
ここで、利用者は、エンコード処理条件により、どのように画質劣化するかをある程度予想でき、それに対してどのような画質調整処理をしたらよいかも予想できる。このため、利用者は、画質調整メニューＭ２０により提案された条件を中心に画質調整をすればよく、利便性を向上できる。【０２２５】
［実施形態の変形］
なお、本発明は、上述した第１〜第９実施形態に限定されるものではなく、本発明の目的を達成できる範囲で以下に示される変形をも含むものである。【０２２６】
すなわち、第４〜第７実施形態の画像処理システム１Ｄ〜１Ｇに、第９実施形態の構成と同様に、処理としての画像データのエンコード処理、および、画質調整処理の条件が異なる２つの画像を表示させる機能を設け、図３２〜図３５に示すような画像処理システム１Ｊ〜１Ｍのような構成としてもよい。
図３２，３４に示すように、画像処理システム１Ｊ，１Ｌに設けられた画像処理装置１０００，１２００の画像処理部１０３０，１２３０は、第１のデコーダ４３３，６３４および第２のデコーダ４３５，６３５に接続された第３のセレクタ９３５と、画質調整手段９３６と、を備えている。また、図３３に示すように、画像処理システム１Ｋに設けられた画像処理装置１１００の画像処理部１１３０は、デコーダ５３３および第３の画像メモリ５３４に接続された第３のセレクタ９３５と、画質調整手段９３６と、を備えている。図３５に示すように、画像処理システム１Ｍに設けられた画像処理装置１３００の画像処理部１３３０は、デコーダ７３４および遅延回路７３５に接続された第３のセレクタ９３５と、画質調整手段９３６と、を備えている。
そして、画像処理システム１Ｊ〜１Ｌの画質調整手段９３６は、異なる条件でエンコード処理された第１，第２の記録調整画像データを取得する。そして、これらのエンコード処理条件に対応し、利用者により適宜設定された画質調整処理を、第１，第２の記録調整画像データに対して施して、エンコード処理および画質調整処理の条件が異なる第１，第２の記録画質調整画像データとして、画像合成部９４０へ出力する。さらに、これら第１，第２の記録画質調整画像データに基づいて、第１，第２の記録画質調整画像を、時分割であるいは２画面で比較させる画像を表示させる。
また、画像処理システム１Ｍは、記録媒体４２の劣化に伴う画像の劣化状態を反映させるとともに、エンコード処理に対応する画質調整処理が施された画像と、オリジナルの画像と、を時分割であるいは２画面で表示させる。【０２２７】
すなわち、第１，第２，第８実施形態において、画質調整条件メモリ１３０に、例えば映画、スポーツ、アニメーションに適した調整条件、あるいは、利用者が独自に設定した機調整条件を記録した画質調整条件情報を記憶させておき、これらに基づいて、第１，第２の時分割比較用画像Ｊ１０，Ｊ２０や２画面比較用画像Ｎ１０を表示させる構成としてもよい。
このような構成にすれば、利用者が画質調整条件を詳細に設定する手間を適宜抑制でき、より容易に画像を比較させることができる。【０２２８】
そして、第１〜第９実施形態において、随時時分割比較または繰り返し時分割比較のみを実施可能な構成としてもよい。
このような構成にすれば、画像処理装置１００，２００，３００，４００，５００，６００，７００，８００，９００の構成を簡略にできる。【０２２９】
さらに、第１〜第９実施形態において、リモコン３０に、第１の時分割比較用画像Ｊ１０，Ｊ３０を表示させるための操作ボタンと、第２の時分割比較用画像Ｊ２０，Ｊ４０を表示させるための操作ボタンと、を別個に設ける構成としてもよい。
このような構成にすれば、利用者が所望の画像を確実に、しかも所望の画像を表示させるための操作ボタンのみを操作するだけで表示させることができる。さらにＮ個の時分割比較用画像を表示させるためのＮ個の操作ボタンを設ければ、所望のそれぞれの画像に対応したそれぞれの操作ボタンのみを操作することにより、すなわち一操作にて所望の画像を表示させることができる。【０２３０】
そして、第１の時分割比較用画像Ｊ１０，Ｊ３０の表示時と、第２の時分割比較用画像Ｊ２０，Ｊ４０の表示時と、で異なる表示形態の文字、記号、図形などを表示させる構成としてもよい。具体的には、第１の時分割比較用画像Ｊ１０，Ｊ３０に例えば赤色の枠や図形あるいは記号を表示させ、第２の時分割比較用画像Ｊ２０，Ｊ４０に例えば青色の枠や図形あるいは記号を表示させてもよい。また、第１の調整条件名称情報Ｊ１２，Ｊ３２を例えば赤色で表示させ、第２の調整条件名称情報Ｊ２２，Ｊ４２を例えば赤色で表示させてもよい。さらには、第１の時分割比較用画像Ｊ１０，Ｊ３０と、第２の時分割比較用画像Ｊ２０，Ｊ４０と、で異なる太さの枠を表示させたり、異なる図形や記号を表示させたり、異なる大きさの枠、図形、記号を表示させてもよい。また、一方にだけ枠、図形、文字、記号を表示させてもよい。
これらのような構成にすれば、画像の画質やエンコード処理条件を利用者に容易認識させることができる。
なお、２画面比較用画像Ｎ１０の第１，第２の画質調整縮小画像Ｎ１１，Ｎ１３、第１，第２の調整条件名称情報Ｎ１２，Ｎ１４と、２画面比較用画像Ｎ２０の第１，第２の記録設定縮小画像Ｎ２１，Ｎ２３、第１，第２の調整条件名称情報Ｎ２２，Ｎ２４と、にも同様の構成を適用してもよい。【０２３１】
さらに、例えば第１の時分割比較用画像Ｊ１０，Ｊ３０に赤色の枠などを表示させ、第２の時分割比較用画像Ｊ２０，Ｊ４０に青色の枠などを表示させる構成において、第１の時分割比較用画像Ｊ１０，Ｊ３０を表示させるための操作ボタンを赤色で着色し、第２の時分割比較用画像Ｊ２０，Ｊ４０を表示させるための操作ボタンを青色で着色する構成としてもよい。
このような構成にすれば、操作ボタンの色と、第１の時分割比較用画像Ｊ１０，Ｊ３０、第２の時分割比較用画像Ｊ２０，Ｊ４０を表す色と、を同一色になるので、所望の画像を表示させる際の操作ボタンを容易に認識させることができる。【０２３２】
また、第１，第２，第８実施形態において、第１，第２の時分割比較用画像Ｊ１０，Ｊ２０に、第１，第２の調整状態情報Ｊ１３，Ｊ２３を表示させない構成としてもよい。
このような構成にすれば、第１，第２の時分割比較用画像Ｊ１０，Ｊ２０として表示させる情報の量を減らすことができ、第１，第２の画質調整画像Ｊ１１，Ｊ２１の視認性を向上させることができる。【０２３３】
そして、第２の時分割比較用画像Ｊ２０の第２の調整状態情報Ｊ２３に、第１の画質調整画像Ｊ１１の画質調整条件を表す第２の調整状態図形Ｊ２３Ｄを表示させない構成としてもよい。
このような構成にすれば、第２の調整状態情報として表示させる量を減らすことができ、第１の調整状態図形Ｊ２３Ｃに基づく第２の画質調整画像Ｊ２１の画質調整条件を、より容易に認識させることができる。
なお、第１の調整状態情報Ｊ１３に、第１，第２の画質調整画像Ｊ１１，Ｊ２１の画質調整条件を表す情報を表示させる構成としてもよい。【０２３４】
さらに、第１，第２の画質調整画像Ｊ１１，Ｊ２１の画質調整条件を、数字や文字列で表す構成としてもよい。このときの数字や文字列の表示形態は、同一であってもよいし、異なっていてもよい。
このような構成にすれば、数直線Ｊ２３Ｂ、第１，第２の調整状態図形Ｊ２３Ｃ，Ｊ２３Ｄで画質調整条件を表す構成と比べて、より正確に画質調整条件を認識できる。【０２３５】
また、第１，第２の調整状態図形Ｊ２３Ｃ，Ｊ２３Ｄを同じ形状および同じ色で表示させる構成、すなわち同一の表示形態で表示させる構成としてもよい。【０２３６】
さらに、第３〜第７，第９実施形態において、第１，第２の時分割比較用画像Ｊ３０，Ｊ４０のうち少なくともいずれか一方に、第１，第２の記録設定画像Ｊ３１，Ｊ４１の両方の記録条件に関する情報を表示させる構成としてもよい。このような構成において、記録条件を数字で表示させる構成、数直線上の記録条件に対応する位置に図形を表示させる構成としてもよい。そして、第１，第２の記録設定画像Ｊ３１，Ｊ４１の両方の記録条件を異なる表示形態で表示させてもよい。【０２３７】
そして、第３〜第７，第９実施形態において、図３６に示すような２画面比較用画像Ｎ５０を表示させる構成としてもよい。
この図３６に示す２画面比較用画像Ｎ５０は、表示領域２１の左側に表示された第１の記録設定変形画像Ｎ５１と、第１の記録設定条件名称情報Ｎ２２と、表示領域２１の右側に表示された第２の記録設定変形画像Ｎ５３と、第２の記録設定条件名称情報Ｎ２４と、を備えている。
第１，第２の記録設定変形画像Ｎ５１，Ｎ５３は、第１，第２の記録設定画像Ｊ３１、Ｊ４１を、上下方向の長さ寸法を変更せずに左右方向の長さ寸法が表示領域２１の約半分となる状態にアスペクト比を変更したものである。
このような構成にすれば、画像に表示されている各物体の形状がオリジナルのものに対して変形してしまうが、第１，第２の記録調整画像のそれぞれの全体を表示させるので、利用者に、その画像全体の状況を把握させつつエンコード処理条件が異なる状態を把握させることができる。したがって、利用者に画像のエンコード処理条件を適切に比較させることができる。【０２３８】
さらに、第３〜第７，第９実施形態において、図３７に示すような２画面比較用画像Ｎ６０を表示させる構成としてもよい。
この図３７に示す２画面比較用画像Ｎ６０は、表示領域２１の左側に表示された第１の記録設定半分画像Ｎ６１と、第１の記録設定条件名称情報Ｎ２２と、表示領域２１の右側に表示された第２の記録設定半分画像Ｎ６３と、第２の記録設定条件名称情報Ｎ２４と、を備えている。
第１の記録設定半分画像Ｎ６１は、第１の記録設定画像Ｊ３１の左半分の画像である。第２の記録設定半分画像Ｎ６３は、第２の記録設定画像Ｊ４１の右半分の画像である。
このような構成にすれば、第１，第２の記録設定半分画像Ｎ６１，Ｎ６３を合体させることによりオリジナルの画像全体が表されるので、利用者に、その画像全体の状況を把握させつつエンコード処理条件が異なる状態を把握させることができる。したがって、利用者に画像のエンコード処理条件を適切に比較させることができる。【０２３９】
そして、第１実施形態において、本発明の画像表示制御装置を構成する画像合成部１５０および制御部１６０を、画像処理装置１００と別体で設ける構成としてもよい。また、第２〜第７実施形態においても、同様の構成としてもよい。【０２４０】
なお、上述した変形の構成は、図３２〜図３５の構成においても適宜適用してもよい。【０２４１】
また、上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、上述したように取扱が容易で、利用の拡大が容易に図れる。【０２４２】
その他、本発明の実施の際の具体的な構造および手順は、本発明の目的を達成できる範囲で他の構造などに適宜変更できる。【０２４３】
［実施形態の効果］
上述したように、上記実施形態では、画像処理システム１Ａの画像処理装置１００は、画像データ出力手段１０から出力画像データを取得して、画質調整条件が異なる第１の画質調整画像データと、第２の画質調整画像データと、を生成する。そして、第１の画質調整画像データに基づく第１の画質調整画像Ｊ１１を有する第１の時分割比較用画像Ｊ１０と、第２の画質調整画像データに基づく第２の画質調整画像Ｊ２１を有する第２の時分割比較用画像Ｊ２０と、を表示手段２０の表示領域２１に交互に切り替えて表示させる。
このため、第１，第２の画質調整画像Ｊ１１，Ｊ２１の全体を縮小させずに表示させるので、画質調整条件が異なる画像を実際の大きさと同一の大きさで交互に利用者に視認させることができる。また、動画を切り替え表示させているため、放送のように連続して入力される画像をリアルタイムで比較させることができる。したがって、利用者に画像の画質を適切に比較させることができる。【０２４４】
また、他の実施形態では、画像処理システム１Ｉの画像処理装置９００は、エンコード処理および第２の画質調整処理を施した第２の記録画質調整画像データと、エンコード処理を施しておらずかつ第１の画質調整処理を施した第１の記録画質調整画像データと、を生成する。そして、第２の記録画質調整画像データに基づく第２の記録画質調整画像と、第１の記録画質調整画像データに基づく第１の記録画質調整画像と、を表示手段２０に表示させる。
このため、第２の記録画質調整画像および第１の記録画質調整画像のそれぞれの全体を表示させるので、利用者に、その画像全体の状況を把握させつつエンコード処理条件が異なる状態を把握させることができる。したがって、利用者に画像のエンコード処理条件を適切に比較させることができる。また、エンコード処理特有の画質劣化が生じる場合でも、この画質劣化に対応する画質調整を施した画像を比較対象にすることができる。さらに、エンコード処理が異なる画像に対して異なる画像調整処理を施すので、同じ画質調整処理を施す構成と比べて、適切に画質調整された画像を比較対象にすることができる。よって、所望の画像を選択するための比較を適切にさせることができる。
【産業上の利用可能性】
【０２４５】
本発明は、所定の画像データに対して所定の処理を施した処理画像データに基づく画像を表示手段で表示させる画像表示制御装置、画像処理装置、画像処理システム、画像表示制御方法、そのプログラム、および、そのプログラムを記録した記録媒体として利用できる。
【図１】
2008016149.tif 000003
【図２】
2008016149.tif 000004
【図３】
2008016149.tif 000005
【図４】
2008016149.tif 000006
【図５】
2008016149.tif 000007
【図６】
2008016149.tif 000008
【図７】
2008016149.tif 000009
【図８】
2008016149.tif 000010
【図９】
2008016149.tif 000011
【図１０】
2008016149.tif 000012
【図１１】
2008016149.tif 000013
【図１２】
2008016149.tif 000014
【図１３】
2008016149.tif 000015
【図１４】
2008016149.tif 000016
【図１５】
2008016149.tif 000017
【図１６】
2008016149.tif 000018
【図１７】
2008016149.tif 000019
【図１８】
2008016149.tif 000020
【図１９】
2008016149.tif 000021
【図２０】
2008016149.tif 000022
【図２１】
2008016149.tif 000023
【図２２】
2008016149.tif 000024
【図２３】
2008016149.tif 000025
【図２４】
2008016149.tif 000026
【図２５】
2008016149.tif 000027
【図２６】
2008016149.tif 000028
【図２７】
2008016149.tif 000029
【図２８】
2008016149.tif 000030
【図２９】
2008016149.tif 000031
【図３０】
2008016149.tif 000032
【図３１】
2008016149.tif 000033
【図３２】
2008016149.tif 000034
【図３３】
2008016149.tif 000035
【図３４】
2008016149.tif 000036
【図３５】
2008016149.tif 000037
【図３６】
2008016149.tif 000038
【図３７】
2008016149.tif 000039
【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
所定の画像データに対して所定の処理を施した処理画像データに基づく画像を表示手段で表示させる画像表示制御装置であって、
画像データ出力手段から連続して出力される出力画像データを前記画像データとして取得する出力画像取得手段と、
この出力画像取得手段において異なるタイミングで取得された前記画像データに基づいて、前記処理画像データを生成する処理画像生成手段に、前記処理の条件が異なる第１の前記処理画像データおよび第２の前記処理画像データを生成させる処理画像生成制御手段と、
前記第１の処理画像データに基づく前記画像および前記第２の処理画像データに基づく前記画像を、前記表示手段の１つの表示領域に交互に切り替えて表示させる処理画像表示制御手段と、
を具備したことを特徴とした画像表示制御装置。
【請求項２】
請求項１に記載の画像表示制御装置であって、
前記処理は、前記画像データのエンコード処理、デコード処理、および、前記画像の画質調整処理であり、
前記処理画像生成制御手段は、前記処理画像生成手段に、前記エンコード処理および前記画質調整処理の条件が異なる前記第１の処理画像データおよび前記第２の処理画像データを生成させる
ことを特徴とした画像表示制御装置。
【請求項３】
請求項２に記載の画像表示制御装置であって、
前記処理画像生成制御手段は、前記処理画像生成手段に、前記画像データに対して第１の前記エンコード処理、前記デコード処理、および、前記第１のエンコード処理に対応する第１の前記画質調整処理を施した前記第１の処理画像データと、前記画像データに対して第２の前記エンコード処理、前記デコード処理、および、前記第２のエンコード処理に対応する第２の前記画質調整処理を施した前記第２の処理画像データと、を生成させる
ことを特徴とした画像表示制御装置。
【請求項４】
請求項１に記載の画像表示制御装置であって、
前記処理は、前記画像の画質調整処理である
ことを特徴とした画像表示制御装置。
【請求項５】
請求項４に記載の画像表示制御装置であって、
前記画質調整処理の条件に関する調整条件情報を記憶する調整条件情報記憶手段を具備し、
前記処理画像生成制御手段は、前記調整条件情報記憶手段に記憶された前記調整条件情報を取得して、この調整条件情報に基づいて、前記処理画像生成手段に、前記第１の処理画像データおよび前記第２の処理画像データを生成させる
ことを特徴とした画像表示制御装置。
【請求項６】
請求項４または請求項５に記載の画像表示制御装置であって、
前記処理は、前記画像の動き補正である
ことを特徴とした画像表示制御装置。
【請求項７】
請求項１ないし請求項６のいずれかに記載の画像表示制御装置であって、
入力操作される操作手段を有し、この操作手段の入力操作に基づき前記１つの表示領域に表示させる画像を切り替える旨を認識すると、その旨の操作信号を出力する入力手段と、
この入力手段からの前記操作信号を取得して、この操作信号に対応する処理を実施する旨の処理信号を出力する処理信号出力手段と、
を具備し、
前記処理画像表示制御手段は、前記処理信号出力手段からの前記処理信号に基づいて、前記１つの表示領域に表示されている画像を切り替える制御をする
ことを特徴とした画像表示制御装置。
【請求項８】
請求項７に記載の画像表示制御装置であって、
前記入力手段は、第１の前記操作手段の入力操作に基づいて前記１つの表示領域に表示させる画像が前記第１の処理画像データに基づく画像であると認識して、その旨の第１の前記操作信号を出力し、第２の前記操作手段の入力操作に基づいて前記１つの表示領域に表示させる画像が前記第２の処理画像データに基づく画像であると認識して、その旨の第２の前記操作信号を出力し、
前記処理信号出力手段は、前記第１の操作信号に対応する処理を実施する旨の第１の前記処理信号、前記第２の操作信号に対応する処理を実施する旨の第２の前記処理信号を出力し、
前記処理画像表示制御手段は、前記第２の処理画像データに基づく画像の表示中に前記第１の処理信号を取得すると前記第１の処理画像データに基づく画像を表示させ、前記第１の処理画像データに基づく画像の表示中に前記第２の処理信号を取得すると前記第２の処理画像データに基づく画像を表示させる
ことを特徴とした画像表示制御装置。
【請求項９】
請求項７に記載の画像表示制御装置であって、
前記入力手段は、複数の前記操作手段を有し、これら複数の操作手段のうち特定の１つの前記操作手段が入力操作されるごとに前記操作信号を出力する
ことを特徴とした画像表示制御装置。
【請求項１０】
請求項１ないし請求項９のいずれかに記載の画像表示制御装置であって、
前記処理画像表示制御手段は、前記第１の処理画像データに基づく画像の表示時と、前記第２の処理画像データに基づく画像の表示時と、で異なる表示形態の文字、記号、および、図形のうち少なくともいずれか１つを前記表示領域に表示させる
ことを特徴とした画像表示制御装置。
【請求項１１】
請求項８に記載の画像表示制御装置であって、
前記処理画像表示制御手段は、前記第１の処理画像データに基づく画像を表示させる際に前記表示領域に第１の色の文字、記号、および、図形のうち少なくともいずれか１つを表示させ、前記第２の処理画像データに基づく画像を表示させる際に前記表示領域に第２の色の文字、記号、および、図形のうち少なくともいずれか１つを表示させ、
前記第１の操作手段は、前記第１の色に着色され、
前記第２の操作手段は、前記第２の色に着色された
ことを特徴とした画像表示制御装置。
【請求項１２】
請求項１ないし請求項６のいずれかに記載の画像表示制御装置であって、
前記処理画像表示制御手段は、所定の時間間隔で前記画像を切り替える制御をする
ことを特徴とした画像表示制御装置。
【請求項１３】
請求項１ないし請求項１２のいずれかに記載の画像表示制御装置であって、
前記処理画像表示制御手段は、表示させている画像とともに、この表示させている画像の前記処理画像データに対して施された前記処理の条件を表す表示画像処理情報を表示させる
ことを特徴とした画像表示制御装置。
【請求項１４】
請求項１３に記載の画像表示制御装置であって、
前記処理画像表示制御手段は、前記表示させている画像および前記表示画像処理情報とともに、表示させていない前記画像の前記処理画像データに対して施された前記処理の条件を表す非表示画像処理情報を表示させる
ことを特徴とした画像表示制御装置。
【請求項１５】
請求項１３または請求項１４に記載の画像表示制御装置であって、
前記処理の条件は、数値で表され、
前記処理画像表示制御手段は、前記処理の条件を表す基準となる数直線を表示させるとともに、前記数直線上における前記表示させている画像の前記処理の条件に対応する位置に前記表示画像処理情報として第１の図形を表示させ、前記数直線上における前記表示させていない画像の前記処理の条件に対応する位置に前記非表示画像処理情報として第２の図形を表示させる
ことを特徴とした画像表示制御装置。
【請求項１６】
請求項１４または請求項１５に記載の画像表示制御装置であって、
前記処理画像表示制御手段は、前記表示画像処理情報および前記非表示画像処理情報を異なる表示形態で表示させる
ことを特徴とした画像表示制御装置。
【請求項１７】
請求項１ないし請求項１６のいずれかに記載の画像表示制御装置であって、
前記第１の処理画像データに対応する前記処理および前記第２の処理画像データに対応する前記処理のうちいずれか一方の処理が選択された旨を認識する選択処理認識手段と、
前記処理画像生成手段に、前記出力画像データに対して前記選択処理認識手段で認識した前記いずれか一方の処理を施した選択処理画像データを生成させる選択処理画像生成制御手段と、
前記選択処理画像データに基づく画像を前記表示手段で表示させる選択処理画像表示制御手段と、
を具備したことを特徴とした画像表示制御装置。
【請求項１８】
所定の画像データに対して所定の処理を施した処理画像データに基づく画像を表示手段で表示させる画像表示制御装置であって、
前記処理は、前記画像データのエンコード処理、デコード処理、および、前記画像の画質調整処理であり、
前記処理画像データを生成する処理画像生成手段に、前記エンコード処理および前記画質調整処理の条件が異なる第１の前記処理画像データおよび第２の前記処理画像データを生成させる処理画像生成制御手段と、
前記第１の処理画像データに基づく前記画像および前記第２の処理画像データに基づく前記画像を、前記表示手段で表示させる処理画像表示制御手段と、
を具備したことを特徴とした画像表示制御装置。
【請求項１９】
請求項１８に記載の画像表示制御装置であって、
画像データ出力手段から出力される出力画像データを取得する出力画像取得手段と、
前記第１の処理画像データおよび前記第２の処理画像データのうちいずれか一方に対応する前記エンコード処理が選択された旨を認識する選択処理認識手段と、
前記処理画像生成手段に、前記出力画像データに対して前記選択処理認識手段で認識された前記いずれか一方に対応する前記エンコード処理が施された選択処理画像データを生成させる選択処理画像生成制御手段と、
前記選択処理画像データを記録媒体に記録させる記録制御手段と、
を具備し、
前記処理画像生成手段は、前記記録媒体の経時劣化に伴い発生する前記選択処理画像データに基づく画像の劣化状態を反映させた前記第１の処理画像データおよび前記第２の処理画像データを生成する
ことを特徴とした画像表示制御装置。
【請求項２０】
演算手段にて、所定の画像データに対して所定の処理を施した処理画像データに基づく画像を表示手段で表示させる画像表示制御方法であって、
前記演算手段は、
画像データ出力手段から連続して出力される出力画像データを前記画像データとして取得し、
異なるタイミングで取得された前記画像データに基づいて、前記処理画像データを生成する処理画像生成手段に、前記処理の条件が異なる第１の前記処理画像データおよび第２の前記処理画像データを生成させ、
前記第１の処理画像データに基づく前記画像および前記第２の処理画像データに基づく前記画像を、前記表示手段の１つの表示領域に交互に切り替えて表示させる
ことを特徴とする画像表示制御方法。
【手続補正３】
【補正対象書類名】図面
【補正対象項目名】図２９
【補正方法】変更
【補正の内容】
【図２９】
2008016149.tif 000040
【手続補正４】
【補正対象書類名】図面
【補正対象項目名】図３０
【補正方法】変更
【補正の内容】
【図３０】
2008016149.tif 000041
【国際調査報告】
2008016149.tif 000042
2008016149.tif 000043
2008016149.tif 000044
2008016149.tif 000045
2008016149.tif 000046
2008016149.tif 000047
2008016149.tif 000048
2008016149.tif 000049